(57)【要約】      （修正有）【課題】ＮＢＩＦＯＭ（Ｎｅｔｗｏｒｋ−ｂａｓｅｄ  ＩＰ  Ｆｌｏｗ  Ｍｏｂｉｌｉｔｙ）に基づく、マルチアクセスＰＤＮ（Ｐａｃｋｅｔ  Ｄａｔａ  Ｎｅｔｗｏｒｋ）コネクションを用いた通信制御方法を提供する。【解決手段】マルチアクセスＰＤＮコネクションに対応するデフォルトアクセスを記憶し、デフォルトアクセスに基づいて、第１のデフォルトベアラ，又は第２のデフォルトベアラを用いてデータを送受信し、第１のアクセスネットワークを介して受信したＥＰＳ（Ｅｖｏｌｖｅｄ  Ｐａｃｋｅｔ  Ｓｙｓｔｅｍ）ベアラＩＤが、第１のデフォルトベアラ，又は第２のデフォルトベアラを識別する情報である場合には、デフォルトアクセスを削除する。【選択図】図１
2017017451.tif 000002
【特許請求の範囲】
【請求項１】
端末装置であって、
第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立する制御部と、
前記第１のアクセスネットワークは３ＧＰＰアクセスネットワークであり、
前記第２のアクセスネットワークはＵｎｔｒｕｓｔｅｄ  Ｎｏｎ−３ＧＰＰ  アクセスネットワークであり、
前記マルチアクセスＰＤＮコネクションに対応づけられた情報であり、前記第１のアクセスネットワーク又は前記第２のアクセスネットワークを示す情報であるデフォルトアクセスを記憶する記憶部と、
前記デフォルトアクセスに基づいて、第１のデフォルトベアラ又は第２のデフォルトベアラ用いてデータ送受信を行う送受信部を有し、
前記送受信部は、少なくともＥＰＳベアラＩＤを含むＥＰＳベアラコンテキストデアクティブ化要求メッセージを前記第１のアクセスネットワークを経由して受信し、
前記制御部は、前記ＥＰＳベアラＩＤが前記第１のデフォルトベアラ又は前記第２のデフォルトベアラを識別する情報である場合には、前記デフォルトアクセスを削除する
ことを特徴とする端末装置。
【請求項２】
前記ＥＰＳベアラコンテキストデアクティブ化要求メッセージには、少なくとも、ＰＤＮコネクションがマルチアクセスＰＤＮコネクションであることを示す情報、及び又はＮＢＩＦＯＭ（Ｎｅｔｗｏｒｋ−ｂａｓｅｄ  ＩＰ  Ｆｌｏｗ  Ｍｏｂｌｉｔｙ）の能力情報が含まれている
ことを特徴とする請求項１に記載の端末装置。
【請求項３】
端末装置であって、
第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立する制御部と、
前記第１のアクセスネットワークは３ＧＰＰアクセスネットワークであり、
前記第２のアクセスネットワークはＵｎｔｒｕｓｔｅｄ  Ｎｏｎ−３ＧＰＰ  アクセスネットワークであり、
前記マルチアクセスＰＤＮコネクションに対応づけられた情報であり、前記第１のアクセスネットワーク又は前記第２のアクセスネットワークを示す情報であるデフォルトアクセスを記憶する記憶部と、
前記デフォルトアクセスに基づいて、第１のデフォルトベアラ又は第２のデフォルトベアラ用いてデータ送受信を行う送受信部を有し、
前記送受信部は、少なくともＰＤＮコネクションＩＤを含む、ＩＮＦＯＲＭＡＴＩＯＮＡＬ要求メッセージ又はＩＮＦＯＲＭＡＴＩＯＮＡＬ応答メッセージを前記第２のアクセスネットワークを経由して受信し、
前記制御部は、前記ＰＤＮコネクションＩＤが前記マルチアクセスＰＤＮコネクションを識別する情報である場合には、前記デフォルトアクセスを削除する
ことを特徴とする端末装置。
【請求項４】
前記ＰＤＮ接続切断要求メッセージには、少なくとも、ＰＤＮコネクションがマルチアクセスＰＤＮコネクションであることを示す情報、及び又はＮＢＩＦＯＭ（Ｎｅｔｗｏｒｋ−ｂａｓｅｄ  ＩＰ  Ｆｌｏｗ  Ｍｏｂｌｉｔｙ）の能力情報が含まれている
ことを特徴とする請求項３に記載の端末装置。
【請求項５】
端末装置であって、
第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立する制御部と、
前記第１のアクセスネットワークは３ＧＰＰアクセスネットワークであり、
前記第２のアクセスネットワークはＵｎｔｒｕｓｔｅｄ  Ｎｏｎ−３ＧＰＰ  アクセスネットワークであり、
前記マルチアクセスＰＤＮコネクションに対応づけられた情報であり、前記第１のアクセスネットワーク又は前記第２のアクセスネットワークを示す情報であるデフォルトアクセスを記憶する記憶部と、
前記デフォルトアクセスに基づいて、第１のデフォルトベアラ又は第２のデフォルトベアラ用いてデータ送受信を行う送受信部を有し、
前記送受信部は、デタッチ要求メッセージ又はデタッチ受諾メッセージを前記第１のアクセスネットワークを経由して受信し、
前記制御部は、前記デタッチ要求メッセージ又は前記デタッチ受諾メッセージの受信に基づいて前記デフォルトアクセスを削除する
ことを特徴とする端末装置。
【請求項６】
前記デタッチ要求メッセージ又は前記デタッチ受諾メッセージには、少なくとも、ＰＤＮコネクションがマルチアクセスＰＤＮコネクションであることを示す情報、及び又はＮＢＩＦＯＭ（Ｎｅｔｗｏｒｋ−ｂａｓｅｄ  ＩＰ  Ｆｌｏｗ  Ｍｏｂｌｉｔｙ）の能力情報が含まれている
ことを特徴とする請求項５に記載の端末装置。
【請求項７】
ＰＤＮ（Ｐａｃｋｅｔ  Ｄａｔａ  Ｇａｔｅｗａｙ）ゲートウェイ装置であって、
第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立する制御部と、
前記第１のアクセスネットワークは３ＧＰＰアクセスネットワークであり、
前記第２のアクセスネットワークはＵｎｔｒｕｓｔｅｄ  Ｎｏｎ−３ＧＰＰ  アクセスネットワークであり、
前記マルチアクセスＰＤＮコネクションに対応づけられた情報であり、前記第１のアクセスネットワーク又は前記第２のアクセスネットワークを示す情報であるデフォルトアクセスを記憶する記憶部と、
前記デフォルトアクセスに基づいて、第１のデフォルトベアラ又は第２のデフォルトベアラ用いてデータ送受信を行う送受信部を有し、
前記送受信部は、少なくともＰＤＮコネクションＩＤを含むセッション削除要求メッセージ又はセッション削除応答メッセージを受信し、
前記制御部は、前記ＰＤＮコネクションＩＤが前記マルチアクセスＰＤＮコネクションを識別する情報である場合には、前記デフォルトアクセスを削除する
ことを特徴とするＰＤＮゲートウェイ装置。
【請求項８】
前記セッション削除要求メッセージは前記第１のアクセスネットワークとコアネットワークを接続するゲートウェイ装置が送信する制御メッセージである
ことを特徴とする請求項７に記載のＰＤＮゲートウェイ装置。
【請求項９】
前記セッション削除要求メッセージは前記第２のアクセスネットワークとコアネットワークを接続するゲートウェイ装置が送信する制御メッセージである
ことを特徴とする請求項７に記載のＰＤＮゲートウェイ装置。
【請求項１０】
前記セッション削除要求メッセージには、少なくとも、ＰＤＮコネクションがマルチアクセスＰＤＮコネクションであることを示す情報、及び又はＮＢＩＦＯＭ（Ｎｅｔｗｏｒｋ−ｂａｓｅｄ  ＩＰ  Ｆｌｏｗ  Ｍｏｂｌｉｔｙ）の能力情報を示す情報が含まれている
ことを特徴とする請求項７に記載のＰＤＮゲートウェイ装置。
【請求項１１】
端末装置の通信制御方法であって、
第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立し、
前記第１のアクセスネットワークは３ＧＰＰアクセスネットワークであり、
前記第２のアクセスネットワークはＵｎｔｒｕｓｔｅｄ  Ｎｏｎ−３ＧＰＰ  アクセスネットワークであり、
前記マルチアクセスＰＤＮコネクションに対応づけられた情報であり、前記第１のアクセスネットワーク又は前記第２のアクセスネットワークを示す情報であるデフォルトアクセスデフォルトアクセスに基づいて、第１のデフォルトベアラ又は第２のデフォルトベアラ用いてデータ送受信を行い、
少なくともＥＰＳベアラＩＤを含むＥＰＳベアラコンテキストデアクティブ化要求メッセージを前記第１のアクセスネットワークを経由して受信し、
前記ＥＰＳベアラＩＤが前記第１のデフォルトベアラ又は前記第２のデフォルトベアラを識別する情報である場合には、前記デフォルトアクセスを削除する
ことを特徴とする端末装置の通信制御方法。
【請求項１２】
前記ＥＰＳベアラコンテキストデアクティブ化要求メッセージには、少なくとも、ＰＤＮコネクションがマルチアクセスＰＤＮコネクションであることを示す情報、及び又はＮＢＩＦＯＭ（Ｎｅｔｗｏｒｋ−ｂａｓｅｄ  ＩＰ  Ｆｌｏｗ  Ｍｏｂｌｉｔｙ）の能力情報が含まれている
ことを特徴とする請求項１１に記載の端末装置の通信制御方法。
【請求項１３】
端末装置の通信制御方法であって、
第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立し、
前記第１のアクセスネットワークは３ＧＰＰアクセスネットワークであり、
前記第２のアクセスネットワークはＵｎｔｒｕｓｔｅｄ  Ｎｏｎ−３ＧＰＰ  アクセスネットワークであり、
前記マルチアクセスＰＤＮコネクションに対応づけられた情報であり、前記第１のアクセスネットワーク又は前記第２のアクセスネットワークを示す情報であるデフォルトアクセスに基づいて、第１のデフォルトベアラ又は第２のデフォルトベアラ用いてデータ送受信を行い、
少なくともＰＤＮコネクションＩＤを含む、ＩＮＦＯＲＭＡＴＩＯＮＡＬ要求メッセージ又はＩＮＦＯＲＭＡＴＩＯＮＡＬ応答メッセージを前記第２のアクセスネットワークを経由して受信し、
前記ＰＤＮコネクションＩＤが前記マルチアクセスＰＤＮコネクションを識別する情報である場合には、前記デフォルトアクセスを削除する
ことを特徴とする端末装置の通信制御方法。
【請求項１４】
前記ＰＤＮ接続切断要求メッセージには、少なくとも、ＰＤＮコネクションがマルチアクセスＰＤＮコネクションであることを示す情報、及び又はＮＢＩＦＯＭ（Ｎｅｔｗｏｒｋ−ｂａｓｅｄ  ＩＰ  Ｆｌｏｗ  Ｍｏｂｌｉｔｙ）の能力情報が含まれている
ことを特徴とする請求項１３に記載の端末装置の通信制御方法。
【請求項１５】
端末装置の通信制御方法であって、
第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立し、
前記第１のアクセスネットワークは３ＧＰＰアクセスネットワークであり、
前記第２のアクセスネットワークはＵｎｔｒｕｓｔｅｄ  Ｎｏｎ−３ＧＰＰ  アクセスネットワークであり、
前記マルチアクセスＰＤＮコネクションに対応づけられた情報であり、前記第１のアクセスネットワーク又は前記第２のアクセスネットワークを示す情報であるデフォルトアクセスに基づいて、第１のデフォルトベアラ又は第２のデフォルトベアラ用いてデータ送受信を行い、
デタッチ要求メッセージ又はデタッチ受諾メッセージを前記第１のアクセスネットワークを経由して受信し、
前記デタッチ要求メッセージ又は前記デタッチ受諾メッセージの受信に基づいて前記デフォルトアクセスを削除する
ことを特徴とする端末装置の通信制御方法。
【請求項１６】
前記デタッチ要求メッセージ又は前記デタッチ受諾メッセージには、少なくとも、ＰＤＮコネクションがマルチアクセスＰＤＮコネクションであることを示す情報、及び又はＮＢＩＦＯＭ（Ｎｅｔｗｏｒｋ−ｂａｓｅｄ  ＩＰ  Ｆｌｏｗ  Ｍｏｂｌｉｔｙ）の能力情報が含まれている
ことを特徴とする請求項１５に記載の端末装置の通信制御方法。
【請求項１７】
ＰＤＮ（Ｐａｃｋｅｔ  Ｄａｔａ  Ｇａｔｅｗａｙ）ゲートウェイ装置の通信制御方法であって、
第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立し、
前記第１のアクセスネットワークは３ＧＰＰアクセスネットワークであり、
前記第２のアクセスネットワークはＵｎｔｒｕｓｔｅｄ  Ｎｏｎ−３ＧＰＰ  アクセスネットワークであり、
前記マルチアクセスＰＤＮコネクションに対応づけられた情報であり、前記第１のアクセスネットワーク又は前記第２のアクセスネットワークを示す情報であるデフォルトアクセスに基づいて、第１のデフォルトベアラ又は第２のデフォルトベアラ用いてデータ送受信を行い、
少なくともＰＤＮコネクションＩＤを含むセッション削除要求メッセージ又はセッション削除応答メッセージを受信し、
前記ＰＤＮコネクションＩＤが前記マルチアクセスＰＤＮコネクションを識別する情報である場合には、前記デフォルトアクセスを削除する
ことを特徴とするＰＤＮゲートウェイ装置の通信制御方法。
【請求項１８】
前記セッション削除要求メッセージは前記第１のアクセスネットワークとコアネットワークを接続するゲートウェイ装置が送信する制御メッセージである
ことを特徴とする請求項１７に記載のＰＤＮゲートウェイ装置の通信制御方法。
【請求項１９】
前記セッション削除要求メッセージは前記第２のアクセスネットワークとコアネットワークを接続するゲートウェイ装置が送信する制御メッセージである
ことを特徴とする請求項１７に記載のＰＤＮゲートウェイ装置の通信制御方法。
【請求項２０】
前記セッション削除要求メッセージには、少なくとも、ＰＤＮコネクションがマルチアクセスＰＤＮコネクションであることを示す情報、及び又はＮＢＩＦＯＭ（Ｎｅｔｗｏｒｋ−ｂａｓｅｄ  ＩＰ  Ｆｌｏｗ  Ｍｏｂｌｉｔｙ）の能力情報を示す情報が含まれている
ことを特徴とする請求項１７に記載のＰＤＮゲートウェイ装置の通信制御方法。
【発明の詳細な説明】
【技術分野】
【０００１】
本発明は、端末装置、ＰＤＮ（Ｐａｃｋｅｔ  Ｄａｔａ  Ｎｅｔｗｏｒｋ）ゲートウェイ装置及び通信制御方法に関する。
【背景技術】
【０００２】
近年の移動通信システムの標準化活動を行う３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）では、オールＩＰ化を実現する、非特許文献１に記載のＥＰＳ（Ｅｖｏｌｖｅｄ  Ｐａｃｋｅｔ  Ｓｙｓｔｅｍ）の仕様化を行っている。ＥＰＳは、移動通信事業者等が携帯電話サービスを提供するための移動通信システムであり、ＥＰＣ（Ｅｖｏｌｖｅｄ  Ｐａｃｋｅｔ  Ｃｏｒｅ）と呼ばれるコアネットワークやＬＴＥ（Ｌｏｎｇ  Ｔｅｒｍ  Ｅｖｏｌｕｔｉｏｎ）とよばれる無線通信規格に基づくアクセスネットワーク等を含めて構成されている。
【０００３】
更に、３ＧＰＰのＥＰＳの仕様化の中で、ＮＢＩＦＯＭ（Ｎｅｔｗｏｒｋ−ｂａｓｅｄ  ＩＰ  Ｆｌｏｗ  Ｍｏｂｌｉｔｙ）の検討が行われている（非特許文献１）。ＮＢＩＦＯＭは、１つのデバイスが３ＧＰＰのインターフェースと、３ＧＰＰ以外のインターフェース（例えばＷＬＡＮ）を同時に利用できることを目的とした、技術項目である。
【０００４】
従来より、１つのＰＤＮ（Ｐａｃｋｅｔ  Ｄａｔａ  Ｎｅｔｗｏｒｋ）コネクションには、３ＧＰＰのアクセスネットワーク（例えばＬＴＥアクセスネットワーク）と３ＧＰＰ以外のアクセスネットワーク（例えばＷＬＡＮアクセスネットワーク）のうちいずれか１つのアクセスネットワークを介する通信路又はベアラ又は転送路が収容される。
【０００５】
ＮＢＩＦＯＭでは、１つのＰＤＮコネクションに３ＧＰＰを介したベアラ又は通信路又は転送路と３ＧＰＰ以外のベアラ又は通信路又は転送路を同時に収容している状態を維持できる。このようなＰＤＮコネクションをマルチアクセスＰＤＮコネクションとする。
【０００６】
端末装置及びコアネットワーク及びアクセスネットワークに含まれる各装置はＮＢＩＦＯＭ機能を用いる事で、アプリケーションごとに適切なアクセスネットワークを介した通信路を用いてデータの送受信することを目的として、マルチアクセスＰＤＮコネクションの確立方法及びマルチアクセスＰＤＮコネクションを用いた通信制御方法を検討している。
【先行技術文献】
【非特許文献】
【０００７】
【非特許文献１】３ＧＰＰ  ＴＲ  ２３．８６１  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ、Ｎｅｔｗｏｒｋ  ｂａｓｅｄ  ＩＰ  ｆｌｏｗ  ｍｏｂｉｌｉｔｙ（Ｒｅｌｅａｓｅ  １３）
【発明の概要】
【発明が解決しようとする課題】
【０００８】
ＮＢＩＦＯＭでは、マルチアクセスＰＤＮコネクションを確立するための詳細な手続きが規定されていない。
【０００９】
より具体的には、マルチアクセスＰＤＮコネクションに対応づけられたベアラを選択して送信するための方法が明らかになっていない。例えば、ベアラを選択するために用いられるマルチアクセスＰＤＮコネクションに対応づけられたデフォルトアクセスの設定及び又はデフォルトアクセスを用いたデータ送受信方法の詳細が明らかになっていない。
【００１０】
本発明は、このような事情を鑑みてなされたもので、その目的は、マルチアクセスＰＤＮコネクションに対する好適な通信制御の実現手段を提供することである。
【課題を解決するための手段】
【００１１】
本発明の端末装置は、第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立する制御部と、第１のアクセスネットワークは３ＧＰＰアクセスネットワークであり、第２のアクセスネットワークはＵｎｔｒｕｓｔｅｄ  Ｎｏｎ−３ＧＰＰ  アクセスネットワークであり、マルチアクセスＰＤＮコネクションに対応づけられた情報であり、第１のアクセスネットワーク又は第２のアクセスネットワークを示す情報であるデフォルトアクセスを記憶する記憶部と、デフォルトアクセスに基づいて、第１のデフォルトベアラ又は第２のデフォルトベアラ用いてデータ送受信を行う送受信部を有し、送受信部は、少なくともＥＰＳベアラＩＤを含むＥＰＳベアラコンテキストデアクティブ化要求メッセージを第１のアクセスネットワークを経由して受信し、制御部は、ＥＰＳベアラＩＤが第１のデフォルトベアラ又は第２のデフォルトベアラを識別する情報である場合には、デフォルトアクセスを削除することを特徴とする。
【００１２】
本発明の端末装置は、第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立する制御部と、第１のアクセスネットワークは３ＧＰＰアクセスネットワークであり、第２のアクセスネットワークはＵｎｔｒｕｓｔｅｄ  Ｎｏｎ−３ＧＰＰ  アクセスネットワークであり、マルチアクセスＰＤＮコネクションに対応づけられた情報であり、第１のアクセスネットワーク又は第２のアクセスネットワークを示す情報であるデフォルトアクセスを記憶する記憶部と、デフォルトアクセスに基づいて、第１のデフォルトベアラ又は第２のデフォルトベアラ用いてデータ送受信を行う送受信部を有し、送受信部は、少なくともＰＤＮコネクションＩＤを含む、ＩＮＦＯＲＭＡＴＩＯＮＡＬ要求メッセージ又はＩＮＦＯＲＭＡＴＩＯＮＡＬ応答メッセージを第２のアクセスネットワークを経由して受信し、制御部は、ＰＤＮコネクションＩＤがマルチアクセスＰＤＮコネクションを識別する情報である場合には、デフォルトアクセスを削除することを特徴とする。
【００１３】
本発明の端末装置は、第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立する制御部と、第１のアクセスネットワークは３ＧＰＰアクセスネットワークであり、第２のアクセスネットワークはＵｎｔｒｕｓｔｅｄ  Ｎｏｎ−３ＧＰＰ  アクセスネットワークであり、マルチアクセスＰＤＮコネクションに対応づけられた情報であり、第１のアクセスネットワーク又は第２のアクセスネットワークを示す情報であるデフォルトアクセスを記憶する記憶部と、デフォルトアクセスに基づいて、第１のデフォルトベアラ又は第２のデフォルトベアラ用いてデータ送受信を行う送受信部を有し、送受信部は、デタッチ要求メッセージ又はデタッチ受諾メッセージを第１のアクセスネットワークを経由して受信し、制御部は、デタッチ要求メッセージ又はデタッチ受諾メッセージの受信に基づいてデフォルトアクセスを削除することを特徴とする。
【００１４】
本発明のＰＤＮ（Ｐａｃｋｅｔ  Ｄａｔａ  Ｇａｔｅｗａｙ）ゲートウェイ装置は、第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立する制御部と、第１のアクセスネットワークは３ＧＰＰアクセスネットワークであり、第２のアクセスネットワークはＵｎｔｒｕｓｔｅｄ  Ｎｏｎ−３ＧＰＰ  アクセスネットワークであり、マルチアクセスＰＤＮコネクションに対応づけられた情報であり、第１のアクセスネットワーク又は第２のアクセスネットワークを示す情報であるデフォルトアクセスを記憶する記憶部と、デフォルトアクセスに基づいて、第１のデフォルトベアラ又は第２のデフォルトベアラ用いてデータ送受信を行う送受信部を有し、送受信部は、少なくともＰＤＮコネクションＩＤを含むセッション削除要求メッセージ又はセッション削除応答メッセージを受信し、制御部は、ＰＤＮコネクションＩＤがマルチアクセスＰＤＮコネクションを識別する情報である場合には、デフォルトアクセスを削除することを特徴とする。
【００１５】
本発明の端末装置の通信制御方法は、第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立し、第１のアクセスネットワークは３ＧＰＰアクセスネットワークであり、第２のアクセスネットワークはＵｎｔｒｕｓｔｅｄ  Ｎｏｎ−３ＧＰＰ  アクセスネットワークであり、マルチアクセスＰＤＮコネクションに対応づけられた情報であり、第１のアクセスネットワーク又は第２のアクセスネットワークを示す情報であるデフォルトアクセスデフォルトアクセスに基づいて、第１のデフォルトベアラ又は第２のデフォルトベアラ用いてデータ送受信を行い、少なくともＥＰＳベアラＩＤを含むＥＰＳベアラコンテキストデアクティブ化要求メッセージを第１のアクセスネットワークを経由して受信し、ＥＰＳベアラＩＤが第１のデフォルトベアラ又は第２のデフォルトベアラを識別する情報である場合には、デフォルトアクセスを削除することを特徴とする。
【００１６】
本発明の端末装置の通信制御方法は、第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立し、第１のアクセスネットワークは３ＧＰＰアクセスネットワークであり、第２のアクセスネットワークはＵｎｔｒｕｓｔｅｄ  Ｎｏｎ−３ＧＰＰ  アクセスネットワークであり、マルチアクセスＰＤＮコネクションに対応づけられた情報であり、第１のアクセスネットワーク又は第２のアクセスネットワークを示す情報であるデフォルトアクセスに基づいて、第１のデフォルトベアラ又は第２のデフォルトベアラ用いてデータ送受信を行い、少なくともＰＤＮコネクションＩＤを含む、ＩＮＦＯＲＭＡＴＩＯＮＡＬ要求メッセージ又はＩＮＦＯＲＭＡＴＩＯＮＡＬ応答メッセージを第２のアクセスネットワークを経由して受信し、ＰＤＮコネクションＩＤがマルチアクセスＰＤＮコネクションを識別する情報である場合には、デフォルトアクセスを削除することを特徴とする。
【００１７】
本発明の端末装置の通信制御方法は、第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立し、第１のアクセスネットワークは３ＧＰＰアクセスネットワークであり、第２のアクセスネットワークはＵｎｔｒｕｓｔｅｄ  Ｎｏｎ−３ＧＰＰ  アクセスネットワークであり、マルチアクセスＰＤＮコネクションに対応づけられた情報であり、第１のアクセスネットワーク又は第２のアクセスネットワークを示す情報であるデフォルトアクセスに基づいて、第１のデフォルトベアラ又は第２のデフォルトベアラ用いてデータ送受信を行い、デタッチ要求メッセージ又はデタッチ受諾メッセージを第１のアクセスネットワークを経由して受信し、デタッチ要求メッセージ又はデタッチ受諾メッセージの受信に基づいてデフォルトアクセスを削除することを特徴とする。
【００１８】
本発明のＰＤＮ（Ｐａｃｋｅｔ  Ｄａｔａ  Ｇａｔｅｗａｙ）ゲートウェイ装置の通信制御方法は、第１のデフォルトベアラを確立して第１のアクセスネットワークに接続し、且つ第２のデフォルトベアラを確立して第２のアクセスネットワークに接続するマルチアクセスＰＤＮ（Ｐａｃｋｅｔ  Ｄａｔａ  Ｎｅｔｗｏｒｋ）コネクションを確立し、第１のアクセスネットワークは３ＧＰＰアクセスネットワークであり、第２のアクセスネットワークはＵｎｔｒｕｓｔｅｄ  Ｎｏｎ−３ＧＰＰ  アクセスネットワークであり、マルチアクセスＰＤＮコネクションに対応づけられた情報であり、第１のアクセスネットワーク又は第２のアクセスネットワークを示す情報であるデフォルトアクセスに基づいて、第１のデフォルトベアラ又は第２のデフォルトベアラ用いてデータ送受信を行い、少なくともＰＤＮコネクションＩＤを含むセッション削除要求メッセージ又はセッション削除応答メッセージを受信し、ＰＤＮコネクションＩＤがマルチアクセスＰＤＮコネクションを識別する情報である場合には、デフォルトアクセスを削除することを特徴とする。
【発明の効果】
【００１９】
本発明によれば、マルチアクセスＰＤＮコネクションを用いたデータ送受信を実現することができる。
【図面の簡単な説明】
【００２０】
【図１】移動通信システムの概略を説明するための図である。
【図２】ＩＰ移動通信ネットワークの構成等を説明するための図である。
【図３】ＴＷＡＧの機能構成を説明するための図である。
【図４】ＴＷＡＧの記憶部の構成を説明するための図である。
【図５】ＨＳＳの機能構成を説明するための図である。
【図６】ＨＳＳの記憶部の構成を説明するための図である。
【図７】ＵＥの機能構成を説明するための図である。
【図８】ＵＥの記憶部の構成を説明するための図である。
【図９】ＰＧＷの機能構成を説明するための図である。
【図１０】ＰＧＷの記憶部の構成を説明するための図である。
【図１１】ＰＣＲＦの機能構成を説明するための図である。
【図１２】ＰＣＲＦの記憶部の構成を説明するための図である。
【図１３】ｅＰＤＧの機能構成を説明するための図である。
【図１４】ｅＰＤＧの記憶部の構成を説明するための図である。
【図１５】ユーザデータの送受信の第１の例でのベアラごとのコンテキストを説明するための図である。
【図１６】ユーザデータの送受信の第２の例でのベアラごとのコンテキストを説明するための図である。
【図１７】ユーザデータの送受信の第３の例でのベアラごとのコンテキストを説明するための図である。
【図１８】ＵＥ主導のＰＤＮ接続切断手続き（ＷＬＡＮアクセスネットワーク）を説明するための図である。
【図１９】ネットワーク主導のＰＤＮ接続切断手続き（ＷＬＡＮアクセスネットワーク）を説明するための図である。
【図２０】ＵＥ主導のＰＤＮ接続切断手続き（３ＧＰＰアクセスネットワーク）を説明するための図である。
【図２１】ネットワーク主導のＰＤＮ接続切断手続き（３ＧＰＰアクセスネットワーク）を説明するための図である。
【図２２】ＵＥ主導のＰＤＮ接続切断手続き（３ＧＰＰアクセスネットワーク）を説明するための図である。
【図２３】ネットワーク主導のＰＤＮ接続切断手続き（３ＧＰＰアクセスネットワーク）を説明するための図である。
【図２４】ＵＥ主導のＰＤＮ接続切断手続き（ＷＬＡＮアクセスネットワーク）を説明するための図である。
【図２５】ネットワーク主導のＰＤＮ接続切断手続き（ＷＬＡＮアクセスネットワーク）を説明するための図である。
【発明を実施するための形態】
【００２１】
［１．第１の実施形態］
以下、図面を参照しながら本発明の実施形態による無線通信技術について詳細に説明する。
【００２２】
［１．１．システム概要］
図１は、本実施形態における移動通信システムの概略を説明するための図である。本図に示すように、移動通信システム９は、移動端末装置ＵＥ＿Ａ１０とアクセスネットワークＡに含まれるＬＴＥの基地局ｅＮＢ＿Ａ４５と、アクセスネットワークＢに含まれるゲートウェイＴＷＡＧ（Ｔｒｕｓｔｅｄ  ＷＬＡＮ  Ａｃｃｅｓｓ  Ｇａｔｅｗａｙ）＿Ａ７４と、コアネットワーク＿Ａ９０に含まれるＭＭＥ（Ｍｏｂｉｌｉｔｙ  Ｍａｎａｇｅｍｅｎｔ  Ｅｎｔｉｔｙ）＿Ａ４０とＳＧＷ（Ｓｅｒｖｉｎｇ  Ｇａｔｅｗａｙ）３５とＰＧＷ（ＰＤＮ  Ｇａｔｅｗａｙ）＿Ａ３０により構成される。
【００２３】
ここで、ＵＥ＿Ａ１０は移動端末装置であればよく、ＵＥ（Ｕｓｅｒ  ｅｑｕｉｐｍｅｎｔ）又は、ＭＥ（Ｍｏｂｉｌｅ  ｅｑｕｉｐｍｅｎｔ）又はＭＳ（Ｍｏｂｉｌｅ  Ｓｔａｔｉｏｎ）であってもよい。
【００２４】
また、アクセスネットワークＡはＬＴＥのアクセスネットワークであってよく、アクセスネットワークＡに含まれるｅＮＢ＿Ａ４５はＬＴＥの無線基地局であってもよい。なお、アクセスネットワークＡには複数の無線基地局が含まれていても良い。なお、ＬＴＥのアクセスネットワークは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってよい。もしくは、アクセスネットワークＡは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）やＧＥＲＡＮ（ＧＳＭ  ＥＤＧＥ  Ｒａｓｉｏ  Ａｃｃｅｓｓ  Ｎｅｔｗｏｒｋ）であってもよい。
【００２５】
また、アクセスネットワークＢはＷＬＡＮ（Ｗｉｒｅｌｅｓｓ  ＬＡＮ）のアクセスネットワークであってもよい。ＴＷＡＧ＿Ａ７４は、コアネットワーク＿Ａ９０内のＰＧＷ＿Ａ３０と接続する、コアネットワーク＿Ａ９０とＷＬＡＮアクセスネットワーク間を接続するゲートウェイであってもよい。
【００２６】
本実施形態において、ＵＥ＿Ａ１０はアクセスネットワークＡを介してＥＰＳベアラを用いたＰＤＮコネクションを確立できる。
【００２７】
また、ＵＥ＿Ａ１０はＰＧＷ＿Ａ３０とＵＥ＿Ａ１０間のＧＴＰ／ＰＭＩＰｖ６転送路を用いてＰＤＮコネクションを確立することができる。なお、転送路はベアラであっても良い。
【００２８】
ここで、コアネットワーク＿Ａ９０は、移動通信事業者（Ｍｏｂｉｌｅ  Ｏｐｅｒａｔｏｒ）が運用するＩＰ移動通信ネットワークのことである。
【００２９】
例えば、コアネットワーク＿Ａ９０は移動通信システム９を運用、管理する移動通信事業者のためのコアネットワーク＿Ａ９０であっても良い、又はＭＶＮＯ（Ｍｏｂｉｌｅ  Ｖｉｒｔｕａｌ  Ｎｅｔｗｏｒｋ  Ｏｐｅｒａｔｏｒ）等の仮想移動通信事業者のためのコアネットワーク＿Ａ９０であってもよい。
【００３０】
ＭＭＥ＿Ａ４０は、アクセスネットワークＡを介してＵＥ＿Ａ１０の位置管理及びアクセス制御を行う制御装置である。ＭＭＥ＿Ａ４０の詳細は後に説明する。
【００３１】
また、ＳＧＷ＿Ａ３５はコアネットワーク＿Ａ９０とアクセスネットワークＡ間のゲートウェイ装置であり、ＵＥ＿Ａ１０とＰＧＷ＿Ａ３０間のユーザデータの転送を行う。
【００３２】
ＰＧＷ＿Ａ３０はＵＥ＿Ａ１０に通信サービスを提供するパケットデータサービス網（ＰＤＮ：Ｐａｃｋｅｔ  Ｄａｔａ  Ｎｅｔｗｏｒｋ）のゲートウェイ装置である。
【００３３】
本実施形態では、ＵＥ＿Ａ１０は、第１のＰＤＮコネクション及び又は第２のＰＤＮコネクションを確立することができる。
【００３４】
また、本実施形態においてＮＢＩＦＯＭとはマルチアクセスＰＤＮコネクションを確立することができる技術である。
【００３５】
また、本実施形態においてマルチアクセスＰＤＮコネクションとは、１つのＰＤＮコネクションに３ＧＰＰアクセス及び又はＷＬＡＮアクセスによる通信路及び又はベアラを収容する事ができるＰＤＮコネクションである。言い換えれば、マルチアクセスＰＤＮコネクションは３ＧＰＰアクセスとＷＬＡＮアクセスを介した通信路を両方収容する事ができる。なお、マルチアクセスＰＤＮコネクションは３ＧＰＰアクセスを介したベアラのみを収容したＰＤＮコネクションであってもよく、又はＷＬＡＮアクセスを介した転送路のみを収容したＰＤＮコネクションであっても良い。言い換えれば、マルチアクセスＰＤＮコネクションは、１又は複数の通信路を構成する事が可能なＰＤＮコネクションである。
【００３６】
本実施形態では、ＩＦＯＭ（ＩＰ  Ｆｌｏｗ  Ｍｏｂｌｉｔｙ）に基づいて確立するＰＤＮコネクションと明確に区別するために、ＮＢＩＦＯＭに基づいて特定のフローの通信路を選択可能なＰＤＮコネクションをマルチアクセスＰＤＮコネクションとする。
【００３７】
なお、ＩＦＯＭとは、ＤＳＭＩＰｖ６（Ｄｕａｌ  Ｓｔａｃｋ  Ｍｏｂｉｌｅ  ＩＰｖ６）プロトコルを用いて、特定のＩＰフローの通信路を切り替える技術のことであり、本実施形態においては、ＩＦＯＭに基づいて特定のＩＰフローの通信路を切り替えることが可能なＰＤＮコネクションは、ＩＦＯＭのためのＰＤＮコネクションとして説明する。
【００３８】
また、第１のＰＤＮコネクションは上述したマルチアクセスＰＤＮコネクションであってもよい。
【００３９】
詳細には、第１のＰＤＮコネクションはアクセスネットワークＡを介した通信路ＥＰＳベアラと、アクセスネットワークＢを介したＧＴＰ／ＰＭＩＰｖ６トンネルによる通信路を、一つのＰＤＮコネクションとして用いる事ができるＰＤＮコネクションである。つまり、このＰＤＮコネクションは３ＧＰＰアクセスや、ＷＬＡＮアクセス、又は両方のアクセスを介してデータを送受信できる。第１のＰＤＮコネクションはマルチアクセスＰＤＮコネクションであってもよい。
【００４０】
また、第２のＰＤＮコネクションは、マルチアクセスＰＤＮコネクションではなく従来のＰＤＮコネクションであってもよい。なお、第２のＰＤＮコネクションはシングルアクセスＰＤＮコネクションであっても良い。
【００４１】
ここで、シングルアクセスＰＤＮコネクションとはマルチアクセスＰＤＮコネクションと異なり、３ＧＰＰアクセスとＷＬＡＮアクセスのいずれかの通信路のみで構成される１つのＰＤＮコネクションである。詳細には、シングルアクセスＰＤＮコネクションは従来のアタッチにより確立されるＰＤＮコネクションである。
【００４２】
つまり、第２のＰＤＮコネクションはアクセスネットワークＡを介したＥＰＳベアラにより構成されるＰＤＮコネクション、又はアクセスネットワークＢを介したＧＴＰ／ＰＭＩＰｖ６転送路により構成されるＰＤＮコネクションである。第２のＰＤＮコネクションにはどちらか一方のアクセスネットワークを介した転送路及び又は通信路が収容される。
【００４３】
このように、シングルアクセスＰＤＮコネクションは、マルチアクセスＰＤＮコネクションやＩＦＯＭのためのＰＤＮコネクションとは異なるＰＤＮコネクションである。さらに、シングルアクセスＰＤＮコネクションは、ＬＩＰＡ（Ｌｏｃａｌ  ＩＰ  Ａｃｃｅｓｓ）用のＰＤＮコネクションとも異なるＰＤＮコネクションである。ここで、ＬＩＰＡとは、ホームネットワークへのオフロードを行うための通信制御である。より具体的には、端末装置が接続する基地局は、従来コアネットワーク＿Ａ９０経由で配送するユーザデータを、基地局が接続するホームネットワークへ送信することによりオフロードを実行する。ＬＩＰＡ用のＰＤＮコネクションとは、こうしたＬＩＰＡに基づいた通信を行うためのＰＤＮコネクションである。
【００４４】
次に、コアネットワーク＿Ａ９０の構成例を説明する。図２（ａ）はＩＰ移動通信ネットワーク５の構成の一例を示す。図２（ａ）に示すように、コアネットワーク＿Ａ９０は、ＨＳＳ（Ｈｏｍｅ  Ｓｕｂｓｃｒｉｂｅｒ  Ｓｅｒｖｅｒ）＿Ａ５０、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）＿Ａ５５、ＰＣＲＦ（Ｐｏｌｉｃｙ  ａｎｄ  Ｃｈａｒｇｉｎｇ  Ｒｕｌｅｓ  Ｆｕｎｃｔｉｏｎ）＿Ａ６０、ＰＧＷ＿Ａ３０、ｅＰＤＧ（ｅｎｈａｎｃｅｄ  Ｐａｃｋｅｔ  Ｄａｔａ  Ｇａｔｅｗａｙ）＿Ａ６５、ＳＧＷ＿Ａ３５、ＭＭＥ＿Ａ４０、ＳＧＳＮ（Ｓｅｒｖｉｎｇ  ＧＰＲＳ  Ｓｕｐｐｏｒｔ  Ｎｏｄｅ）＿Ａ４５により構成される。
【００４５】
また、コアネットワーク＿Ａ９０は、複数の無線アクセスネットワーク（ＬＴＥ  ＡＮ＿Ａ８０、ＷＬＡＮ  ＡＮｂ７５、ＷＬＡＮ  ＡＮａ７０、ＵＴＲＡＮ＿Ａ２０、ＧＥＲＡＮ＿Ａ２５）に接続することができる。
【００４６】
無線アクセスネットワークは、複数の異なるアクセスネットワークで構成しても良いし、いずれか一つのアクセスネットワークでの構成であっても良い。さらに、ＵＥ＿Ａ１０は無線アクセスネットワークに無線接続することができる。
【００４７】
さらに、ＷＬＡＮアクセスシステムで接続可能なアクセスネットワークは、ｅＰＤＧ＿Ａ６５を介してコアネットワーク＿Ａ９０へ接続するＷＬＡＮアクセスネットワークｂ（ＷＬＡＮ  ＡＮｂ７５）と、ＰＧＷ＿Ａ３０とＰＣＲＦ＿Ａ６０とＡＡＡ＿Ａ５５とに接続するＷＬＡＮアクセスネットワークａ（ＷＬＡＮ  ＡＮａ７０）とが構成可能である。
【００４８】
なお、各装置はＥＰＳを利用した移動通信システムにおける従来の装置と同様に構成されるため、詳細な説明は省略する。以下、各装置の簡単な説明をする。
【００４９】
ＰＧＷ＿Ａ３０はＰＤＮ＿Ａ１００とＳＧＷ＿Ａ３５とｅＰＤＧ＿Ａ６５とＷＬＡＮ  ＡＮａ７０と、ＰＣＲＦ＿Ａ６０とＡＡＡ＿Ａ５５とに接続されており、ＰＤＮ＿Ａ１００とコアネットワーク＿Ａ９０のゲートウェイ装置としてユーザデータの転送を行う中継装置である。
【００５０】
ＳＧＷ＿Ａ３５は、ＰＧＷ＿Ａ３０とＭＭＥ＿Ａ４０とＬＴＥ  ＡＮ＿Ａ８０とＳＧＳＮ＿Ａ４５とＵＴＲＡＮ＿Ａ２０とに接続されており、コアネットワーク＿Ａ９０と３ＧＰＰアクセスネットワーク（ＵＴＲＡＮ＿Ａ２０及び又はＧＥＲＡＮ＿Ａ２５及び又はＬＴＥ  ＡＮ＿Ａ８０）とのゲートウェイ装置としてユーザデータの転送を行う中継装置である。
【００５１】
ＭＭＥ＿Ａ４０は、ＳＧＷ＿Ａ３５とＬＴＥ  ＡＮ＿Ａ８０とＨＳＳ＿Ａ５０に接続されており、ＬＴＥ  ＡＮ＿Ａ８０を経由してＵＥ＿Ａ１０の位置情報管理と、アクセス制御を行うアクセス制御装置である。また、コアネットワーク＿Ａ９０には、複数の位置管理装置が含まれて構成されてもよい。例えば、ＭＭＥ＿Ａ４０とは異なる位置管理装置が構成されても良い。ＭＭＥ＿Ａ４０とは異なる位置管理装置はＭＭＥ＿Ａ４０と同様にＳＧＷ＿Ａ３５とＬＴＥ  ＡＮ＿Ａ８０と、ＨＳＳ＿Ａ５０と接続されてもよい。
【００５２】
また、コアネットワーク＿Ａ９０内に複数のＭＭＥが含まれている場合、ＭＭＥ同士が接続されても良い。これにより、ＭＭＥ間で、ＵＥ＿Ａ１０のコンテキストの送受信が行われても良い。
【００５３】
ＨＳＳ＿Ａ５０はＭＭＥ＿Ａ４０とＡＡＡ＿Ａ５５とに接続されており、加入者情報の管理を行う管理ノードである。ＨＳＳ＿Ａ５０の加入者情報は、例えばＭＭＥ＿Ａ４０のアクセス制御の際に参照される。さらに、ＨＳＳ＿Ａ５０は、ＭＭＥ＿Ａ４０とは異なる位置管理装置と接続されていても良い。
【００５４】
ＡＡＡ＿Ａ５５は、ＰＧＷ＿Ａ３０と、ＨＳＳ＿Ａ５０と、ＰＣＲＦ＿Ａ６０と、ＷＬＡＮ  ＡＮａ７０とに接続されており、ＷＬＡＮ  ＡＮａ７０を経由して接続するＵＥ＿Ａ１０のアクセス制御を行う。
【００５５】
ＰＣＲＦ＿Ａ６０は、ＰＧＷ＿Ａ３０と、ＷＬＡＮ  ＡＮａ７０と、ＡＡＡ＿Ａ５５と、ＰＤＮ＿Ａ１００に接続されており、データ配送に対するＱｏＳ管理を行う。例えば、ＵＥ＿Ａ１０とＰＤＮ＿Ａ１００間の通信路のＱｏＳの管理を行う。
【００５６】
ｅＰＤＧ＿Ａ６５は、ＰＧＷ＿Ａ３０と、ＷＬＡＮ  ＡＮｂ７５とに接続されており、コアネットワーク＿Ａ９０と、ＷＬＡＮ  ＡＮｂ７５とのゲートウェイ装置としてユーザデータの配送を行う。
【００５７】
ＳＧＳＮ＿Ａ４５は、ＵＴＲＡＮ＿Ａ２０とＧＥＲＡＮ＿Ａ２５とＳＧＷ＿Ａ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ＿Ａ４５は、ＰＧＷ＿Ａ３０及びＳＧＷ＿Ａ３５の選択機能、ＵＥ＿Ａ１０のタイムゾーンの管理機能、及びＥ−ＵＴＲＡＮへのハンドオーバー時のＭＭＥ＿Ａ４０の選択機能を持つ。
【００５８】
また、図２（ｂ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００５９】
本実施形態においては、ＬＴＥ  ＡＮ＿Ａ８０はｅＮＢ＿Ａ４５を含んで構成されるＥ−ＵＲＡＮであってよい。ｅＮＢ＿Ａ４５はＬＴＥアクセスシステムでＵＥ＿Ａ１０が接続する無線基地局であり、ＬＴＥ  ＡＮ＿Ａ８０には１又は複数の無線基地局が含まれて構成されても良い。
【００６０】
ＷＬＡＮ  ＡＮａ７０はＷＬＡＮ  ＡＰａ７２と、ＴＷＡＧ＿Ａ７４とが含まれて構成される。ＷＬＡＮ  ＡＰａ７２はコアネットワーク＿Ａ９０を運営する事業者に対して信頼性のあるＷＬＡＮアクセスシステムで、ＵＥ＿Ａ１０が接続する無線基地局であり、ＷＬＡＮ  ＡＮａ７０には１又は複数の無線基地局を含んで構成されてもよい。ＴＷＡＧ＿Ａ７４はコアネットワーク＿Ａ９０とＷＬＡＮ  ＡＮａ７０のゲートウェイ装置である。また、ＷＬＡＮ  ＡＰａ７２とＧＷ７４とは、単一の装置で構成されても良い。
【００６１】
コアネットワーク＿Ａ９０を運営する事業者とＷＬＡＮ  ＡＮａ７０を運営する事業者が異なる場合でも、事業者間の契約や規約によりこのような構成の実現が可能となる。
【００６２】
また、ＷＬＡＮ  ＡＮｂ７５はＷＬＡＮ  ＡＰｂ７６を含んで構成される。ＷＬＡＮ  ＡＰｂ７６はコアネットワーク＿Ａ９０を運営する事業者に対して信頼関係が結ばれていない場合に、ＷＬＡＮアクセスシステムでＵＥ＿Ａ１０が接続する無線基地局であり、ＷＬＡＮ  ＡＮｂ７５は１又は複数の無線基地局が含まれて構成されてもよい。
【００６３】
このように、ＷＬＡＮ  ＡＮｂ７５はコアネットワーク＿Ａ９０に含まれる装置であるｅＰＤＧ＿Ａ６５をゲートウェイとしてコアネットワーク＿Ａ９０に接続される。ｅＰＤＧ＿Ａ６５は通信の安全性を確保するためのセキュリティ機能を持つ。
【００６４】
なお、ＷＬＡＮ  ＡＮａ７０をＴｒｕｓｔｅｄ  Ａｃｃｅｓｓとし、ＷＬＡＮ  ＡＮｂ７５をＵｎｔｒｕｓｔｅｄ  Ａｃｃｅｓｓとして区別してもよい。これにより、通信事業者に対する信頼性の有無を明確することができる。
【００６５】
なお、ＷＬＡＮ  ＡＮａ７０をＴｒｕｓｔｅｄ  Ａｃｃｅｓｓ  Ｎｅｔｗｏｒｋとし、ＷＬＡＮ  ＡＮｂ７５をＵｎｔｒｕｓｔｅｄ  Ａｃｃｅｓｓ  Ｎｅｔｗｏｒｋと分類してもよい。これにより、アクセスネットワークの通信事業者に対する信頼性の有無を明確することができる。
【００６６】
なお、ＷＬＡＮ  ＡＮａ７０をＴｒｕｓｔｅｄ  Ｎｏｎ−３ＧＰＰ  Ａｃｃｅｓｓとし、ＷＬＡＮ  ＡＮｂ７５をＵｎｔｒｕｓｔｅｄ  Ｎｏｎ−３ＧＰＰ  Ａｃｃｅｓｓと分類してもよい。これにより、通信事業者に対する信頼性の有無を明確し、且つＷＬＡＮがＬＴＥ等の３ＧＰＰアクセスとは異なるアクセスであることを明確にすることができる。
【００６７】
なお、ＷＬＡＮ  ＡＮａ７０をＴｒｕｓｔｅｄ  Ｎｏｎ−３ＧＰＰ  Ａｃｃｅｓｓ  Ｎｅｔｗｏｒｋとし、ＷＬＡＮ  ＡＮｂ７５をＵｎｔｒｕｓｔｅｄ  Ｎｏｎ−３ＧＰＰ  Ａｃｃｅｓｓ  Ｎｅｔｗｏｒｋと分類してもよい。これにより、アクセスネットワークの通信事業者に対する信頼性の有無を明確し、且つＷＬＡＮがＬＴＥ等の３ＧＰＰアクセスとは異なるアクセスであることを明確にすることができる。
【００６８】
ＵＴＲＡＮ＿Ａ２０は、ＲＮＣ（Ｒａｄｉｏ  Ｎｅｔｗｏｒｋ  Ｃｏｎｔｒｏｌｌｅｒ）＿Ａ２４とｅＮＢ（ＵＴＲＡＮ）＿Ａ２２を含んで構成される。ｅＮＢ（ＵＴＲＡＮ）＿Ａ２２は、ＵＴＲＡ（ＵＭＴＳ  Ｔｅｒｒｅｓｔｒｉａｌ  Ｒａｄｉｏ  Ａｃｃｅｓｓ）でＵＥ＿Ａ１０が接続する無線基地局であり、ＵＴＲＡＮ＿Ａ２０には１又は複数の無線基地局が含まれて構成されてもよい。またＲＮＣ＿Ａ２４は、コアネットワーク＿Ａ９０とｅＮＢ（ＵＴＲＡＮ）＿Ａ２２を接続する制御部であり、ＵＴＲＡＮ＿Ａ２０には１又は複数のＲＮＣが含まれて構成されてもよい。また、ＲＮＣ＿Ａ２４は１つ又は複数のｅＮＢ（ＵＴＲＡＮ）と接続されても良い。更に、ＲＮＣ＿Ａ２４は、ＧＥＲＡＮ＿Ａ２５に含まれる無線基地局（ＢＳＳ（Ｂａｓｅ  Ｓｔａｔｉｏｎ  Ｓｕｂｓｙｓｔｅｍ）＿Ａ２６）と接続されもてもよい。
【００６９】
ＧＥＲＡＮ＿Ａ２５は、ＢＳＳ＿Ａ２６を含んで構成される。ＢＳＳ＿Ａ２６は、ＧＥＲＡ（ＧＳＭ／ＥＤＧＥ  Ｒａｄｉｏ  Ａｃｃｅｓｓ）でＵＥ＿Ａ１０が接続する無線基地局であり、ＧＥＲＡＮ＿Ａ２５には１又は複数の無線基地局ＢＳＳで構成されても良い。また、複数のＢＳＳは互いに接続しあっていても良い。またＢＳＳ＿Ａ２６はＲＮＣ＿Ａ２４と接続しても良い。
【００７０】
なお、本明細書において、ＵＥ＿Ａ１０が各無線アクセスネットワークに接続されるという事は、各無線アクセスネットワークに含まれる基地局装置やアクセスポイント等に接続される事としており、送受信されるデータや信号等も、基地局装置やアクセスポイントを経由している。
【００７１】
［１．２．装置構成］
以下、各装置の構成について説明する。
【００７２】
［１．２．１．ＴＷＡＧ構成］
図３はＴＷＡＧ＿Ａ７４の装置構成を示す。図に示すように、ＴＷＡＧ＿Ａ７４はネットワーク接続部＿Ａ３２０と、制御部＿Ａ３００と記憶部＿Ａ３４０で構成されている。ネットワーク接続部＿Ａ３２０と記憶部＿Ａ３４０は制御部＿Ａ３００と、バスを介して接続されている。
【００７３】
制御部＿Ａ３００はＴＷＡＧ＿Ａ７４を制御するための機能部である。制御部＿Ａ３００は、記憶部＿Ａ３４０に記憶されている各種プログラムを読みだして実行することにより各種処理を実現する。
【００７４】
ネットワーク接続部＿Ａ３２０はユーザデータ及び又は制御メッセージを送受信するデータ送受信部であり、ＴＷＡＧ＿Ａ７４が、ＰＧＷ＿Ａ３０と接続するための機能部である。ネットワーク接続部＿Ａ３２０は、送信部と受信部で構成されてもよい。
【００７５】
記憶部＿Ａ３４０は、ＴＷＡＧ＿Ａ７４の各動作に必要なプログラムや、データ等を記憶する機能部である。記憶部＿Ａ３４０は、例えば、半導体メモリや、ＨＤＤ（Ｈａｒｄ  Ｄｉｓｋ  Ｄｒｉｖｅ）等により構成されている。
【００７６】
図３に示すように、記憶部＿Ａ３４０はＴＷＡＧ  ｃａｐａｂｉｌｉｔｙ＿Ａ３４２と、Ｎｅｔｗｏｒｋ  ｃａｐａｂｉｌｉｔｙ＿Ａ３４４とＥＰＳベアラコンテキスト＿Ａ３４６を記憶する。以下、記憶部＿Ａ３４０で記憶される情報要素について説明する。
【００７７】
図４に、記憶部＿Ａ３４０で記憶される情報要素を示す。図４（ａ）はＴＷＡＧ＿Ａ７４が記憶するＴＷＡＧ  ｃａｐａｂｉｌｉｔｙ＿Ａ３４２の一例を示す。ＴＷＡＧ  ｃａｐａｂｉｌｉｔｙ＿Ａ３４２には、ＴＷＡＧごとに第１のＰＤＮコネクションを確立する能力をサポートしているか否かを示す識別情報（ＮＢＩＦＯＭ  Ｃａｐａｂｉｌｉｔｙ）が記憶されてよい。言い換えれば、ＴＷＡＧ  ｃａｐａｂｉｌｉｔｙ＿Ａ３４２はＴＷＡＧ＿Ａ７４がＮＢＩＦＯＭ機能をサポートしているか否かを示す識別情報であってよい。
【００７８】
なお、ＮＢＩＦＯＭ機能とは、マルチアクセスＰＤＮコネクションを確立することができる機能を有する事を示す情報であっても良い。
【００７９】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ＿Ａ７４が第１のＰＤＮコネクションを確立する機能を持つゲートウェイであることを意味しても良い。言い換えれば、記憶部＿Ａ３４０にＮＢＩＦＯＭ  ｃａｐａｂｉｌｉｔｙが存在することで、ＴＷＡＧ＿Ａ７４はＮＢＩＦＯＭ機能をサポートするゲートウェイであることを意味しても良い。具体的には、ＮＢＩＦＯＭ  Ｃａｐａｂｉｌｉｔｙは“ａｌｌｏｗｅｄ”又は”Ｎｏｔ  ａｌｌｏｗｅｄ”が含まれても良い。
【００８０】
図４（ａ）に示すように、ＮＢＩＦＯＭ  ｃａｐａｂｉｌｉｔｙは、ＴＷＡＧ＿Ａ７４の識別情報ＴＷＡＧ  ＩＤと対応づけられて記憶されても良い。ＴＷＡＧ  ＩＤと対応づけられていない場合、ＮＢＩＦＯＭ  Ｃａｐａｂｉｌｉｔｙは、記憶するＴＷＡＧ＿Ａ７４の能力を意味してもよい。
【００８１】
ＴＷＡＧ  ＩＤとＮＢＩＦＯＭ  ｃａｐａｂｉｌｉｔｙが対応付けて記憶されている場合、ＴＷＡＧ＿Ａ７４は複数のＴＷＡＧのＴＷＡＧ  ｃａｐａｂｉｌｉｔｙを記憶しても良い。
【００８２】
この場合、ＵＥ＿Ａ１０が他のＴＷＡＧへハンドオーバーする際に、ＴＷＡＧ＿Ａ７４がＴＷＡＧ  ｃａｐａｂｉｌｉｔｙ＿Ａ３４２に基づきハンドオーバー先のＴＷＡＧを選択しても良い。
【００８３】
次に、Ｎｅｔｗｏｒｋ  ｃａｐａｂｉｌｉｔｙ＿Ａ３４４について説明する。図４（ｂ）はＴＷＡＧ＿Ａ７４が記憶するＮｅｔｗｏｒｋ  ｃａｐａｂｉｌｉｔｙ＿Ａ３４４の一例を示す。Ｎｅｔｗｏｒｋ  ｃａｐａｂｉｌｉｔｙ＿Ａ３４４では、ネットワークごと、つまりＰＧＷごとのＮＢＩＦＯＭ  ｃａｐａｂｉｌｉｔｙを記憶する。
【００８４】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ＿Ａ３０がＮＢＩＦＯＭ機能をサポートしているか否かを示す識別情報である。より具体的には、例えば、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【００８５】
なお、ＮＢＩＦＯＭ機能とは、マルチアクセスＰＤＮコネクションを確立することができる機能を有する事を示す情報であっても良い。
【００８６】
又は、ＮＢＩＦＯＭ  ｃａｐａｂｉｌｉｔｙは、第１のＰＤＮコネクションを確立する能力があることを示す識別情報であっても良い。言い換えれば、ＮＢＩＦＯＭ  ｃａｐａｂｉｌｉｔｙはＮＢＩＦＯＭ機能をサポートするゲートウェイであることを示す識別情報であっても良い。つまり、記憶部＿Ａ３００にＮＢＩＦＯＭ  ｃａｐａｂｉｌｉｔｙが存在することでＰＧＷ＿Ａ３０が第１のＰＤＮコネクションを確立する機能を持つゲートウェイであることを意味しても良い。言い換えれば、記憶部＿Ａ３００にＮＢＩＦＯＭ  ｃａｐａｂｉｌｉｔｙが存在することでＰＧＷ＿Ａ３０がＮＢＩＦＯＭ機能をサポートするゲートウェイであることを意味しても良い。
【００８７】
図４（ｂ）に示すように、ＴＷＡＧ＿Ａ７４は、ＰＧＷ  ＩＤと対応付けてＮＢＩＦＯＭ  ｃａｐａｂｉｌｉｔｙを記憶してよい。更に、図に示すように、複数のＰＧＷに対応づけて、それぞれＮＢＩＦＯＭ  ｃａｐａｂｉｌｉｔｙが記憶されても良い。
【００８８】
ＰＧＷ  ＩＤは、ＰＧＷを識別するための情報であればよく、例えばＡＰＮ（Ａｃｃｅｓｓ  Ｐｏｉｎｔ  Ｎａｍｅ）であっても良い。
【００８９】
次に、ＥＰＳベアラコンテキスト＿Ａ３４６について説明する。ＥＰＳベアラコンテキスト＿Ａ３４６は、ＵＥごとに記憶されるＵＥごとのＥＰＳベアラコンテキストと、ＰＤＮコネクションごとのＥＰＳベアラコンテキストとベアラ及び又は転送路ごとのＥＰＳベアラコンテキストに分類されても良い。
【００９０】
図４（ｃ）はＵＥごとのＥＰＳベアラコンテキストに含まれる情報要素を示す。図から分かるように、ＴＷＡＧ＿Ａ７４はＵＥごとにＵＥ  ＮＢＩＦＯＭ  ｃａｐａｂｉｌｉｔｙ、ＮＢＩＦＯＭ  ａｌｌｏｗｅｄを記憶する。
【００９１】
ＵＥ  ＮＢＩＦＯＭ  ｃａｐａｂｉｌｉｔｙは、ＵＥのＮＢＩＦＯＭ  ｃａｐａｂｉｌｉｔｙである。ＵＥ  ＮＢＩＦＯＭ  ｃａｐａｂｉｌｉｔｙは、ＵＥごとに第１のＰＤＮコネクションを確立する能力をサポートしているか否かを示す識別情報である。言い換えれば、ＵＥ  ＮＢＩＦＯＭ  ｃａｐａｂｉｌｉｔｙは、ＵＥがＮＢＩＦＯＭ機能をサポートするか否かを示す識別情報である。より具体的には、例えば、ＵＥ  ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【００９２】
なお、ＮＢＩＦＯＭ機能とは、マルチアクセスＰＤＮコネクションを確立することができる機能を有する事を示す情報であっても良い。
【００９３】
又は、ＵＥ  ＮＢＩＦＯＭ  ｃａｐａｂｉｌｉｔｙは、ＵＥが第１のＰＤＮコネクションを確立する能力があることを示す識別情報であっても良い。つまり、ＵＥ  ＮＢＩＦＯＭ  ｃａｐａｂｉｌｉｔｙが存在することでＵＥが第１のＰＤＮコネクションを確立する機能を持つことを意味しても良い。
【００９４】
言い換えれば、ＵＥがＮＢＩＦＯＭ機能をサポートすることを示す識別情報であっても良い。つまり、記憶部にＵＥ  ＮＢＩＦＯＭ  ｃａｐａｂｉｌｉｔｙが存在することでＵＥがＮＢＩＦＯＭ機能をサポートすることを意味しても良い。
【００９５】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていても良い。ＮＢＩＦＯＭ  ａｌｌｏｗｅｄは複数のＡＰＮと対応付けられていても良い。
【００９６】
本実施形態ではＡＰＮ１はＮＢＩＦＯＭ  ａｌｌｏｗｅｄに対応付けられている。つまり、ＡＰＮ１はマルチアクセスＰＤＮコネクションを確立することが許可されている。言い換えれば、本実施形態ではＵＥ＿Ａ１０はＡＰＮ１を用いてマルチアクセスＰＤＮコネクションを確立することが許可されている。なお、ＡＰＮ１はマルチアクセスＰＤＮコネクションではなく、従来のＰＤＮコネクションを確立する事も許可されている。
【００９７】
更に、本実施形態ではＡＰＮ２はＮＢＩＦＯＭ  ａｌｌｏｗｅｄに対応付けられていない。つまり、本実施形態ではＡＰＮ２はマルチアクセスＰＤＮコネクションを確立することが許可されていない。つまり、本実施形態ではＵＥ＿Ａ１０はＡＰＮ２を用いて、マルチアクセスＰＤＮコネクションを確立することはできない。
【００９８】
ＮＢＩＦＯＭ  ａｌｌｏｗｅｄはＰＤＮコネクション確立前に記憶されていても良い。
【００９９】
ＴＷＡＧ＿Ａ７４は、ＰＤＮコネクション確立前及び又は確立手続き中に、ＨＳＳ＿Ａ５０にアクセスしＮＢＩＦＯＭ  ａｌｌｏｗｅｄを取得しても良い。
【０１００】
また、ＵＥごとのＥＰＳベアラコンテキストにはＵＥの識別情報が含まれていても良い。ＵＥの識別情報はＩＭＳＩであっても良い。
【０１０１】
また、図４（ｄ）にＰＤＮコネクションごとのＥＰＳベアラコンテキストを示す。ＰＤＮコネクションごとのＥＰＳベアラコンテキストは、ＰＤＮ  ｃｏｎｎｅｃｔｉｏｎ  ＩＤとＮｅｔｗｏｒｋ  ａｌｌｏｗｅｄ  ｍｏｄｅとＯｐｅｒａｔｉｏｎ  ｍｏｄｅとＵｓｅｒ  ｐｌａｎｅ  ｃｏｎｎｅｃｔｉｏｎ  ＩＤとＴＷＡＧ  ＭＡＣ  ａｄｄｒｅｓｓ、ＮＢＩＦＯＭ  Ｐｅｒｍｉｓｓｉｏｎを含んでいる(が含まれる)。
【０１０２】
ＰＤＮ  ｃｏｎｎｅｃｔｉｏｎ  ＩＤは、ＰＤＮコネクションを識別するための識別情報である。本実施形態では、ＵＥ＿Ａ１０とＴＷＡＧ＿Ａ７４とＰＧＷ＿Ａ３０が同じＰＤＮ  ｃｏｎｎｅｃｔｉｏｎ  ＩＤを記憶していてもよい。
【０１０３】
Ｏｐｅｒａｔｉｏｎ  ｍｏｄｅは、ＰＤＮ  ｃｏｎｎｅｃｔｉｏｎ  ＩＤにより識別されるＰＤＮコネクションが第１のＰＤＮコネクションである場合、データの送受信を主導する、又は通信制御を開始できるのがＵＥであるのか、ネットワークであるのかを示すモードの識別情報である。
【０１０４】
より具体的には、例えば、ＵＥから通信制御を開始できるＯｐｅｒａｔｉｏｎ  ｍｏｄｅはＵＥｉｎｉｔｉａｔｅｄ  ｍｏｄｅであってもよい。
【０１０５】
また、ネットワーク及び又はＰＧＷ＿Ａ３０及び又はＰＣＲＦ＿Ａ６０から通信制御を開始できるＯｐｅｒａｔｉｏｎ  ｍｏｄｅはＮｅｔｗｏｒｋ  ｉｎｉｔｉａｔｅｄ  ｍｏｄｅであってもよい。
【０１０６】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥｉｎｉｔｉａｔｅｄ  ｍｏｄｅ、又はＮｅｔｗｏｒｋ  ｉｎｉｔｉａｔｅｄ  ｍｏｄｅ、又はこれら両方を含めても良い。
【０１０７】
Ｕｓｅｒ  ｐｌａｎｅ  ｃｏｎｎｅｃｔｉｏｎ  ＩＤは、ＵＥがＴＷＡＧ＿Ａ７４を介した通信路を確立した場合のユーザデータの伝送に用いる接続を識別する識別情報である。
【０１０８】
ＴＷＡＧ  ＭＡＣ  ａｄｄｒｅｓｓはＴＷＡＧの物理アドレスである。
【０１０９】
ＮＢＩＦＯＭ  ｐｅｒｍｉｓｓｉｏｎは、ＰＤＮ  ｃｏｎｎｅｃｔｉｏｎ  ＩＤにより識別される、このＰＤＮコネクションがマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０１１０】
つまり、ＴＷＡＧ＿Ａ７４がＮＢＩＦＯＭ  ｐｅｒｍｉｓｓｉｏｎを記憶することで、このＰＤＮコネクションは第１のＰＤＮコネクションであることを意味する。
【０１１１】
ＮＢＩＦＯＭ  ｐｅｒｍｉｓｓｉｏｎは、ＰＤＮコネクションを確立することにより、ＴＷＡＧ＿Ａ７４が記憶する識別情報である。
【０１１２】
ＴＷＡＧ＿Ａ７４はＰＤＮコネクション確立中に、ＨＳＳ＿Ａ５０にアクセスしＮＢＩＦＯＭ  ｐｅｒｍｉｓｓｉｏｎを取得しても良い。又は、マルチアクセスＰＤＮコネクションが確立されたことに基づき、ＴＷＡＧ＿Ａ７４はＮＢＩＦＯＭ  Ｐｅｒｍｉｓｓｉｏｎを記憶しても良い。
【０１１３】
次に、ベアラ及び又は転送路ごとのＥＰＳベアラコンテキストについて説明する。図４（ｅ）に示すように、ベアラ及び又は転送路ごとのＥＰＳベアラコンテキストには、転送路識別情報とＲｏｕｔｉｎｇ  Ｒｕｌｅが含まれても良い。
【０１１４】
転送路識別情報は転送路及び又はベアラを識別する情報である。転送路識別情報は、例えばＥＰＳベアラＩＤであっても良い。
【０１１５】
Ｒｏｕｔｉｎｇ  ＲｕｌｅはＲｏｕｔｉｎｇ  Ｆｉｌｔｅｒと、Ｒｏｕｔｉｎｇ  ａｄｄｒｅｓｓ又はＲｏｕｔｉｎｇ  ａｃｃｅｓｓ  ｔｙｐｅの対応付けを示す。この対応付けに基づき、３ＧＰＰのアクセスネットワークを介した通信路を用いるか、ＷＬＡＮのアクセスネットワークを介した通信路を用いるかが決定される。
【０１１６】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０１１７】
また、Ｒｏｕｔｉｎｇ  ａｄｄｒｅｓｓは経由可能なＩＰアドレスを示す。例えば、ＳＧＷ＿Ａ３５のＩＰアドレスであっても良い。又はＴＷＡＧ＿Ａ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０１１８】
Ｒｏｕｔｉｎｇ  ＲｕｌｅはＰＧＷやＰＣＲＦ＿Ａ６０から通知されても良いし、ＵＥ＿Ａ１０から通知されても良い。又はＴＷＡＧ＿Ａ７４が事前にデフォルト値として記憶していた値であっても良い。
【０１１９】
Ｒｏｕｔｉｎｇ  ＦｉｌｔｅｒにはＩＰヘッダーを含めることでＩＰフローを切り替えても良い。又は、Ｒｏｕｔｉｎｇ  ＦｉｌｔｅｒにアプリケーションＩＤを含めることで、アプリケーションごとにフローを切り替えても良い。又は、ＴＦＴを含めても良い。
【０１２０】
Ｒｏｕｔｉｎｇｕ  Ｒｕｌｅには複数のルールが記憶されていてもよい。更に、Ｒｏｕｔｉｎｇ  ｒｕｌｅは、各ルールに優先順位が含まれていても良い。
【０１２１】
ＴＷＡＧ  ｃａｐａｂｉｌｉｔｙとＮｅｔｗｏｒｋ  ｃａｐａｂｉｌｉｔｙはＥＰＳベアラコンテキスト＿Ａ３４６に含まれていても良い。
【０１２２】
［１．２．２．ＨＳＳ構成］
次に、ＨＳＳ＿Ａ５０の構成について説明する。図５はＨＳＳ＿Ａ５０の装置構成を示す。図に示すように、ＨＳＳ＿Ａ５０はネットワーク接続部＿Ａ５２０と、制御部＿Ａ５００と記憶部＿Ａ５４０で構成されている。ネットワーク接続部＿Ａ５２０と記憶部＿Ａ５４０は制御部＿Ａ５００と、バスを介して接続されている。
【０１２３】
制御部＿Ａ５００はＨＳＳ＿Ａ５０を制御するための機能部である。制御部＿Ａ５００は、記憶部＿Ａ５４０に記憶されている各種プログラムを読みだして実行することにより各種処理を実現する。
【０１２４】
ネットワーク接続部＿Ａ５２０はユーザデータ及び又は制御メッセージを送受信するデータ送受信部であり、ＨＳＳ＿Ａ５０が、ＭＭＥ＿Ａ４０及び又はその他のＭＭＥと、ＡＡＡ＿Ａ５５と接続するための機能部である。ネットワーク接続部＿Ａ５２０は、送信部と受信部で構成されてもよい。
【０１２５】
記憶部＿Ａ５４０は、ＨＳＳ＿Ａ５０の各動作に必要なプログラムや、データ等を記憶する機能部である。記憶部＿Ａ５４０は、例えば、半導体メモリや、ＨＤＤ（Ｈａｒｄ  Ｄｉｓｋ  Ｄｒｉｖｅ）等により構成されている。
【０１２６】
図５に示すように、記憶部＿Ａ５４０はＨＳＳデータ＿Ａ５４２を記憶する。以下、記憶部＿Ａ５４０で記憶される情報要素について説明する。
【０１２７】
図６に、記憶部＿Ａ５４０で記憶される情報要素を示す。図６（ａ）はＨＳＳ＿Ａ５０が記憶するＵＥごとのＨＳＳデータの一例を示す。
【０１２８】
図に示すように、ＵＥごとのＨＳＳデータには、ＩＭＳＩ、ＭＳＩＳＤＮ、ＩＭＥＩ／ＩＭＥＩＳＶ、Ａｃｃｅｓｓ  Ｒｅｓｔｒｉｃｔｉｏｎ、ＵＥ  ＮＢＩＦＯＭ  Ｃａｐａｂｉｌｉｔｙ、ＮＢＩＦＯＭ  ａｌｌｏｗｅｄが含まれる。
【０１２９】
ＩＭＳＩはＵＥを使用するユーザ（加入者）に割り当てられる、識別情報である。
【０１３０】
ＭＳＩＳＤＮは、ＵＥの電話番号を表す。
【０１３１】
ＩＭＥＩ／ＩＭＩＳＶは、ＵＥに割り当てられている識別情報である。
【０１３２】
Ａｃｃｅｓｓ  Ｒｅｓｔｒｉｃｔｉｏｎは、アクセス制限の登録情報を示す。
【０１３３】
ＵＥ  ＮＢＩＦＯＭ  ｃａｐａｂｉｌｉｔｙは、ＵＥのＮＢＩＦＯＭ  ｃａｐａｂｉｌｉｔｙを示す。ＵＥ  ＮＢＩＦＯＭ  ｃａｐａｂｉｌｉｔｙは、ＵＥごとに第１のＰＤＮコネクションを確立する能力をサポートしているか否かを示す識別情報である。言い換えれば、ＵＥがＮＢＩＦＯＭ機能をサポートしているか否かを示す。より具体的には、例えば、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０１３４】
又は、ＵＥ  ＮＢＩＦＯＭ  ｃａｐａｂｉｌｉｔｙは、ＵＥが第１のＰＤＮコネクションを確立する能力があることを示す識別情報であっても良い。つまり、ＵＥ  ＮＢＩＦＯＭ  ｃａｐａｂｉｌｉｔｙが存在することでＵＥが第１のＰＤＮコネクションを確立する機能を持つことを意味しても良い。
【０１３５】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていてもよい。ＮＢＩＦＯＭ  ａｌｌｏｗｅｄは複数のＡＰＮと対応付けられていても良い。
【０１３６】
本実施形態ではＡＰＮ１はＮＢＩＦＯＭ  ａｌｌｏｗｅｄに対応付けられている。つまり、ＡＰＮ１はマルチアクセスＰＤＮコネクションを確立することが許可されている。言い換えれば、本実施形態ではＵＥ＿Ａ１０はＡＰＮ１を用いてマルチアクセスＰＤＮコネクションを確立することが許可されている。なお、ＡＰＮ１はマルチアクセスＰＤＮコネクションではなく、従来のＰＤＮコネクションを確立する事も許可されている。
【０１３７】
更に、本実施形態ではＡＰＮ２はＮＢＩＦＯＭ  ａｌｌｏｗｅｄに対応付けられていない。つまり、本実施形態ではＡＰＮ２はマルチアクセスＰＤＮコネクションを確立することが許可されていない。つまり、本実施形態ではＵＥ＿Ａ１０はＡＰＮ２を用いて、マルチアクセスＰＤＮコネクションを確立することはできない。
【０１３８】
ＮＢＩＦＯＭ  ａｌｌｏｗｅｄはＰＤＮコネクション確立前に記憶されていても良い。
【０１３９】
図６（ｂ）はＨＳＳ＿Ａ５０が記憶するＰＤＮコネクションごとのＨＳＳデータの一例を示す。図から分かるように、ＰＤＮコネクションごとのＨＳＳデータには、少なくともＣｏｎｔｅｘｔ  ＩＤ、ＰＤＮ  ａｄｄｒｅｓｓ、ＰＤＮ  Ｔｙｐｅ、ＡＰＮ（Ａｃｃｅｓｓ  Ｐｏｉｎｔ  Ｎａｍｅ）、ＷＬＡＮ  ｏｆｆｌａｏｄ  ａｂｉｌｉｔｙ、ＰＤＮ  ＧＷ  ＩＤ、ＮＢＩＦＯＭ  Ｐｅｒｍｉｓｓｉｏｎが含まれる。
【０１４０】
Ｃｏｎｔｅｘｔ  ＩＤは、ＰＤＮコネクションごとのＨＳＳデータを記憶するコンテキストの識別情報である。
【０１４１】
ＰＤＮ  Ａｄｄｒｅｓｓは、登録されたＩＰアドレスを示す。ＰＤＮ  ＡｄｄｒｅｓｓはＵＥ＿Ａ１０のＩＰアドレスである。
【０１４２】
ＰＤＮ  Ｔｙｐｅは、ＰＤＮ  Ａｄｄｒｅｓｓのタイプを示す。つまり、例えばＩＰｖ４又はＩＰｖ６又はＩＰｖ４ｖ６を識別するための識別情報である。
【０１４３】
ＡＰＮは、ＤＮＳの命名規則に従い、ネットワークのアクセス先を示すラベルである。
【０１４４】
ＷＬＡＮ  ｏｆｆｌｏａｄ  ａｂｉｌｉｔｙは、このＡＰＮで接続されたトラフィックは、ＷＬＡＮと３ＧＰＰ間の連携機能を用いて、ＷＬＡＮにオフロードできるか、又は３ＧＰＰの接続を維持するかを示す識別情報である。ＷＬＡＮ  ｏｆｆｌｏａｄ  ａｂｉｌｉｔｙは、ＲＡＴタイプごとに分かれていても良い。具体的には、ＬＴＥ（Ｅ−ＵＴＲＡ）と３Ｇ（ＵＴＲＡ）で異なっていても良い。
【０１４５】
ＰＤＮ  ＧＷ  ｉｄｅｎｔｉｔｙは、このＡＰＮで利用されるＰＧＷを識別する識別情報である。この識別情報は、ＦＱＤＮ（Ｆｕｌｌｙ  Ｑｕａｌｉｆｉｅｄ  Ｄｏｍａｉｎ  Ｎａｍｅ：完全修飾ドメイン名）、又はＩＰアドレスであっても良い。
【０１４６】
ＮＢＩＦＯＭ  ｐｅｒｍｉｓｓｉｏｎは、このＰＤＮコネクションがマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０１４７】
つまり、ＴＷＡＧ＿Ａ７４がＮＢＩＦＯＭ  ｐｅｒｍｉｓｓｉｏｎを記憶することで、このＰＤＮコネクションは第１のＰＤＮコネクションであることを意味する。
【０１４８】
ＮＢＩＦＯＭ  ｐｅｒｍｉｓｓｉｏｎは、ＰＤＮコネクションを確立することにより、ＴＷＡＧが記憶する識別情報である。
【０１４９】
具体的には、例えばＡＰＮ１が含まれるＰＤＮコネクションごとのＨＳＳデータにはＮＢＩＦＯＭ  Ｐｅｒｍｉｓｓｉｏｎが含まれ、ＡＰＮ２が含まれるＰＤＮコネクションごとのＨＳＳデータにはＮＢＩＦＯＭ  Ｐｅｒｍｉｓｓｉｏｎが含まれなくても良い。
【０１５０】
言い換えれば、ＡＰＮ１によるＰＤＮコネクションは第１のＰＤＮコネクションであってもよく、ＡＰＮ２は第１のＰＤＮコネクションであってはならない。
【０１５１】
［１．２．３．ＵＥ構成］
次に、ＵＥ＿Ａ１０の構成について説明する。図７はＵＥ＿Ａ１０の装置構成を示す。図に示すように、ＵＥ＿Ａ１０はＬＴＥインターフェース部＿Ａ７２０と、ＷＬＡＮインターフェース部＿Ａ７４０と、制御部＿Ａ７００と記憶部＿Ａ７５０で構成されている。
【０１５２】
ＬＴＥインターフェース部＿Ａ７２０とＷＬＡＮインターフェース部＿Ａ７４０と記憶部＿Ａ７５０は制御部＿Ａ７００と、バスを介して接続されている。
【０１５３】
制御部＿Ａ７００はＵＥ＿Ａ１０を制御するための機能部である。制御部＿Ａ７００は、記憶部＿Ａ７５０に記憶されている各種プログラムを読みだして実行することにより各種処理を実現する。
【０１５４】
ＬＴＥインターフェース部＿Ａ７２０は、ユーザデータ及び又は制御メッセージを送受信するデータ送受信部であり、ＵＥ＿Ａ１０がＬＴＥ基地局に接続し、ＩＰアクセスネットワークへ接続するための機能部である。また、ＬＴＥインターフェース部＿Ａ７２０には、外部アンテナ７１０が接続されている。ＬＴＥインターフェース部＿Ａ７２０は、送信部と受信部で構成されてもよい。
【０１５５】
ＷＬＡＮインターフェース部＿Ａ７４０は、ユーザデータ及び又は制御メッセージを送受信するデータ送受信部であり、ＵＥ＿Ａ１０がＷＬＡＮ  ＡＰに接続し、ＩＰアクセスネットワークへ接続するための機能部である。また、ＷＬＡＮインターフェース部＿Ａ７４０には、外部アンテナ７３０が接続されている。
【０１５６】
制御部＿Ａ７００はＵＥ＿Ａ１０を制御するための機能部である。制御部＿Ａ７００は、記憶部＿Ａ７５０に記憶されている各種プログラムを読みだして実行することにより各種処理を実現する。
【０１５７】
記憶部７４０は、ＵＥ＿Ａ１０の各動作に必要なプログラムや、データ等を記憶する機能部である。記憶部＿Ａ７５０は、例えば、半導体メモリや、ＨＤＤ（Ｈａｒｄ  Ｄｉｓｋ  Ｄｒｉｖｅ）等により構成されている。
【０１５８】
図７に示すように、記憶部＿Ａ７５０はＵＥコンテキスト＿Ａ７５２を記憶する。以下、記憶部＿Ａ７５０で記憶される情報要素について説明する。なお、ＵＥコンテキスト＿Ａ７５２は、ＵＥごとのＵＥコンテキストとＰＤＮコネクションごとのＵＥコンテキストと、転送路及び又はベアラごとのＵＥコンテキストに分類される。転送路及び又はベアラごとのＵＥコンテキストは、Ｄｅｆａｕｌｔ  ＢｅａｒｅｒごとのＵＥコンテキストとＤｅｄｉｃａｔｅｄ  ＢｅａｒｅｒごとのＵＥコンテキストから構成されてもよい。
【０１５９】
図８（ａ）は、ＵＥごとに記憶されるＵＥコンテキストの一例である。図に示すように、ＵＥごとのＵＥコンテキストは、ＩＭＳＩ、ＥＭＭ  Ｓｔａｔｅ、ＧＵＴＩ、ＭＥ  Ｉｄｅｎｔｉｔｙ、ＵＥ  ＮＢＩＦＯＭ  ｃａｐａｂｉｌｉｔｙが含まれる。
【０１６０】
ＩＭＳＩはＵＥ＿Ａ１０を使用するユーザ（加入者）に割り当てられる、識別情報である。
【０１６１】
ＥＭＭ  Ｓｔａｔｅは、ＵＥ＿Ａ１０の移動管理状態を示す。例えば、ＵＥ＿Ａ１０がネットワークに登録されているＥＭＭ−ＲＥＧＩＳＴＥＲＥＤ（登録状態、ｒｅｇｉｓｔｅｒｅｄ状態）、又はＵＥ＿Ａ１０がネットワークに登録されていないＥＭＭ−ＤＥＲＥＧＩＳＴＥＲＤ（非登録状態、ｄｅｒｅｇｉｓｔｅｒｅｄ状態）であっても良い。
【０１６２】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥ＿Ａ１０の一時的な識別情報である。ＧＵＴＩはＭＭＥ＿Ａ４０の識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ＿Ａ４０内でのＵＥ＿Ａ１０の識別情報（Ｍ−ＴＭＳＩ）により構成される。
【０１６３】
ＭＥ  Ｉｄｅｎｔｉｔｙは、ＭＥのＩＤであり、例えば、ＩＭＥＩ／ＩＭＩＳＶであっても良い。
【０１６４】
ＵＥ  ＮＢＩＦＯＭ  ｃａｐａｂｉｌｉｔｙは、ＵＥ＿Ａ１０のＮＢＩＦＯＭ  ｃａｐａｂｉｌｉｔｙである。ＵＥ  ＮＢＩＦＯＭ  ｃａｐａｂｉｌｉｔｙは、ＵＥごとに第１のＰＤＮコネクションを確立する能力をサポートしているか否かを示す識別情報である。言い換えれば、ＵＥ  ＮＢＩＦＯＭ  ｃａｐａｂｉｌｉｔｙは、ＵＥごとにＮＢＩＦＯＭ機能をサポートしているか否かを示す識別情報である。より具体的には、例えば、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０１６５】
なお、ＮＢＩＦＯＭ機能とは、マルチアクセスＰＤＮコネクションを確立することができる機能を持つ事を示す情報であっても良い。
【０１６６】
又は、ＵＥ  ＮＢＩＦＯＭ  ｃａｐａｂｉｌｉｔｙは、ＵＥ＿Ａ１０が第１のＰＤＮコネクションを確立する能力を持つことを示す識別情報であっても良い。つまり、ＵＥ＿Ａ１０の記憶部にＵＥ  ＮＢＩＦＯＭ  ｃａｐａｂｉｌｉｔｙが存在することでＵＥ＿Ａ１０が第１のＰＤＮコネクションを確立する機能を持つことを意味しても良い。
【０１６７】
言い換えれば、ＵＥ  ＮＢＩＦＯＭ  ｃａｐａｂｉｌｉｔｙは、ＵＥ＿Ａ１０がＮＢＩＦＯＭ機能をサポートすることを示す識別情報であっても良い。つまり、ＵＥ＿Ａ１０の記憶部＿Ａ７５０にＵＥ  ＮＢＩＦＯＭ  ｃａｐａｂｉｌｉｔｙが存在することで、ＵＥ＿Ａ１０がＮＢＩＦＯＭ機能をサポートすることを意味しても良い。
【０１６８】
また、ＵＥ＿Ａ１０は１又は複数のＰＤＮコネクションを確立することができる。ＵＥ＿Ａ１０は、ＰＤＮコネクション毎に、ＰＤＮコネクションに対応づけられた情報を記憶してもよい。図８（ｂ）を用いてＰＤＮコネクションごとのＵＥコンテキストの一例を示す。
【０１６９】
図に示すように、ＰＤＮコネクションごとのＵＥコンテキストには、少なくともＰＤＮ  ｃｏｎｎｅｃｔｉｏｎ  ＩＤ、ＡＰＮ  ｉｎ  Ｕｓｅ、ＩＰ  ａｄｄｒｅｓｓ、ＷＬＡＮ  ｏｆｆｌｏａｄ  ａｂｉｌｉｔｙ、ＵＥ  ａｌｌｏｗｅｄ  ｍｏｄｅ、Ｏｐｅｒａｔｉｏｎ  ｍｏｄｅ、Ｄｅｆａｕｌｔ  Ｂｅａｒｅｒが含まれる。  さらに、ＰＤＮコネクションごとのＵＥコンテキストにはデフォルトアクセス（Ｄｅｆａｕｌｔ  Ａｃｃｅｓｓ）を含めてもよい。
【０１７０】
ＰＤＮ  ｃｏｎｎｅｃｔｉｏｎ  ＩＤは、ＰＤＮコネクションを識別するための識別情報である。ＵＥ＿Ａ１０とＴＷＡＧ＿Ａ７４とＰＧＷ＿Ａ３０が同じ識別情報を記憶していても良い。
【０１７１】
ＡＰＮ  ｉｎ  Ｕｓｅは、ＵＥ＿Ａ１０が直前に利用したＡＰＮである。このＡＰＮは、ネットワークの識別情報と、デフォルトのオペレータの識別情報とで構成されても良い。
【０１７２】
ＩＰ  Ａｄｄｒｅｓｓは、ＰＤＮコネクションでＵＥ＿Ａ１０に割り当てられたＩＰアドレスであり、ＩＰｖ４アドレス、又はＩＰｖ６  プレフィックスであっても良い。
【０１７３】
ＷＬＡＮ  ｏｆｆｌｏａｄａｂｉｌｉｔｙは、該ＰＤＮコネクションに関連付けられた通信に対し、ＷＬＡＮと３ＧＰＰ間のインターワーキング機能を用いてＷＬＡＮへオフロードすることを許可するか、又は３ＧＰＰアクセスを維持するか否かを示すＷＬＡＮオフロードの許可情報である。
【０１７４】
ＵＥ  ａｌｌｏｗｅｄ  ｍｏｄｅは、ＵＥ＿Ａ１０が許可するＯｐｅｒａｔｉｏｎ  ｍｏｄｅである。この識別情報は、ＵＥ  ｉｎｔｉａｔｅｄ  ｍｏｄｅ、又はＮｅｔｗｏｒｋ  ｉｎｉｔｉａｔｅｄ  ｍｏｄｅのいずれか、又は両方を示しても良い。
【０１７５】
Ｏｐｅｒａｔｉｏｎ  ｍｏｄｅは、現在のＰＤＮコネクションが第１のＰＤＮコネクションである場合、データの送受信を主導する、又は通信制御を開始できるのがＵＥ＿Ａ１０であるか、又はネットワークであるかを示すモードの識別情報である。
【０１７６】
Ｄｅｆａｕｌｔ  Ｂｅａｒｅｒは、このＰＤＮコネクションでのデフォルトベアラを識別するベアラ識別情報である。
【０１７７】
なお、ＵＥ＿Ａ１０は、ＰＤＮコネクションがマルチアクセスＰＤＮコネクションの場合には、ＰＤＮコネクションに対して複数のデフォルトベアラを確立してもよい。したがって、マルチアクセスＰＤＮコネクションに対しては複数のデフォルトベアラを対応づけて管理してもよい。具体的には、マルチアクセスＰＤＮコネクションに対して各デフォルトベアラに対応するベアラ識別情報を対応づけて管理してもよい。
【０１７８】
さらに、ＵＥ＿Ａ１０はデフォルトベアラとアクセスネットワークを対応づけて管理してもよい。
【０１７９】
具体的には、ＵＥ＿Ａ１０は、アクセスネットワークＡに対するデフォルトベアラと、アクセスネットワークＢに対するデフォルトベアラのそれぞれを識別するベアラ識別情報を記憶してもよい。ここでアクセスネットワークに対するデフォルトベアラとは、アクセスネットワークのアクセスシステムに対するデフォルトベアラであってよい。したがって、ＵＥ＿Ａ１０は、３ＧＰＰアクセスに対するデフォルトベアラと、ＷＬＡＮアクセスに対するデフォルトベアラをマルチアクセスＰＤＮコネクションに対応づけて記憶してもよい。
【０１８０】
また、マルチアクセスＰＤＮに対するデフォルトベアラは、ＵＥ＿Ａ１０が確立しているデフォルトベアラであってよい。言い換えると、マルチアクセスＰＤＮコネクションに対して一つのデフォルトベアラのみを確立している状態では、ＵＥ＿Ａ１０はマルチアクセスＰＤＮコネクションに対して一つのデフォルトベアラを記憶し、マルチアクセスＰＤＮコネクションに対して二つのデフォルトベアラを確立している状態では、ＵＥ＿Ａ１０はマルチアクセスＰＤＮコネクションに対して二つのデフォルトベアラを記憶してもよい。
【０１８１】
なお、ＰＤＮコネクションがマルチアクセスＰＤＮコネクションの場合、ＵＥ＿Ａ１０は、Ｄｅｆａｕｌｔ  ＢｅａｒｅｒをＤｅｆａｕｌｔ  ＢｅａｒｅｒごとのＵＥコンテキストとして記憶してもよい。
【０１８２】
次に、デフォルトアクセス（Ｄｅｆａｕｌｔ  Ａｓｓｅｓｓ）は、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０１８３】
もしくは、３ＧＰＰアクセスは更に詳細な情報であってもよい。例えば、３ＧＰＰアクセスは、Ｅ−ＵＴＲＡＮアクセスか、ＵＴＲＡＮアクセスか、ＧＥＲＡＮアクセスのいずれかであってもよい。
【０１８４】
ＵＥ＿Ａ１０は、複数のデフォルトベアラを確立している場合、デフォルトアクセスに基づいてデフォルトベアラを選択し、選択したデフォルトベアラを用いてユーザデータの送受信を行っても良い。このように、デフォルトアクセスはアクセスシステム及び又はアクセスネットワークに対応づけられた情報であり、データ送受信のためにベアラを選択するための情報であってよい。
【０１８５】
なお、ＵＥ＿Ａ１０は、ＰＤＮコネクションがマルチアクセスＰＤＮコネクションである場合、及び又はＵＥ＿Ａ１０が複数のアクセスシステムに同時接続してＰＤＮコネクションに対して複数のアクセスネットワークを介して通信路を確立している場合には、ＵＥ＿Ａ１０はＰＤＮコネクションに対してデフォルトアクセスを記憶しても良い。
【０１８６】
図８（ｃ）にＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷごとのＮＢＩＦＯＭ  ｃａｐａｂｉｌｉｔｙを記憶する。
【０１８７】
ここで、ＮＢＩＦＯＭ  ｃａｐａｂｉｌｉｔｙは、ネットワークごとに第１のＰＤＮコネクションを確立する能力をサポートしているか否かを示す識別情報である。より具体的には、例えば、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０１８８】
又は、ＮＢＩＦＯＭ  ｃａｐａｂｉｌｉｔｙは、第１のＰＤＮコネクションを確立する能力があることを示す識別情報であっても良い。つまり、ＮＢＩＦＯＭ  ｃａｐａｂｉｌｉｔｙが存在することでＰＧＷ＿Ａ３０及び又はネットワークが第１のＰＤＮコネクションを確立する機能を持つゲートウェイであることを意味しても良い。
【０１８９】
図８（ｃ）に示すように、ＵＥ＿Ａ１０は、ＰＧＷ  ＩＤと対応付けてＮＢＩＦＯＭ  ｃａｐａｂｉｌｉｔｙを記憶する。更に、複数のＰＧＷに対応づけて、それぞれＮＢＩＦＯＭ  ｃａｐａｂｉｌｉｔｙが記憶されても良い。
【０１９０】
ＰＧＷ  ＩＤは、ＰＧＷ＿Ａ３０を識別するための情報である。ＰＧＷ  ＩＤは、例えばＡＰＮであっても良い。
【０１９１】
図８（ｄ）にＴＷＡＧ  ｃａｐａｂｉｌｉｔｙを示す。ＴＷＡＧ  ｃａｐａｂｉｌｉｔｙでは、ＴＷＡＧごとに第１のＰＤＮコネクションを確立する能力をサポートしているか否かを示す識別情報（ＮＢＩＦＯＭ  Ｃａｐａｂｉｌｉｔｙ）を記憶する。言い換えれば、ＴＷＡＧ＿Ａ７４がＮＢＩＦＯＭ機能をサポートしているか否かを示す識別情報である。具体的には、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０１９２】
なお、ＮＢＩＦＯＭ機能とは、マルチアクセスＰＤＮコネクションを確立することができる機能を有する事を示す情報であっても良い。
【０１９３】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ＿Ａ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ＿Ａ７４はＮＢＩＦＯＭ機能をサポートするゲートウェイであることを意味しても良い。
【０１９４】
ＵＥ＿Ａ１０はＮＢＩＦＯＭ  ＣａｐａｂｉｌｉｔｙをＴＷＡＧ  ＩＤと対応付けて記憶しても良い。また、複数のＴＷＡＧに対するＮＢＩＦＯＭ  Ｃａｐａｂｉｌｉｔｙを記憶しても良い。
【０１９５】
マルチアクセスＰＤＮコネクションの場合、ＵＥ＿Ａ１０はＴＷＡＧ  ｃａｐａｂｉｌｉｔｙとＮｅｔｗｏｒｋ  ｃａｐａｂｉｌｉｔｙをＵＥコンテキストに含めて記憶してもよく、又はＴＷＡＧ  ｃａｐａｂｉｌｉｔｙとＮｅｔｗｏｒｋ  ｃａｐａｂｉｌｉｔｙをＵＥコンテキストから独立して記憶しても良い。
【０１９６】
図８（ｅ）はＤｅｆａｕｌｔ  ＢｅａｒｅｒごとのＵＥコンテキストである。Ｄｅｆａｕｌｔ  ＢｅａｒｅｒごとのＵＥコンテキストは、ベアラ識別情報、Ａｃｃｅｓｓ  ｎｅｔｗｏｒｋ識別情報から構成される。なお、マルチアクセスＰＤＮコネクションに対応づけられたＤｅｆａｕｌｔ  Ｂｅａｒｅｒが複数存在する場合、Ｄｅｆａｕｌｔ  ＢｅａｒｅｒごとのＵＥコンテキストは複数存在してもよい。
【０１９７】
ベアラ情報はベアラを識別する情報である。ベアラ識別情報は、例えばＥＰＳベアラＩＤであっても良い。
【０１９８】
Ａｃｃｅｓｓ  ｎｅｔｗｏｒｋ情報はＡｃｃｅｓｓ  ｎｅｔｗｏｒｋを識別する情報である。Ａｃｃｅｓｓ  ｎｅｔｗｏｒｋ情報は３ＧＰＰアクセス又はＷＬＡＮアクセスを示す情報であってよい。
【０１９９】
図８（ｆ）はＤｅｄｉｃａｔｅｄ  ＢｅａｒｅｒごとのＵＥコンテキストである。Ｄｅｄｉｃａｔｅｄ  ＢｅａｒｅｒごとのＵＥコンテキストには転送路識別情報、Ｒｏｕｔｉｎｇ  Ｒｕｌｅが含まれている。なお、マルチアクセスＰＤＮコネクションに対応づけられたベアラが複数存在する場合、Ｄｅｄｉｃａｔｅｄ  ＢｅａｒｅｒごとのＵＥコンテキストは複数存在してもよい。
【０２００】
Ｒｏｕｔｉｎｇ  Ｒｕｌｅは、Ｒｏｕｔｉｎｇ  Ｒｕｌｅ  ｉｄｅｎｔｉｆｉｅｒ及び又は、Ｒｏｕｔｉｎｇ  Ｆｉｌｔｅｒ及び又は、Ｒｏｕｔｉｎｇ  Ａｃｃｅｓｓ  Ｉｎｆｏｒｍａｔｉｏｎ及び又は、Ｒｏｕｔｉｎｇ  Ｒｕｌｅ  Ｐｒｉｏｒｉｔｙを含む情報であってよい。Ｒｏｕｔｉｎｇ  Ｒｕｌｅの一例を図８（ｇ）に示す。
【０２０１】
ここで、Ｒｏｕｔｉｎｇ  Ｒｕｌｅ  ｉｄｅｎｔｉｆｉｅｒは、ＰＤＮコネクションに対応づけられたＲｏｕｔｉｎｇ  Ｒｕｌｅを識別する情報であってよい。なお、Ｒｏｕｔｉｎｇ  Ｒｕｌｅ  ｉｄｅｎｔｉｆｉｅｒはベアラ識別情報と同じ情報であってもよい。
【０２０２】
Ｒｏｕｔｉｎｇ  ＦｉｌｔｅｒはＩＰヘッダー及び又はアプリケーションＩＤ及び又はＴＦＴを含む情報であってもよい。ＵＥ＿Ａ１０は、Ｒｏｕｔｉｎｇ  ＦｉｌｔｅｒにＩＰヘッダーを含めることでＩＰフローを切り替えても良い。又は、ＵＥ＿Ａ１０は、Ｒｏｕｔｉｎｇ  ＦｉｌｔｅｒにアプリケーションＩＤを含めることで、アプリケーションごとにフローを切り替えても良い。又は、ＵＥ＿Ａ１０は、Ｒｏｕｔｉｎｇ  ＦｉｌｔｅｒにＴＦＴを含めることで、ＴＦＴに基づいてＩＰフローを切り替えても良い。
【０２０３】
Ｒｏｕｔｉｎｇ  Ａｃｃｅｓｓ  Ｉｎｆｏｒｍａｔｉｏｎは、ＩＰフローが経由するアクセスネットワークを示す情報であってよい。例えば、Ｒｏｕｔｉｎｇ  Ａｃｃｅｓｓ  Ｉｎｆｏｒｍａｔｉｏｎに３ＧＰＰ、又はＷＬＡＮを含めてもよい。Ｒｏｕｔｉｎｇ  Ａｃｃｅｓｓ  Ｉｎｆｏｒｍａｔｉｏｎは、Ｒｏｕｔｉｎｇ  ａｃｃｅｓｓ  ｔｙｐｅであってもよい。
【０２０４】
Ｒｏｕｔｉｎｇ  Ｒｕｌｅ  ＰｒｉｏｒｉｔｙはＲｏｕｔｉｎｇ  Ｒｕｌｅの優先度を示す情報であってもよい。
【０２０５】
また、Ｒｏｕｔｉｎｇ  ＲｕｌｅはＲｏｕｔｉｎｇ  ａｄｄｒｅｓｓを含んでいてもよい。Ｒｏｕｔｉｎｇ  ａｄｄｒｅｓｓは経由可能なＩＰアドレスを示す情報であってよい。例えば、ＳＧＷ＿Ａ３５のＩＰアドレスであっても良い。又はＴＷＡＧ＿Ａ７４のＩＰアドレスであってもよい。又はＴＷＡＧ＿Ａ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０２０６】
Ｒｏｕｔｉｎｇ  ＲｕｌｅはＰＧＷ＿Ａ３０やＰＣＲＦ＿Ａ６０から通知されても良い。又は、ＵＥ＿Ａ１０が事前にデフォルト値として記憶していた値であっても良い。
【０２０７】
また、Ｒｏｕｔｉｎｇｕ  Ｒｕｌｅには複数のルール（規則）が記憶されていても良い。更に、Ｒｏｕｔｉｎｇ  ｒｕｌｅは、各ルールに優先順位が含まれていても良い。
【０２０８】
［１．２．４．ＰＧＷ構成］
次に、ＰＧＷ＿Ａ３０の構成について説明する。図９はＰＧＷ＿Ａ３０の装置構成を示す。図に示すように、ＰＧＷ＿Ａ３０はネットワーク接続部＿Ａ９２０と、制御部＿Ａ９００と記憶部＿Ａ９４０で構成されている。ネットワーク接続部＿Ａ９２０と記憶部＿Ａ９４０は制御部＿Ａ９００と、バスを介して接続されている。
【０２０９】
制御部＿Ａ９００はＰＧＷ＿Ａ３０を制御するための機能部である。制御部＿Ａ９００は、記憶部＿Ａ９４０に記憶されている各種プログラムを読みだして実行することにより各種処理を実現する。
【０２１０】
ネットワーク接続部＿Ａ９２０は、ユーザデータ及び又は制御メッセージを送受信するデータ送受信部であり、ＰＧＷ＿Ａ３０が、ＳＧＷ＿Ａ３５及び又はＰＣＲＦ＿Ａ６０及び又はｅＰＤＧ＿Ａ６５と及び又はＡＡＡ＿Ａ５５及び又はＧＷ７４と接続するための機能部である。ネットワーク接続部＿Ａ９２０は、送信部と受信部で構成されてもよい。
【０２１１】
記憶部＿Ａ９４０は、ＰＧＷ＿Ａ３０の各動作に必要なプログラムや、データ等を記憶する機能部である。記憶部＿Ａ９４０は、例えば、半導体メモリや、ＨＤＤ（Ｈａｒｄ  Ｄｉｓｋ  Ｄｒｉｖｅ）等により構成されている。
【０２１２】
記憶部＿Ａ９４０は、図に示すように、ＥＰＳベアラコンテキスト＿Ａ９４２を記憶する。なお、ＥＰＳベアラコンテキストの中には、ＵＥごとに記憶されるものと、ＡＰＮごとに記憶されるものと、ＰＤＮコネクションごとに記憶されるものと、転送路及び又はベアラごとに記憶されるものが含まれる。転送路及び又はベアラごとのＥＰＳベアラコンテキストは、Ｄｅｆａｕｌｔ  ＢｅａｒｅｒごとのＥＰＳベアラコンテキストとＤｅｄｉｃａｔｅｄ  ＢｅａｒｅｒごとのＥＰＳベアラコンテキストから構成されてもよい。
【０２１３】
まず、ＵＥごとのＥＰＳベアラコンテキストについて説明する。図１０（ａ）は、ＵＥごとのＥＰＳベアラコンテキストの一例を示す。図に示すようにＥＰＳベアラコンテキストには、少なくともＩＭＳＩとＭＥ  ＩｄｅｎｔｉｔｙとＭＳＩＳＤＮとＵＥ  ＮＢＩＦＯＭ  Ｃａｐａｂｉｌｉｔｙが含まれる。
【０２１４】
ＩＭＳＩはＵＥ＿Ａ１０のユーザを識別する情報である。
【０２１５】
ＭＥ  Ｉｄｅｎｔｉｔｙは、ＭＥのＩＤであり、例えば、ＩＭＥＩ／ＩＭＩＳＶであっても良い。
【０２１６】
ＭＳＩＳＤＮは、ＵＥ＿Ａ１０の電話番号を表す。
【０２１７】
ＵＥ  ＮＢＩＦＯＭ  ｃａｐａｂｉｌｉｔｙは、ＵＥ＿Ａ１０のＮＢＩＦＯＭ  ｃａｐａｂｉｌｉｔｙである。ＵＥ  ＮＢＩＦＯＭ  ｃａｐａｂｉｌｉｔｙは、ＵＥごとに第１のＰＤＮコネクションを確立する能力を持っているか否かを示す識別情報である。より具体的には、例えば、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０２１８】
又は、ＵＥ  ＮＢＩＦＯＭ  ｃａｐａｂｉｌｉｔｙは、ＵＥ＿Ａ１０が第１のＰＤＮコネクションを確立する能力があることを示す識別情報であっても良い。つまり、ＵＥ  ＮＢＩＦＯＭ  ｃａｐａｂｉｌｉｔｙが存在することでＵＥ＿Ａ１０が第１のＰＤＮコネクションを確立する機能を持つことを意味しても良い。
【０２１９】
また、ＵＥ＿Ａ１０は１又は複数のＰＤＮコネクションを確立することができる。ＰＧＷ＿Ａ３０は、ＵＥ＿Ａ１０が確立するＰＤＮコネクション毎に、ＰＤＮコネクションに対応づけられた情報を記憶してもよい。図１０（ｂ）を用いて、ＰＤＮコネクションごとに記憶するＥＰＳベアラコンテキストの一例を説明する。
【０２２０】
図に示すように、ＰＤＮコネクションごとのＥＰＳベアラコンテキストには少なくともＰＤＮ  ｃｏｎｎｅｃｔｉｏｎ  ＩＤ、ＩＰ  ａｄｄｒｅｓｓ、ＰＤＮ  ｔｙｐｅ、ＡＰＮ、Ｎｅｔｗｏｒｋ  ａｌｌｏｗｅｄ  ｍｏｄｅ、Ｏｐｅｒａｔｉｏｎ  ｍｏｄｅを含める。
【０２２１】
さらに、ＰＤＮコネクションごとのＥＰＳベアラコンテキストにはデフォルトアクセス（Ｄｅｆａｕｌｔ  Ａｃｃｅｓｓ）を含めてもよい。
【０２２２】
ＰＤＮ  ｃｏｎｎｅｃｔｉｏｎ  ＩＤは、ＰＤＮコネクションを識別するための識別情報である。ＵＥ＿Ａ１０とＴＷＡＧ＿Ａ７４とＰＧＷ＿Ａ３０が同じ識別情報を記憶していても良い。
【０２２３】
ＩＰ  Ａｄｄｒｅｓｓは、このＰＤＮコネクションに対してＵＥ＿Ａ１０が割り当てられたＩＰアドレスを示す。ＩＰアドレスはＩＰｖ４及び又はＩＰｖ６  プレフィックスであっても良い。
【０２２４】
ＰＤＮ  ｔｙｐｅは、ＩＰアドレスの種類を示す。ＰＤＮ  ｔｙｐｅは例えば、ＩＰｖ４又はＩＰｖ６又はＩＰｖ４ｖ６を示す。
【０２２５】
ＡＰＮは、ＤＮＳの命名規則に従い、ネットワークのアクセス先を示すラベルである。
【０２２６】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥｉｎｉｔｉａｔｅｄ  ｍｏｄｅ、又はＮｅｔｗｏｒｋ  ｉｎｉｔｉａｔｅｄ  ｍｏｄｅのいずれか、又はこれら両方を含めても良い。
【０２２７】
Ｏｐｅｒａｔｉｏｎ  ｍｏｄｅは、現在のＰＤＮコネクションが第１のＰＤＮコネクションである場合、データの送受信を主導する、又は通信制御を開始できるのがＵＥ＿Ａ１０であるのかネットワークであるのかを示すモードの識別情報である。
【０２２８】
より具体的には、例えば、ＵＥ＿Ａ１０から通信制御を開始できるＵＥ  ｉｎｉｔｉａｔｅｄ  ｍｏｄｅや、ネットワークから通信制御を開始できるＮｅｔｗｏｒｋ  ｉｎｉｔｉａｔｅｄ  ｍｏｄｅを識別しても良い。
【０２２９】
Ｄｅｆａｕｌｔ  Ｂｅａｒｅｒは、このＰＤＮコネクションでのデフォルトベアラを識別するベアラ識別情報である。
【０２３０】
なお、ＰＧＷ＿Ａ３０は、ＰＤＮコネクションがマルチアクセスＰＤＮコネクションの場合には、ＰＤＮコネクションに対して複数のデフォルトベアラを確立してもよい。したがって、マルチアクセスＰＤＮコネクションに対しては複数のデフォルトベアラを対応づけて管理してもよい。具体的には、マルチアクセスＰＤＮコネクションに対して各デフォルトベアラに対応するベアラ識別情報を対応づけて管理してもよい。
【０２３１】
さらに、ＰＧＷ＿Ａ３０はデフォルトベアラとアクセスネットワークを対応づけて管理してもよい。
【０２３２】
具体的には、ＰＧＷ＿Ａ３０は、アクセスネットワークＡに対するデフォルトベアラと、アクセスネットワークＢに対するデフォルトベアラのそれぞれを識別するベアラ識別情報を記憶してもよい。ここでアクセスネットワークに対するデフォルトベアラとは、アクセスネットワークのアクセスシステムに対するデフォルトベアラであってよい。したがって、ＰＧＷ＿Ａ３０は、３ＧＰＰアクセスに対するデフォルトベアラと、ＷＬＡＮアクセスに対するデフォルトベアラをマルチアクセスＰＤＮコネクションに対応づけて記憶してもよい。
【０２３３】
また、マルチアクセスＰＤＮに対するデフォルトベアラは、ＰＧＷ＿Ａ３０が確立しているデフォルトベアラであってよい。言い換えると、マルチアクセスＰＤＮコネクションに対して一つのデフォルトベアラのみを確立している状態では、ＰＧＷ＿Ａ３０はマルチアクセスＰＤＮコネクションに対して一つのデフォルトベアラを記憶し、マルチアクセスＰＤＮコネクションに対して二つのデフォルトベアラを確立している状態では、ＰＧＷ＿Ａ３０はマルチアクセスＰＤＮコネクションに対して二つのデフォルトベアラを記憶してもよい。
【０２３４】
なお、ＰＤＮコネクションがマルチアクセスＰＤＮコネクションの場合、ＰＧＷ＿Ａ３０は、Ｄｅｆａｕｌｔ  ＢｅａｒｅｒをＤｅｆａｕｌｔ  ＢｅａｒｅｒごとのＥＰＳベアラコンテキストとして記憶してもよい。
【０２３５】
次に、デフォルトアクセス（Ｄｅｆａｕｌｔ  Ａｓｓｅｓｓ）は、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０２３６】
もしくは、３ＧＰＰアクセスは更に詳細な情報であってもよい。例えば、３ＧＰＰアクセスは、Ｅ−ＵＴＲＡＮアクセスか、ＵＴＲＡＮアクセスか、ＧＥＲＡＮアクセスのいずれかであってもよい。
【０２３７】
ＰＧＷ＿Ａ３０は、複数のデフォルトベアラを確立している場合、デフォルトアクセスに基づいてデフォルトベアラを選択し、選択したデフォルトベアラを用いてユーザデータの送受信を行っても良い。このように、デフォルトアクセスはアクセスシステム及び又はアクセスネットワークに対応づけられた情報であり、データ送受信のためにベアラを選択するための情報であってよい。
【０２３８】
なお、ＰＧＷ＿Ａ３０は、ＰＤＮコネクションがマルチアクセスＰＤＮコネクションである場合、及び又はＵＥ＿Ａ１０が複数のアクセスシステムに同時接続してＰＤＮコネクションに対して複数のアクセスネットワークを介して通信路を確立している場合には、ＰＧＷ＿Ａ３０はＰＤＮコネクションに対してデフォルトアクセスを記憶しても良い。
【０２３９】
図１０（ｃ）にＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷごとのＮＢＩＦＯＭ  ｃａｐａｂｉｌｉｔｙを記憶する。
【０２４０】
ここで、ＮＢＩＦＯＭ  ｃａｐａｂｉｌｉｔｙは、ネットワークごとに第１のＰＤＮコネクションを確立する能力をサポートしているか否かを示す識別情報である。より具体的には、例えば、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０２４１】
なお、ＮＢＩＦＯＭ機能とは、マルチアクセスＰＤＮコネクションの確立を可能とする機能を有する事を示す情報であっても良い
又は、ＮＢＩＦＯＭ  ｃａｐａｂｉｌｉｔｙは、第１のＰＤＮコネクションを確立する能力があることを示す識別情報であっても良い。つまり、ＮＢＩＦＯＭ  ｃａｐａｂｉｌｉｔｙが存在することでＰＧＷ＿Ａ３０及び又はネットワークが第１のＰＤＮコネクションを確立する機能を持つゲートウェイであることを意味しても良い。
【０２４２】
図１０（ｃ）に示すように、ＰＧＷ＿Ａ３０は、ＰＧＷ  ＩＤと対応付けてＮＢＩＦＯＭ  ｃａｐａｂｉｌｉｔｙを記憶する。更に、複数のＰＧＷに対応づけて、それぞれＮＢＩＦＯＭ  ｃａｐａｂｉｌｉｔｙが記憶されても良い。
【０２４３】
ＰＧＷ  ＩＤは、ＰＧＷ＿Ａ３０を識別するための情報であればよく、例えばＡＰＮであっても良い。
【０２４４】
図１０（ｄ）にＴＷＡＧ  ｃａｐａｂｉｌｉｔｙを示す。ＴＷＡＧ  ｃａｐａｂｉｌｉｔｙでは、ＴＷＡＧごとに第１のＰＤＮコネクションを確立する能力をサポートしているか否かを示す識別情報（ＮＢＩＦＯＭ  Ｃａｐａｂｉｌｉｔｙ）を記憶する。言い換えれば、ＴＷＡＧ＿Ａ７４がＮＢＩＦＯＭ機能をサポートしているか否かを示す識別情報である。具体的には、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０２４５】
なお、ＮＢＩＦＯＭ機能とは、マルチアクセスＰＤＮコネクションを確立することができる機能を有する事を示す情報であっても良い。
【０２４６】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ＿Ａ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ＿Ａ７４はＮＢＩＦＯＭ機能をサポートするゲートウェイであることを意味しても良い。
【０２４７】
ＰＧＷ＿Ａ３０はＮＢＩＦＯＭ  ＣａｐａｂｉｌｉｔｙをＴＷＡＧ  ＩＤと対応付けて記憶しても良い。また、複数のＴＷＡＧに対するＮＢＩＦＯＭ  Ｃａｐａｂｉｌｉｔｙを記憶しても良い。
【０２４８】
マルチアクセスＰＤＮコネクションの場合、ＰＧＷ＿Ａ３０はＴＷＡＧ  ｃａｐａｂｉｌｉｔｙとＮｅｔｗｏｒｋ  ｃａｐａｂｉｌｉｔｙをＥＰＳベアラコンテキストに含めて記憶してもよく、又はＴＷＡＧ  ｃａｐａｂｉｌｉｔｙとＮｅｔｗｏｒｋ  ｃａｐａｂｉｌｉｔｙをＥＰＳベアラコンテキストから独立して記憶しても良い。
【０２４９】
図１０（ｅ）はＤｅｆａｕｌｔ  ＢｅａｒｅｒごとのＥＰＳベアラコンテキストである。Ｄｅｆａｕｌｔ  ＢｅａｒｅｒごとのＵＥコンテキストは、ベアラ識別情報、Ａｃｃｅｓｓ  ｎｅｔｗｏｒｋ識別情報から構成される。なお、マルチアクセスＰＤＮコネクションに対応づけられたＤｅｆａｕｌｔ  Ｂｅａｒｅｒが複数存在する場合、Ｄｅｆａｕｌｔ  ＢｅａｒｅｒごとのＥＰＳベアラコンテキストは複数存在してもよい。
【０２５０】
ベアラ情報はベアラを識別する情報である。ベアラ識別情報は、例えばＥＰＳベアラＩＤであっても良い。
【０２５１】
Ａｃｃｅｓｓ  ｎｅｔｗｏｒｋ情報はＡｃｃｅｓｓ  ｎｅｔｗｏｒｋを識別する情報である。Ａｃｃｅｓｓ  ｎｅｔｗｏｒｋ情報は３ＧＰＰアクセス又はＷＬＡＮアクセスを示す情報であってよい。
【０２５２】
図１０（ｆ）はＤｅｄｉｃａｔｅｄ  ＢｅａｒｅｒごとのＥＰＳベアラコンテキストである。Ｄｅｄｉｃａｔｅｄ  ＢｅａｒｅｒごとのＥＰＳベアラコンテキストには転送路識別情報、Ｒｏｕｔｉｎｇ  Ｒｕｌｅが含まれている。なお、マルチアクセスＰＤＮコネクションに対応づけられたベアラが複数存在する場合、Ｄｅｄｉｃａｔｅｄ  ＢｅａｒｅｒごとのＥＰＳベアラコンテキストは複数存在してもよい。
【０２５３】
Ｒｏｕｔｉｎｇ  Ｒｕｌｅは、Ｒｏｕｔｉｎｇ  Ｆｉｌｔｅｒ及び又は、Ｒｏｕｔｉｎｇ  Ａｃｃｅｓｓ  Ｉｎｆｏｒｍａｔｉｏｎ及び又は、Ｒｏｕｔｉｎｇ  Ｒｕｌｅ  Ｐｒｉｏｒｉｔｙ及び又は、Ｒｏｕｔｉｎｇ  Ｒｕｌｅ  ｉｄｅｎｔｉｆｉｅｒを含む情報であってよい。Ｒｏｕｔｉｎｇ  Ｒｕｌｅの一例を図１０（ｇ）に示す。
【０２５４】
ここで、Ｒｏｕｔｉｎｇ  Ｒｕｌｅ  ｉｄｅｎｔｉｆｉｅｒは、ＰＤＮコネクションに対応づけられたＲｏｕｔｉｎｇ  Ｒｕｌｅを識別する情報であってよい。なお、Ｒｏｕｔｉｎｇ  Ｒｕｌｅ  ｉｄｅｎｔｉｆｉｅｒはベアラ識別情報と同じ情報であってもよい。
【０２５５】
Ｒｏｕｔｉｎｇ  ＦｉｌｔｅｒはＩＰヘッダー及び又はアプリケーションＩＤ及び又はＴＦＴを含む情報であってもよい。ＰＧＷ＿Ａ３０は、Ｒｏｕｔｉｎｇ  ＦｉｌｔｅｒにＩＰヘッダーを含めることでＩＰフローを切り替えても良い。又は、ＰＧＷ＿Ａ３０は、Ｒｏｕｔｉｎｇ  ＦｉｌｔｅｒにアプリケーションＩＤを含めることで、アプリケーションごとにフローを切り替えても良い。又は、ＰＧＷ＿Ａ３０は、Ｒｏｕｔｉｎｇ  ＦｉｌｔｅｒにＴＦＴを含めることで、ＴＦＴに基づいてＩＰフローを切り替えても良い。
【０２５６】
Ｒｏｕｔｉｎｇ  Ａｃｃｅｓｓ  Ｉｎｆｏｒｍａｔｉｏｎは、ＩＰフローが経由するアクセスネットワークを示す情報であってよい。例えば、Ｒｏｕｔｉｎｇ  Ａｃｃｅｓｓ  Ｉｎｆｏｒｍａｔｉｏｎに３ＧＰＰ、又はＷＬＡＮを含めてもよい。Ｒｏｕｔｉｎｇ  Ａｃｃｅｓｓ  Ｉｎｆｏｒｍａｔｉｏｎは、Ｒｏｕｔｉｎｇ  ａｃｃｅｓｓ  ｔｙｐｅであってもよい。
【０２５７】
Ｒｏｕｔｉｎｇ  Ｒｕｌｅ  ＰｒｉｏｒｉｔｙはＲｏｕｔｉｎｇ  Ｒｕｌｅの優先度を示す情報であってもよい。
【０２５８】
また、Ｒｏｕｔｉｎｇ  ＲｕｌｅはＲｏｕｔｉｎｇ  ａｄｄｒｅｓｓを含んでいてもよい。Ｒｏｕｔｉｎｇ  ａｄｄｒｅｓｓは経由可能なＩＰアドレスを示す情報であってよい。例えば、ＳＧＷ＿Ａ３５のＩＰアドレスであっても良い。又はＴＷＡＧ＿Ａ７４のＩＰアドレスであってもよい。又はＴＷＡＧ＿Ａ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０２５９】
Ｒｏｕｔｉｎｇ  ＲｕｌｅはＵＥ＿Ａ１０やＰＣＲＦ＿Ａ６０から通知されても良い。又は、ＰＧＷ＿Ａ３０が事前にデフォルト値として記憶していた値であっても良い。
【０２６０】
また、Ｒｏｕｔｉｎｇｕ  Ｒｕｌｅには複数のルール（規則）が記憶されていても良い。更に、Ｒｏｕｔｉｎｇ  ｒｕｌｅは、各ルールに優先順位が含まれていても良い。
【０２６１】
［１．２．５．ＰＣＲＦ構成］
次に、ＰＣＲＦ＿Ａ６０の構成について説明する。図１１はＰＣＲＦ＿Ａ６０の装置構成を示す。図に示すように、ＰＣＲＦ＿Ａ６０はネットワーク接続部＿Ａ１１２０と、制御部＿Ａ１１００と記憶部＿Ａ１１４０で構成されている。ネットワーク接続部＿Ａ１１２０と記憶部＿Ａ１１４０は、制御部＿Ａ１１００と、バスを介して接続されている。
【０２６２】
制御部＿Ａ１１００はＰＣＲＦ＿Ａ６０を制御するための機能部である。制御部＿Ａ１１００は、記憶部＿Ａ１１４０に記憶されている各種プログラムを読みだして実行することにより各種処理を実現する。
【０２６３】
ネットワーク接続部＿Ａ１１２０は、ユーザデータ及び又は制御メッセージを送受信するデータ送受信部であり、ＰＣＲＦ＿Ａ６０が、ＰＧＷ＿Ａ３０及び又はＴＷＡＧ＿Ａ７４及び又はＡＡＡ＿Ａ５５と接続するための機能部である。ネットワーク接続部＿Ａ１１２０は、送信部と受信部で構成されてもよい。
【０２６４】
記憶部＿Ａ１１４０は、ＰＣＲＦ＿Ａ６０の各動作に必要なプログラムや、データ等を記憶する機能部である。記憶部＿Ａ９４０は、例えば、半導体メモリや、ＨＤＤ（Ｈａｒｄ  Ｄｉｓｋ  Ｄｒｉｖｅ）等により構成されている。
【０２６５】
記憶部＿Ａ１１４０は、図に示すように、ＵＥコンテキスト＿Ａ１１４２を記憶する。なお、ＵＥコンテキスト＿Ａ１１４２は、ＵＥごとに記憶されるＵＥコンテキストと、ＰＤＮコネクションごとに記憶されるＵＥコンテキストと、転送路及び又はベアラごとのＵＥコンテキストに分類される。転送路及び又はベアラごとのＵＥコンテキストは、Ｄｅｆａｕｌｔ  ＢｅａｒｅｒごとのＵＥコンテキストとＤｅｄｉｃａｔｅｄ  ＢｅａｒｅｒごとのＵＥコンテキストから構成されてもよい。
【０２６６】
図１２（ａ）にＵＥごとのＵＥコンテキストを示す。図に示すように、コンテキストには少なくともＳｕｂｓｃｒｉｂｅｒ  ＩＤとＵＥ  ＮＢＩＦＯＭ  Ｃａｐａｂｉｌｉｔｙを含める。
【０２６７】
Ｓｕｂｓｃｒｉｂｅｒ  ＩＤは、ユーザの識別情報である。例えばＩＭＳＩであっても良い。
【０２６８】
ＵＥ  ＮＢＩＦＯＭ  ｃａｐａｂｉｌｉｔｙは、ＵＥ＿Ａ１０のＮＢＩＦＯＭ  ｃａｐａｂｉｌｉｔｙである。ＵＥ  ＮＢＩＦＯＭ  ｃａｐａｂｉｌｉｔｙは、ＵＥごとに第１のＰＤＮコネクションを確立する能力をサポートしているか否かを示す識別情報である。言い換えれば、ＵＥ  ＮＢＩＦＯＭ  ｃａｐａｂｉｌｉｔｙは、ＵＥ＿Ａ１０がＮＢＩＦＯＭ機能をサポートするか否かを示す識別情報である。より具体的には、例えば、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０２６９】
又は、ＵＥ  ＮＢＩＦＯＭ  ｃａｐａｂｉｌｉｔｙは、ＵＥ＿Ａ１０が第１のＰＤＮコネクションを確立する能力があることを示す識別情報であっても良い。つまり、ＵＥ  ＮＢＩＦＯＭ  ｃａｐａｂｉｌｉｔｙが存在することでＵＥ＿Ａ１０が第１のＰＤＮコネクションを確立する機能を持つことを意味しても良い。
【０２７０】
言い換えれば、ＵＥ＿Ａ１０がＮＢＩＦＯＭ機能をサポートすることを示す識別情報であっても良い。つまり、記憶部＿Ａ１１００にＵＥ  ＮＢＩＦＯＭ  ｃａｐａｂｉｌｉｔｙが存在することでＵＥ＿Ａ１０がＮＢＩＦＯＭ機能をサポートすることを意味しても良い。
【０２７１】
また、ＵＥ＿Ａ１０は１又は複数のＰＤＮコネクションを確立することができる。ＰＣＲＦ＿Ａ６０は、ＵＥ＿Ａ１０が確立するＰＤＮコネクション毎に、ＰＤＮコネクションに対応づけられた情報を記憶してもよい。図１２（ｂ）を用いて、ＰＤＮコネクションごとのＵＥコンテキストの一例を説明する。図に示すように、ＰＤＮコネクションごとのＵＥコンテキストには少なくともＰＤＮ  ｃｏｎｎｅｃｔｉｏｎ  ＩＤ、ＡＰＮ、Ｏｐｅｒａｔｉｏｎ  ｍｏｄｅ、Ｎｅｔｗｏｒｋ  Ｐｏｌｉｃｙ、Ｃｈａｒｇｉｎｇ  Ｒｕｌｅ、ＰＣＣ  Ｒｕｌｅ、ＱｏＳ  Ｒｕｌｅを含めても良い。
【０２７２】
さらに、ＰＤＮコネクションごとのＵＥコンテキストには、Ｄｅｆａｕｌｔ  Ｂｅａｒｅｒ及び又はデフォルトアクセス（Ｄｅｆａｕｌｔ  Ａｃｃｅｓｓ）を含めてもよい。
【０２７３】
ＡＰＮは、ＤＮＳの命名規則に従い、ネットワークのアクセス先を示すラベルである。
【０２７４】
Ｏｐｅｒａｔｉｏｎ  ｍｏｄｅは、ＰＤＮコネクションが第１のＰＤＮコネクションである場合、データの送受信を主導する、又は通信制御を開始できるのがＵＥ＿Ａ１０であるのか又はネットワークであるのかを示すモードの識別情報である。
【０２７５】
より具体的には、例えば、ＵＥ＿Ａ１０から通信制御を開始できるＯｐｅｒａｔｉｏｎ  ｍｏｄｅはＵＥｉｎｉｔｉａｔｅｄ  ｍｏｄｅであっても良い。
【０２７６】
また、ネットワーク及び又はＰＧＷ＿Ａ３０及び又はＰＣＲＦ＿Ａ６０から通信制御を開始できるＯｐｅｒａｔｉｏｎ  ｍｏｄｅはＮｅｔｗｏｒｋ  ｉｎｉｔｉａｔｅｄ  ｍｏｄｅであっても良い。
【０２７７】
Ｎｅｔｗｏｒｋ  Ｐｏｌｉｃｙは、ネットワーク側での通信制御ポリシーであり、Ｎｅｔｗｏｒｋ  ａｌｌｏｗｅｄ  ｍｏｄｅが含まれていても良い。又は、ＰＣＲＦ＿Ａ６０はＮｅｔｗｏｒｋ  ａｌｌｏｗｅｄ  ｍｏｄｅをＮｅｔｗｏｒｋ  Ｐｏｌｉｃｙとは別に記憶しても良い。
【０２７８】
Ｃｈａｒｇｉｎｇ  Ｒｕｌｅは課金に関する規則である。ＰＣＲＦ＿Ａ６０が決定したＣｈａｒｇｉｎｇ  Ｒｕｌｅに基づきＰＣＥＦが課金を行う。
【０２７９】
ＰＣＣ  ＲｕｌｅはＮｅｔｗｏｒｋ  ＰｏｌｉｃｙとＣｈａｒｇｉｎｇ  Ｒｕｌｅの制御にかかわる規則である。ＰＣＣ  Ｒｕｌｅに基づき、ＰＣＥＦは通信制御及び課金を行う。
【０２８０】
ＱｏＳ  Ｒｕｌｅは、フローのＱｏＳに関わる規則である。ＱｏＳ  ＲｕｌｅはＰＣＣ  Ｒｕｌｅと対応付けられていても良い。
【０２８１】
Ｄｅｆａｕｌｔ  Ｂｅａｒｅｒは、このＰＤＮコネクションでのデフォルトベアラを識別するベアラ識別情報である。
【０２８２】
なお、ＰＤＮコネクションがマルチアクセスＰＤＮコネクションの場合には、ＰＤＮコネクションに対して複数のデフォルトベアラを確立してもよい。したがって、マルチアクセスＰＤＮコネクションに対しては複数のデフォルトベアラを対応づけて管理してもよい。具体的には、マルチアクセスＰＤＮコネクションに対して各デフォルトベアラに対応するベアラ識別情報を対応づけて管理してもよい。
【０２８３】
さらに、ＰＣＲＦ＿Ａ６０はデフォルトベアラとアクセスネットワークを対応づけて管理してもよい。
【０２８４】
具体的には、ＰＣＲＦ＿Ａ６０は、アクセスネットワークＡに対するデフォルトベアラと、アクセスネットワークＢに対するデフォルトベアラのそれぞれを識別するベアラ識別情報を記憶してもよい。ここでアクセスネットワークに対するデフォルトベアラとは、アクセスネットワークのアクセスシステムに対するデフォルトベアラであってよい。したがって、ＰＣＲＦ＿Ａ６０は、３ＧＰＰアクセスに対するデフォルトベアラと、ＷＬＡＮアクセスに対するデフォルトベアラをマルチアクセスＰＤＮコネクションに対応づけて記憶してもよい。
【０２８５】
また、マルチアクセスＰＤＮに対するデフォルトベアラは、確立しているデフォルトベアラであってよい。言い換えると、マルチアクセスＰＤＮコネクションに対して一つのデフォルトベアラのみを確立している状態では、ＰＣＲＦ＿Ａ６０はマルチアクセスＰＤＮコネクションに対して一つのデフォルトベアラを記憶し、マルチアクセスＰＤＮコネクションに対して二つのデフォルトベアラを確立している状態では、ＰＣＲＦ＿Ａ６０はマルチアクセスＰＤＮコネクションに対して二つのデフォルトベアラを記憶してもよい。
【０２８６】
なお、ＰＤＮコネクションがマルチアクセスＰＤＮコネクションの場合、ＰＣＲＦ＿Ａ６０は、Ｄｅｆａｕｌｔ  ＢｅａｒｅｒをＤｅｆａｕｌｔ  ＢｅａｒｅｒごとのＵＥコンテキストとして記憶してもよい。
【０２８７】
次に、デフォルトアクセスは、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０２８８】
もしくは、３ＧＰＰアクセスは更に詳細な情報であってもよい。例えば、３ＧＰＰアクセスは、Ｅ−ＵＴＲＡＮアクセスか、ＵＴＲＡＮアクセスか、ＧＥＲＡＮアクセスのいずれかであってもよい。
【０２８９】
複数のデフォルトベアラを確立している場合、デフォルトアクセスに基づいてデフォルトベアラを選択し、選択したデフォルトベアラを用いてユーザデータの送受信を行っても良い。このように、デフォルトアクセスはアクセスシステム及び又はアクセスネットワークに対応づけられた情報であり、データ送受信のためにベアラを選択するための情報であってよい。
【０２９０】
なお、ＰＣＲＦ＿Ａ６０は、ＰＤＮコネクションがマルチアクセスＰＤＮコネクションである場合、及び又はＵＥ＿Ａ１０が複数のアクセスシステムに同時接続してＰＤＮコネクションに対して複数のアクセスネットワークを介して通信路を確立している場合には、ＰＣＲＦ＿Ａ６０はＰＤＮコネクションに対してデフォルトアクセスを記憶しても良い。
【０２９１】
図１２（ｃ）にＰＣＲＦ＿Ａ６０が記憶するＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷごとのＮＢＩＦＯＭ  ｃａｐａｂｉｌｉｔｙを記憶する。
【０２９２】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ＿Ａ３０がＮＢＩＦＯＭ機能をサポートしているか否かを示す識別情報である。より具体的には、例えば、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０２９３】
なお、ＮＢＩＦＯＭ機能とは、マルチアクセスＰＤＮコネクションの確立を可能とする機能を有する事を示す情報であっても良い。
【０２９４】
又は、ＮＢＩＦＯＭ  ｃａｐａｂｉｌｉｔｙは、第１のＰＤＮコネクションを確立する能力があることを示す識別情報であっても良い。言い換えれば、ＮＢＩＦＯＭ  ｃａｐａｂｉｌｉｔｙはＮＢＩＦＯＭ機能をサポートするゲートウェイであることを示す識別情報であっても良い。つまり、記憶部にＮＢＩＦＯＭ  ｃａｐａｂｉｌｉｔｙが存在することでＰＧＷ＿Ａ３０が第１のＰＤＮコネクションを確立する機能を持つゲートウェイであることを意味しても良い。言い換えれば、記憶部にＮＢＩＦＯＭ  ｃａｐａｂｉｌｉｔｙが存在することでＰＧＷ＿Ａ３０がＮＢＩＦＯＭ機能をサポートするゲートウェイであることを意味しても良い。
【０２９５】
図１２（ｃ）に示すように、ＰＣＲＦ＿Ａ６０は、ＰＧＷ  ＩＤと対応付けてＮＢＩＦＯＭ  ｃａｐａｂｉｌｉｔｙを記憶する。更に、複数のＰＧＷに対応づけて、それぞれＮＢＩＦＯＭ  ｃａｐａｂｉｌｉｔｙが記憶されても良い。
【０２９６】
ＰＧＷ  ＩＤは、ＰＧＷ＿Ａ３０を識別するための情報であればよく、例えばＡＰＮであっても良い。
【０２９７】
図１２（ｄ）はＰＣＲＦ＿Ａ６０が記憶するＴＷＡＧ  ｃａｐａｂｉｌｉｔｙの一例を示す。ＴＷＡＧ  ｃａｐａｂｉｌｉｔｙでは、ＴＷＡＧごとに第１のＰＤＮコネクションを確立する能力をサポートしているか否かを示す識別情報（ＮＢＩＦＯＭ  Ｃａｐａｂｉｌｉｔｙ）を記憶する。言い換えれば、ＴＷＡＧ＿Ａ７４がＮＢＩＦＯＭ機能をサポートしているか否かを示す識別情報である。具体的には、ＮＢＩＦＯＭ  Ｃａｐａｂｉｌｉｔｙには、“ａｌｌｏｗｅｄ”、又は”Ｎｏｔ  ａｌｌｏｗｅｄ”が含まれても良い。
【０２９８】
なお、ＮＢＩＦＯＭ機能とは、マルチアクセスＰＤＮコネクションを確立することができる機能を有する事を示す情報であっても良い。
【０２９９】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ＿Ａ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ＿Ａ７４はＮＢＩＦＯＭ機能をサポートするゲートウェイであることを意味しても良い。
【０３００】
図に示すように、ＮＢＩＦＯＭ  ｃａｐａｂｉｌｉｔｙは、ＴＷＡＧの識別情報であるＴＷＡＧ  ＩＤと対応づけられて記憶されても良い。ＴＷＡＧ  ＩＤと対応づけられていない場合、ＮＢＩＦＯＭ  Ｃａｐａｂｉｌｉｔｙは、記憶するＴＷＡＧの能力を意味しても良い。
【０３０１】
ＴＷＡＧ  ＩＤとＮＢＩＦＯＭ  ｃａｐａｂｉｌｉｔｙが対応付けて記憶されている場合、ＰＣＲＦ＿Ａ６０は複数のＴＷＡＧのＴＷＡＧ  ｃａｐａｂｉｌｉｔｙを記憶しても良い。
【０３０２】
マルチアクセスＰＤＮコネクションの場合、ＰＣＲＦ＿Ａ６０はＴＷＡＧ  ｃａｐａｂｉｌｉｔｙとＮｅｔｗｏｒｋ  ｃａｐａｂｉｌｉｔｙをＵＥコンテキストに含めて記憶してもよく、又はＴＷＡＧ  ｃａｐａｂｉｌｉｔｙとＮｅｔｗｏｒｋ  ｃａｐａｂｉｌｉｔｙをＵＥコンテキストから独立して記憶しても良い。
【０３０３】
図１２（ｅ）はＤｅｆａｕｌｔ  ＢｅａｒｅｒごとのＵＥコンテキストである。Ｄｅｆａｕｌｔ  ＢｅａｒｅｒごとのＵＥコンテキストにはベアラ識別情報、Ａｃｃｅｓｓ  ｎｅｔｗｏｒｋ識別情報が含まれている。なお、マルチアクセスＰＤＮコネクションに対応づけられたＤｅｆａｕｌｔ  Ｂｅａｒｅｒが複数存在する場合、Ｄｅｆａｕｌｔ  ＢｅａｒｅｒごとのＵＥコンテキストは複数存在してもよい。
【０３０４】
ベアラ情報はベアラを識別する情報である。ベアラ識別情報は、例えばＥＰＳベアラＩＤであっても良い。
【０３０５】
Ａｃｃｅｓｓ  ｎｅｔｗｏｒｋ情報はＡｃｃｅｓｓ  ｎｅｔｗｏｒｋを識別する情報である。Ａｃｃｅｓｓ  ｎｅｔｗｏｒｋ情報は３ＧＰＰアクセス又はＷＬＡＮアクセスを示す情報であってよい。
【０３０６】
図１２（ｆ）はＤｅｄｉｃａｔｅｄ  ＢｅａｒｅｒごとのＵＥコンテキストである。Ｄｅｄｉｃａｔｅｄ  ＢｅａｒｅｒごとのＵＥコンテキストには転送路識別情報、Ｒｏｕｔｉｎｇ  Ｒｕｌｅが含まれている。なお、マルチアクセスＰＤＮコネクションに対応づけられたベアラが複数存在する場合、Ｄｅｄｉｃａｔｅｄ  ＢｅａｒｅｒごとのＵＥコンテキストは複数存在してもよい。
【０３０７】
Ｒｏｕｔｉｎｇ  Ｒｕｌｅは、Ｒｏｕｔｉｎｇ  Ｆｉｌｔｅｒ及び又は、Ｒｏｕｔｉｎｇ  Ａｃｃｅｓｓ  Ｉｎｆｏｒｍａｔｉｏｎ及び又は、Ｒｏｕｔｉｎｇ  Ｒｕｌｅ  Ｐｒｉｏｒｉｔｙ及び又は、Ｒｏｕｔｉｎｇ  Ｒｕｌｅ  ｉｄｅｎｔｉｆｉｅｒを含む情報であってよい。Ｒｏｕｔｉｎｇ  Ｒｕｌｅの一例を図１２（ｇ）に示す。
【０３０８】
ここで、Ｒｏｕｔｉｎｇ  Ｒｕｌｅ  ｉｄｅｎｔｉｆｉｅｒは、ＰＤＮコネクションに対応づけられたＲｏｕｔｉｎｇ  Ｒｕｌｅを識別する情報であってよい。なお、Ｒｏｕｔｉｎｇ  Ｒｕｌｅ  ｉｄｅｎｔｉｆｉｅｒはベアラ識別情報と同じ情報であってもよい。
【０３０９】
Ｒｏｕｔｉｎｇ  ＦｉｌｔｅｒはＩＰヘッダー及び又はアプリケーションＩＤ及び又はＴＦＴを含む情報であってもよい。Ｒｏｕｔｉｎｇ  ＦｉｌｔｅｒにＩＰヘッダーを含めることでＩＰフローを切り替えても良い。又は、Ｒｏｕｔｉｎｇ  ＦｉｌｔｅｒにアプリケーションＩＤを含めることで、アプリケーションごとにフローを切り替えても良い。又は、Ｒｏｕｔｉｎｇ  ＦｉｌｔｅｒにＴＦＴを含めることで、ＴＦＴに基づいてＩＰフローを切り替えても良い。
【０３１０】
Ｒｏｕｔｉｎｇ  Ａｃｃｅｓｓ  Ｉｎｆｏｒｍａｔｉｏｎは、ＩＰフローが経由するアクセスネットワークを示す情報であってよい。例えば、Ｒｏｕｔｉｎｇ  Ａｃｃｅｓｓ  Ｉｎｆｏｒｍａｔｉｏｎに３ＧＰＰ、又はＷＬＡＮを含めてもよい。Ｒｏｕｔｉｎｇ  Ａｃｃｅｓｓ  Ｉｎｆｏｒｍａｔｉｏｎは、Ｒｏｕｔｉｎｇ  ａｃｃｅｓｓ  ｔｙｐｅであってもよい。
【０３１１】
Ｒｏｕｔｉｎｇ  Ｒｕｌｅ  ＰｒｉｏｒｉｔｙはＲｏｕｔｉｎｇ  Ｒｕｌｅの優先度を示す情報であってもよい。
【０３１２】
また、Ｒｏｕｔｉｎｇ  ＲｕｌｅはＲｏｕｔｉｎｇ  ａｄｄｒｅｓｓを含んでいてもよい。Ｒｏｕｔｉｎｇ  ａｄｄｒｅｓｓは経由可能なＩＰアドレスを示す情報であってよい。例えば、ＳＧＷ＿Ａ３５のＩＰアドレスであっても良い。又はＴＷＡＧ＿Ａ７４のＩＰアドレスであってもよい。又はＴＷＡＧ＿Ａ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０３１３】
Ｒｏｕｔｉｎｇ  ＲｕｌｅはＵＥ＿Ａ１０やＰＧＷ＿Ａ３０から通知されても良い。又は、ＰＣＲＦ＿Ａ６０が事前にデフォルト値として記憶していた値であっても良い。
【０３１４】
また、Ｒｏｕｔｉｎｇｕ  Ｒｕｌｅには複数のルール（規則）が記憶されていても良い。更に、Ｒｏｕｔｉｎｇ  ｒｕｌｅは、各ルールに優先順位が含まれていても良い。
【０３１５】
［１．２．６．ｅＰＤＧ構成］
図１３はｅＰＤＧ＿Ａ６５の装置構成を示す。図に示すように、ｅＰＤＧ＿Ａ６５はネットワーク接続部＿Ａ１３２０と、制御部＿Ａ１３００と記憶部＿Ａ１３４０で構成されている。ネットワーク接続部＿Ａ１３２０と記憶部＿Ａ１３４０は制御部＿Ａ１３００と、バスを介して接続されている。
【０３１６】
制御部＿Ａ１３００はｅＰＤＧ＿Ａ６５を制御するための機能部である。制御部＿Ａ１３００は、記憶部＿Ａ１３４０に記憶されている各種プログラムを読みだして実行することにより各種処理を実現する。
【０３１７】
ネットワーク接続部＿Ａ１３２０はユーザデータ及び又は制御メッセージを送受信するデータ送受信部であり、ｅＰＤＧ＿Ａ６５が、ＰＧＷ＿Ａ３０と接続するための機能部である。ネットワーク接続部＿Ａ１３２０は、送信部と受信部で構成されてもよい。
【０３１８】
記憶部＿Ａ１３４０は、ｅＰＤＧ＿Ａ６５の各動作に必要なプログラムや、データ等を記憶する機能部である。記憶部＿Ａ１３４０は、例えば、半導体メモリや、ＨＤＤ（Ｈａｒｄ  Ｄｉｓｋ  Ｄｒｉｖｅ）等により構成されている。
【０３１９】
図１３に示すように、記憶部＿Ａ１３４０はｅＰＤＧ  Ｃａｐａｂｉｌｉｔy＿Ａ１３４２と、Ｎｅｔｗｏｒｋ  ｃａｐａｂｉｌｉｔｙ＿Ａ１３４４とＥＰＳベアラコンテキスト＿Ａ１３４６を記憶する。以下、記憶部＿Ａ１３４０で記憶される情報要素について説明する。
【０３２０】
図１４に、記憶部＿Ａ１３４０で記憶される情報要素を示す。図１４（ａ）はｅＰＤＧ＿Ａ６５が記憶するｅＰＤＧ  Ｃａｐａｂｉｌｉｔy＿Ａ１３４２の一例を示す。ｅＰＤＧ  Ｃａｐａｂｉｌｉｔy＿Ａ１３４２には、ｅＰＤＧごとに第１のＰＤＮコネクションを確立する能力をサポートしているか否かを示す識別情報（ＮＢＩＦＯＭ  Ｃａｐａｂｉｌｉｔｙ）が記憶されてよい。言い換えれば、ｅＰＤＧ  Ｃａｐａｂｉｌｉｔy＿Ａ１３４２はｅＰＤＧ＿Ａ６５がＮＢＩＦＯＭ機能をサポートしているか否かを示す識別情報であってよい。
【０３２１】
なお、ＮＢＩＦＯＭ機能とは、マルチアクセスＰＤＮコネクションを確立することができる機能を有する事を示す情報であっても良い。
【０３２２】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでｅＰＤＧ＿Ａ６５が第１のＰＤＮコネクションを確立する機能を持つゲートウェイであることを意味しても良い。言い換えれば、記憶部＿Ａ１３４０にＮＢＩＦＯＭ  ｃａｐａｂｉｌｉｔｙが存在することで、ｅＰＤＧ＿Ａ６５はＮＢＩＦＯＭ機能をサポートするゲートウェイであることを意味しても良い。具体的には、ＮＢＩＦＯＭ  Ｃａｐａｂｉｌｉｔｙは“ａｌｌｏｗｅｄ”又は”Ｎｏｔ  ａｌｌｏｗｅｄ”が含まれても良い。
【０３２３】
図１４（ａ）に示すように、ＮＢＩＦＯＭ  ｃａｐａｂｉｌｉｔｙは、ｅＰＤＧ＿Ａ６５の識別情報ｅＰＤＧ  ＩＤと対応づけられて記憶されても良い。ｅＰＤＧ  ＩＤと対応づけられていない場合、ＮＢＩＦＯＭ  Ｃａｐａｂｉｌｉｔｙは、記憶するｅＰＤＧ＿Ａ６５の能力を意味してもよい。
【０３２４】
ｅＰＤＧ  ＩＤとＮＢＩＦＯＭ  ｃａｐａｂｉｌｉｔｙが対応付けて記憶されている場合、ｅＰＤＧ＿Ａ６５は複数のｅＰＤＧのｅＰＤＧ  ｃａｐａｂｉｌｉｔｙを記憶しても良い。
【０３２５】
この場合、ＵＥ＿Ａ１０が他のｅＰＤＧへハンドオーバーする際に、ｅＰＤＧ＿Ａ６５がｅＰＤＧ  ｃａｐａｂｉｌｉｔｙ＿Ａ１３４２に基づきハンドオーバー先のｅＰＤＧを選択しても良い。
【０３２６】
次に、Ｎｅｔｗｏｒｋ  ｃａｐａｂｉｌｉｔｙ＿Ａ１３４４について説明する。図１４（ｂ）はｅＰＤＧ＿Ａ６５が記憶するＮｅｔｗｏｒｋ  ｃａｐａｂｉｌｉｔｙ＿Ａ１３４４の一例を示す。Ｎｅｔｗｏｒｋ  ｃａｐａｂｉｌｉｔｙ＿Ａ１３４４では、ネットワークごと、つまりＰＧＷごとのＮＢＩＦＯＭ  ｃａｐａｂｉｌｉｔｙを記憶する。
【０３２７】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ＿Ａ３０がＮＢＩＦＯＭ機能をサポートしているか否かを示す識別情報である。より具体的には、例えば、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０３２８】
なお、ＮＢＩＦＯＭ機能とは、マルチアクセスＰＤＮコネクションを確立することができる機能を有する事を示す情報であっても良い。
【０３２９】
又は、ＮＢＩＦＯＭ  ｃａｐａｂｉｌｉｔｙは、第１のＰＤＮコネクションを確立する能力があることを示す識別情報であっても良い。言い換えれば、ＮＢＩＦＯＭ  ｃａｐａｂｉｌｉｔｙはＮＢＩＦＯＭ機能をサポートするゲートウェイであることを示す識別情報であっても良い。つまり、記憶部＿Ａ１３００にＮＢＩＦＯＭ  ｃａｐａｂｉｌｉｔｙが存在することでＰＧＷ＿Ａ３０が第１のＰＤＮコネクションを確立する機能を持つゲートウェイであることを意味しても良い。言い換えれば、記憶部＿Ａ１３００にＮＢＩＦＯＭ  ｃａｐａｂｉｌｉｔｙが存在することでＰＧＷ＿Ａ３０がＮＢＩＦＯＭ機能をサポートするゲートウェイであることを意味しても良い。
【０３３０】
図１４（ｂ）に示すように、ｅＰＤＧ＿Ａ６５は、ＰＧＷ  ＩＤと対応付けてＮＢＩＦＯＭ  ｃａｐａｂｉｌｉｔｙを記憶してよい。更に、図に示すように、複数のＰＧＷに対応づけて、それぞれＮＢＩＦＯＭ  ｃａｐａｂｉｌｉｔｙが記憶されても良い。
【０３３１】
ＰＧＷ  ＩＤは、ＰＧＷを識別するための情報であればよく、例えばＡＰＮ（Ａｃｃｅｓｓ  Ｐｏｉｎｔ  Ｎａｍｅ）であっても良い。
【０３３２】
次に、ＥＰＳベアラコンテキスト＿Ａ１３４６について説明する。ＥＰＳベアラコンテキスト＿Ａ１３４６は、ＵＥごとに記憶されるＵＥごとのＥＰＳベアラコンテキストと、ＰＤＮコネクションごとのＥＰＳベアラコンテキストとベアラ及び又は転送路ごとのＥＰＳベアラコンテキストに分類されても良い。
【０３３３】
図１４（ｃ）はＵＥごとのＥＰＳベアラコンテキストに含まれる情報要素を示す。図から分かるように、ｅＰＤＧ＿Ａ６５はＵＥごとにＵＥ  ＮＢＩＦＯＭ  ｃａｐａｂｉｌｉｔｙ、ＮＢＩＦＯＭ  ａｌｌｏｗｅｄを記憶する。
【０３３４】
ＵＥ  ＮＢＩＦＯＭ  ｃａｐａｂｉｌｉｔｙは、ＵＥのＮＢＩＦＯＭ  ｃａｐａｂｉｌｉｔｙである。ＵＥ  ＮＢＩＦＯＭ  ｃａｐａｂｉｌｉｔｙは、ＵＥごとに第１のＰＤＮコネクションを確立する能力をサポートしているか否かを示す識別情報である。言い換えれば、ＵＥ  ＮＢＩＦＯＭ  ｃａｐａｂｉｌｉｔｙは、ＵＥがＮＢＩＦＯＭ機能をサポートするか否かを示す識別情報である。より具体的には、例えば、ＵＥ  ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０３３５】
なお、ＮＢＩＦＯＭ機能とは、マルチアクセスＰＤＮコネクションを確立することができる機能を有する事を示す情報であっても良い。
【０３３６】
又は、ＵＥ  ＮＢＩＦＯＭ  ｃａｐａｂｉｌｉｔｙは、ＵＥが第１のＰＤＮコネクションを確立する能力があることを示す識別情報であっても良い。つまり、ＵＥ  ＮＢＩＦＯＭ  ｃａｐａｂｉｌｉｔｙが存在することでＵＥが第１のＰＤＮコネクションを確立する機能を持つことを意味しても良い。
【０３３７】
言い換えれば、ＵＥがＮＢＩＦＯＭ機能をサポートすることを示す識別情報であっても良い。つまり、記憶部にＵＥ  ＮＢＩＦＯＭ  ｃａｐａｂｉｌｉｔｙが存在することでＵＥがＮＢＩＦＯＭ機能をサポートすることを意味しても良い。
【０３３８】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていても良い。ＮＢＩＦＯＭ  ａｌｌｏｗｅｄは複数のＡＰＮと対応付けられていても良い。
【０３３９】
本実施形態ではＡＰＮ１はＮＢＩＦＯＭ  ａｌｌｏｗｅｄに対応付けられている。つまり、ＡＰＮ１はマルチアクセスＰＤＮコネクションを確立することが許可されている。言い換えれば、本実施形態ではＵＥ＿Ａ１０はＡＰＮ１を用いてマルチアクセスＰＤＮコネクションを確立することが許可されている。なお、ＡＰＮ１はマルチアクセスＰＤＮコネクションではなく、従来のＰＤＮコネクションを確立する事も許可されている。
【０３４０】
更に、本実施形態ではＡＰＮ２はＮＢＩＦＯＭ  ａｌｌｏｗｅｄに対応付けられていない。つまり、本実施形態ではＡＰＮ２はマルチアクセスＰＤＮコネクションを確立することが許可されていない。つまり、本実施形態ではＵＥ＿Ａ１０はＡＰＮ２を用いて、マルチアクセスＰＤＮコネクションを確立することはできない。
【０３４１】
ＮＢＩＦＯＭ  ａｌｌｏｗｅｄはＰＤＮコネクション確立前に記憶されていても良い。
【０３４２】
ｅＰＤＧ＿Ａ６５は、ＰＤＮコネクション確立前及び又は確立手続き中に、ＨＳＳ＿Ａ５０にアクセスしＮＢＩＦＯＭ  ａｌｌｏｗｅｄを取得しても良い。
【０３４３】
また、ＵＥごとのＥＰＳベアラコンテキストにはＵＥの識別情報が含まれていても良い。ＵＥの識別情報はＩＭＳＩであっても良い。
【０３４４】
また、図１４（ｄ）にＰＤＮコネクションごとのＥＰＳベアラコンテキストを示す。ＰＤＮコネクションごとのＥＰＳベアラコンテキストは、ＰＤＮ  ｃｏｎｎｅｃｔｉｏｎ  ＩＤとＮｅｔｗｏｒｋ  ａｌｌｏｗｅｄ  ｍｏｄｅとＯｐｅｒａｔｉｏｎ  ｍｏｄｅとＵｓｅｒ  ｐｌａｎｅ  ｃｏｎｎｅｃｔｉｏｎ  ＩＤとｅＰＤＧ  ＭＡＣ  ａｄｄｒｅｓｓ、ＮＢＩＦＯＭ  Ｐｅｒｍｉｓｓｉｏｎを含んでいる(が含まれる)。
【０３４５】
ＰＤＮ  ｃｏｎｎｅｃｔｉｏｎ  ＩＤは、ＰＤＮコネクションを識別するための識別情報である。本実施形態では、ＵＥ＿Ａ１０とｅＰＤＧ＿Ａ６５とＰＧＷ＿Ａ３０が同じＰＤＮ  ｃｏｎｎｅｃｔｉｏｎ  ＩＤを記憶していてもよい。
【０３４６】
Ｏｐｅｒａｔｉｏｎ  ｍｏｄｅは、ＰＤＮ  ｃｏｎｎｅｃｔｉｏｎ  ＩＤにより識別されるＰＤＮコネクションが第１のＰＤＮコネクションである場合、データの送受信を主導する、又は通信制御を開始できるのがＵＥであるのか、ネットワークであるのかを示すモードの識別情報である。
【０３４７】
より具体的には、例えば、ＵＥから通信制御を開始できるＯｐｅｒａｔｉｏｎ  ｍｏｄｅはＵＥｉｎｉｔｉａｔｅｄ  ｍｏｄｅであってもよい。
【０３４８】
また、ネットワーク及び又はＰＧＷ＿Ａ３０及び又はＰＣＲＦ＿Ａ６０から通信制御を開始できるＯｐｅｒａｔｉｏｎ  ｍｏｄｅはＮｅｔｗｏｒｋ  ｉｎｉｔｉａｔｅｄ  ｍｏｄｅであってもよい。
【０３４９】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥｉｎｉｔｉａｔｅｄ  ｍｏｄｅ、又はＮｅｔｗｏｒｋ  ｉｎｉｔｉａｔｅｄ  ｍｏｄｅ、又はこれら両方を含めても良い。
【０３５０】
Ｕｓｅｒ  ｐｌａｎｅ  ｃｏｎｎｅｃｔｉｏｎ  ＩＤは、ＵＥがｅＰＤＧ＿Ａ６５を介した通信路を確立した場合のユーザデータの伝送に用いる接続を識別する識別情報である。
【０３５１】
ｅＰＤＧ  ＭＡＣ  ａｄｄｒｅｓｓはｅＰＤＧの物理アドレスである。
【０３５２】
ＮＢＩＦＯＭ  ｐｅｒｍｉｓｓｉｏｎは、ＰＤＮ  ｃｏｎｎｅｃｔｉｏｎ  ＩＤにより識別される、このＰＤＮコネクションがマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０３５３】
つまり、ｅＰＤＧ＿Ａ６５がＮＢＩＦＯＭ  ｐｅｒｍｉｓｓｉｏｎを記憶することで、このＰＤＮコネクションは第１のＰＤＮコネクションであることを意味する。
【０３５４】
ＮＢＩＦＯＭ  ｐｅｒｍｉｓｓｉｏｎは、ＰＤＮコネクションを確立することにより、ｅＰＤＧ＿Ａ６５が記憶する識別情報である。
【０３５５】
ｅＰＤＧ＿Ａ６５はＰＤＮコネクション確立中に、ＨＳＳ＿Ａ５０にアクセスしＮＢＩＦＯＭ  ｐｅｒｍｉｓｓｉｏｎを取得しても良い。又は、マルチアクセスＰＤＮコネクションが確立されたことに基づき、ｅＰＤＧ＿Ａ６５はＮＢＩＦＯＭ  Ｐｅｒｍｉｓｓｉｏｎを記憶しても良い。
【０３５６】
次に、ベアラ及び又は転送路ごとのＥＰＳベアラコンテキストについて説明する。図１４（ｅ）に示すように、ベアラ及び又は転送路ごとのＥＰＳベアラコンテキストには、転送路識別情報とＲｏｕｔｉｎｇ  Ｒｕｌｅが含まれても良い。
【０３５７】
転送路識別情報は転送路及び又はベアラを識別する情報である。転送路識別情報は、例えばＥＰＳベアラＩＤであっても良い。
【０３５８】
Ｒｏｕｔｉｎｇ  ＲｕｌｅはＲｏｕｔｉｎｇ  Ｆｉｌｔｅｒと、Ｒｏｕｔｉｎｇ  ａｄｄｒｅｓｓ又はＲｏｕｔｉｎｇ  ａｃｃｅｓｓ  ｔｙｐｅの対応付けを示す。この対応付けに基づき、３ＧＰＰのアクセスネットワークを介した通信路を用いるか、ＷＬＡＮのアクセスネットワークを介した通信路を用いるかが決定される。
【０３５９】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０３６０】
また、Ｒｏｕｔｉｎｇ  ａｄｄｒｅｓｓは経由可能なＩＰアドレスを示す。例えば、ＳＧＷ＿Ａ３５のＩＰアドレスであっても良い。又はｅＰＤＧ＿Ａ６５のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０３６１】
Ｒｏｕｔｉｎｇ  ＲｕｌｅはＰＧＷやＰＣＲＦ＿Ａ６０から通知されても良いし、ＵＥ＿Ａ１０から通知されても良い。又はｅＰＤＧ＿Ａ６５が事前にデフォルト値として記憶していた値であっても良い。
【０３６２】
Ｒｏｕｔｉｎｇ  ＦｉｌｔｅｒにはＩＰヘッダーを含めることでＩＰフローを切り替えても良い。又は、Ｒｏｕｔｉｎｇ  ＦｉｌｔｅｒにアプリケーションＩＤを含めることで、アプリケーションごとにフローを切り替えても良い。又は、ＴＦＴを含めても良い。
【０３６３】
Ｒｏｕｔｉｎｇｕ  Ｒｕｌｅには複数のルールが記憶されていてもよい。更に、Ｒｏｕｔｉｎｇ  ｒｕｌｅは、各ルールに優先順位が含まれていても良い。
【０３６４】
ｅＰＤＧ  ｃａｐａｂｉｌｉｔｙとＮｅｔｗｏｒｋ  ｃａｐａｂｉｌｉｔｙはＥＰＳベアラコンテキスト＿Ａ１３４６に含まれていても良い。
【０３６５】
［１．３．初期状態の説明］
本実施形態における初期状態について説明する。本実施形態における初期状態の例を図１に示す。
【０３６６】
本実施形態における初期状態では、ＵＥ＿Ａ１０は、アクセスネットワークＡ及びアクセスネットワークＢを介してコアネットワーク＿Ａ９０との間でマルチアクセスＰＤＮコネクションを確立している状態である。詳細には、ＵＥ＿Ａ１０は、コアネットワーク＿Ａ９０に含まれるＰＧＷ＿Ａ３０との間に、３ＧＰＰアクセスによる通信路とＷＬＡＮによる通信路とを確立したマルチアクセスＰＤＮコネクションを確立している。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０３６７】
３ＧＰＰアクセスによる通信路は、ＵＥ＿Ａ１０とコアネットワーク＿Ａ９０に含まれるＰＧＷ＿Ａ３０との間で、アクセスネットワークＡに含まれるＬＴＥの基地局ｅＮＢ＿Ａ４５とコアネットワーク＿Ａ９０に含まれるＳＧＷ＿Ａ３５を介して確立された通信路であってよい。言い換えると、３ＧＰＰアクセスによる通信路は、ＵＥ＿Ａ１０とｅＮＢ＿Ａ４５との間の転送路と、ｅＮＢ＿Ａ４５とＳＧＷ＿Ａ３５との間の転送路と、ＳＧＷ＿Ａ３５とＰＧＷ＿Ａ３０との間の転送路で構成された通信路であってもよい。また、３ＧＰＰアクセスによる通信路は、ベアラによって構成されていてもよい。
【０３６８】
ＵＥ＿Ａ１０及びＰＧＷ＿Ａ３０は、マルチアクセスＰＤＮコネクションに対応づけられた複数の３ＧＰＰアクセスによる通信路を確立してもよい。なお、ＵＥ＿Ａ１０及びＰＧＷ＿Ａ３０は、マルチアクセスＰＤＮコネクションに対応づけられた複数の３ＧＰＰアクセスによる通信路の内、最初に確立された転送路をデフォルトベアラとしてもよい。なお、ＵＥ＿Ａ１０及びＰＧＷ＿Ａ３０は、３ＧＰＰアクセスを識別する情報と対応づけてデフォルトベアラを記憶してもよい。
【０３６９】
ＷＬＡＮアクセスによる通信路は、ＵＥ＿Ａ１０とコアネットワーク＿Ａ９０に含まれるＰＧＷ＿Ａ３０との間で、アクセスネットワークＢに含まれるＴＷＡＧ＿Ａ７４を介して確立された通信路であってよい。言い換えると、ＷＬＡＮアクセスによる通信路は、ＵＥ＿Ａ１０とＴＷＡＧ＿Ａ７４との間の転送路と、ＴＷＡＧ＿Ａ７４とＰＧＷ＿Ａ３０との間の転送路で構成された通信路であってもよい。また、ＷＬＡＮアクセスによる通信路は、ベアラによって構成されていてもよい。また、ＷＬＡＮアクセスによる通信路は、ベアラ以外の転送路によって構成されていてもよい。その場合、ベアラを識別する情報はベアラ以外の転送路を識別する情報であってよい。
【０３７０】
ＵＥ＿Ａ１０及びＰＧＷ＿Ａ３０は、マルチアクセスＰＤＮコネクションに対応づけられた複数のＷＬＡＮアクセスによる通信路を確立してもよい。なお、ＵＥ＿Ａ１０及びＰＧＷ＿Ａ３０は、マルチアクセスＰＤＮコネクションに対応づけられた複数のＷＬＡＮアクセスによる通信路の内、最初に確立された転送路をデフォルトベアラとしてもよい。なお、ＵＥ＿Ａ１０及びＰＧＷ＿Ａ３０は、ＷＬＡＮアクセスを識別する情報と対応づけてデフォルトベアラを記憶してもよい。
【０３７１】
ＵＥ＿Ａ１０及びＰＧＷ＿Ａ３０は、マルチアクセスＰＤＮコネクションに対応づけられた各通信路用のコンテキストを記憶してもよい。マルチアクセスＰＤＮコネクションに対応づけられた各通信路用のコンテキストは、３ＧＰＰアクセスによる通信路用のコンテキストとＷＬＡＮアクセスによる通信路用のコンテキストから構成されてもよい。
【０３７２】
３ＧＰＰアクセスによる通信路用のコンテキストは、図８及び図１０の３ＧＰＰアクセスによる通信路に対応づけられたＤｅｆａｕｌｔ  Ｂｅａｒｅｒと、３ＧＰＰアクセスによる通信路に対応づけられたＤｅｆａｕｌｔ  ＢｅａｒｅｒごとのＵＥコンテキスト及びＥＰＳベアラコンテキストと、３ＧＰＰアクセスによる通信路に対応づけられたＤｅｄｉｃａｔｅ  ＢｅａｒｅｒごとのＵＥコンテキスト及びＥＰＳベアラコンテキストから構成されてもよい。
【０３７３】
ＷＬＡＮアクセスによる通信路用のコンテキストは、図８及び図１０のＷＬＡＮアクセスによる通信路に対応づけられたＤｅｆａｕｌｔ  Ｂｅａｒｅｒと、ＷＬＡＮアクセスによる通信路に対応づけられたＤｅｆａｕｌｔ  ＢｅａｒｅｒごとのＵＥコンテキスト及びＥＰＳベアラコンテキストと、ＷＬＡＮアクセスによる通信路に対応づけられたＤｅｄｉｃａｔｅ  ＢｅａｒｅｒごとのＵＥコンテキスト及びＥＰＳベアラコンテキストから構成されてもよい。
【０３７４】
ＵＥ＿Ａ１０及びＰＧＷ＿Ａ３０は、記憶したマルチアクセスＰＤＮコネクションに対応づけられた各通信路用のコンテキストに基づいてユーザデータを送受信してもよい。さらに、マルチアクセスＰＤＮコネクションに対応づけられた複数のデフォルトベアラが存在する場合、ＵＥ＿Ａ１０及びＰＧＷ＿Ａ３０は、マルチアクセスＰＤＮコネクションに対応づけられた各通信路用のコンテキストに対応づけられたデフォルトアクセスに基づいて使用するデフォルトベアラを選択してもよい。
【０３７５】
次に、初期状態でのＵＥ＿Ａ１０及びＰＧＷ＿Ａ３０がユーザデータを送受信する方法の具体例として、の第１から第３の例を説明する。
【０３７６】
まず、第１の例を説明する。第１の例でのＵＥ＿Ａ１０のＵＥコンテキスト及び又は、ＰＧＷ＿Ａ３０のＥＰＳベアラコンテキストの例を図１５に示す。
【０３７７】
ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ａ１、Ｆｉｌｔｅｒ  Ｂ１、Ｆｉｌｔｅｒ  Ａ２、Ｆｉｌｔｅｒ  Ｂ２の順でＲｏｕｔｉｎｇ  Ｆｉｌｔｅｒと送信するユーザデータを比較する。
【０３７８】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ａ２とマッチした場合、ＵＥ＿Ａ１０及びＰＧＷ＿Ａ３０は、Ｆｉｌｔｅｒ  Ａ２に対応するＤｅｄｉｃａｔｅｄ  Ｂｅａｒｅｒ  Ａ２を用いてユーザデータを送信してもよい。
【０３７９】
比較した結果、ユーザデータがどのＲｏｕｔｉｎｇ  Ｆｉｌｔｅｒにもマッチしない場合、ＵＥ＿Ａ１０及びＰＧＷ＿Ａ３０は、デフォルトアクセス（Ｄｅｆａｕｌｔ  Ａｃｃｅｓｓ）で識別されるアクセスネットワークに対応するデフォルトベアラを用いてユーザデータを送信してもよい。例えば、送信するユーザデータがＦｉｌｔｅｒ  Ａ１及びＦｉｌｔｅｒ  Ｂ１およびＦｉｌｔｅｒ  Ａ２及びＦｉｌｔｅｒ  Ｂ２とマッチしない場合、ＵＥ＿Ａ１０及びＰＧＷ＿Ａ３０は、デフォルトアクセスで識別される３ＧＰＰアクセスネットワークのデフォルトベアラであるＤｅｆａｕｌｔ  Ｂｅａｒｅｒ  １を用いてユーザデータを送信してもよい。
【０３８０】
次に、第２の例を説明する。第２の例でのＵＥ＿Ａ１０のＵＥコンテキスト及び又は、ＰＧＷ＿Ａ３０のＥＰＳベアラコンテキストの例を図１６に示す。
【０３８１】
第１の例と同様に、ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ａ１、Ｆｉｌｔｅｒ  Ｂ１、Ｆｉｌｔｅｒ  Ａ２、Ｆｉｌｔｅｒ  Ｂ２、ＡＮＹ  １、ＡＮＹ  ２の順でＲｏｕｔｉｎｇ  Ｆｉｌｔｅｒと送信するユーザデータを比較する。ここで、ＡＮＹ  １及び又はＡＮＹ  ２は全てのユーザデータとマッチするルールが記載されたフィルターであってよい。
【０３８２】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ａ２とマッチした場合、ＵＥ＿Ａ１０は、Ｆｉｌｔｅｒ  Ａ２に対応するＤｅｄｉｃａｔｅｄ  Ｂｅａｒｅｒ  Ａ２を用いてユーザデータを送信する。送信するユーザデータがＡＮＹ  １とマッチした場合、ＵＥ＿Ａ１０は、ＡＮＹ  １に対応するＤｅｆａｕｌｔ  Ｂｅａｒｅｒ  １を用いて、ユーザデータを送信してもよい。
【０３８３】
次に、第３の例を説明する。第３の例でのＵＥ＿Ａ１０のＵＥコンテキスト及び又は、ＰＧＷ＿Ａ３０のＥＰＳベアラコンテキストの例を図１７に示す。
【０３８４】
第１の例と同様に、ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ａ１、Ｆｉｌｔｅｒ  Ｂ１、Ｆｉｌｔｅｒ  Ａ２、Ｆｉｌｔｅｒ  Ｂ２、Ｆｉｌｔｅｒ  Ｄ１、Ｆｉｌｔｅｒ  Ｄ２の順でＲｏｕｔｉｎｇ  Ｆｉｌｔｅｒと送信するユーザデータを比較する。ここで、Ｆｉｌｔｅｒ  Ｄ１及び又はＦｉｌｔｅｒ  Ｄ２は、特定のＵＥ＿Ａ１０及び又はＰＧＷ＿Ａ３０に対応する全てのユーザデータにマッチするルールが記載されたフィルターであってよい。例えば、Ｆｉｌｔｅｒ  Ｄ１は、ＵＥ＿Ａ１０及び又はＰＧＷ＿Ａ３０のソースＩＰアドレスにマッチするルールが記載されたフィルターであってよい。
【０３８５】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ａ２とマッチした場合、ＵＥ＿Ａ１０は、Ｆｉｌｔｅｒ  Ａ２に対応するＤｅｄｉｃａｔｅｄ  Ｂｅａｒｅｒ  Ａ２を用いてユーザデータを送信する。送信するユーザデータがＦｉｌｔｅｒ  Ｄ１とマッチした場合、ＵＥ＿Ａ１０は、Ｆｉｌｔｅｒ  Ｄ１に対応するＤｅｆａｕｌｔ  Ｂｅａｒｅｒ  １を用いて、ユーザデータを送信してもよい。
【０３８６】
以上、初期状態を説明してきたが、初期状態はこれに限らず、ＵＥ＿Ａ１０がマルチアクセスＰＤＮコネクションを確立している状態であれば、他のＰＤＮコネクションを確立していてもよい。
【０３８７】
［１．４．ＰＤＮ接続切断手続きの説明］
［１．４．１．ＵＥ主導のＰＤＮ接続切断手続き（ＷＬＡＮアクセスネットワーク）の説明］
次に、ＵＥ主導の、マルチアクセスＰＤＮコネクションに対応づけられたＷＬＡＮアクセスによる通信路を切断するためのＰＤＮ接続切断手続き例を、図１８を用いて説明する。
【０３８８】
なお、ＵＥ＿Ａ１０は、ＷＬＡＮアクセスシステムの電波状態の悪化や、接続性が不安定であることなどを検出し、ＰＤＮ接続切断手続きを開始してもよい。また、ＵＥ＿Ａ１０は、任意のタイミングでＰＤＮ接続切断手続きを開始してもよい。
【０３８９】
ＵＥ＿Ａ１０は、まず、ＴＷＡＧ＿Ａ７４にＰＤＮ接続切断要求（PDN disconnect request）を送信する（Ｓ１８０２）。ＵＥ＿Ａ１０は、少なくともＰＤＮ接続切断要求メッセージＩＤ（PDN disconnect request message identity）及びプロシージャトランザクションＩＤ（Procedure transaction identity）及びＰＤＮコネクションＩＤ（PDN connection ID）を含めてＰＤＮ接続切断要求を送信しても良い。さらに、ＵＥ＿Ａ１０は、少なくとも第１の識別情報及び又は第２の識別情報をＰＤＮ接続切断要求に含めても良い。さらに、ＵＥ＿Ａ１０は、Ｃａｕｓｅ及び又はＰＣＯ（Protocol Configuration Options）をＰＤＮ接続切断要求に含めても良い。なお、ＵＥ＿Ａ１０は、第１の識別情報及び又は第２の識別情報をＰＣＯに含めて送信しても良い。
【０３９０】
ここで、第１の識別情報は、ＰＤＮコネクションがマルチアクセスＰＤＮコネクションであることを示すＮＢＩＦＯＭ  Ｉｎｄｉｃａｔｉｏｎであってよい。なお、第１の識別情報は、マルチアクセスＰＤＮコネクションのＮＢＩＦＯＭオペレーションモードを表すＭｏｄｅ  Ｉｎｄｉｃａｔｉｏｎであってもよい。ＵＥ＿Ａ１０は、第１の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０３９１】
第２の識別情報は、ＵＥ＿Ａ１０がＮＢＩＦＯＭをサポートしていることを表すＵＥ  ＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０３９２】
このように、第１の識別情報及び又は第２の識別情報を送信することにより、マルチアクセスＰＤＮコネクションに対応づけられたＷＬＡＮアクセスによる通信路のみを切断することを要求してもよい。言い換えるとは、第１の識別情報及び又は第２の識別情報は、マルチアクセスＰＤＮコネクションに対応づけられたＷＬＡＮアクセスによる通信路のみを切断することを要求することを示す情報であってよい。
【０３９３】
プロシージャトランザクションＩＤはＰＤＮ接続切断手続きを識別する情報であってもよい。
【０３９４】
ＰＤＮコネクションＩＤは、ＵＥ＿Ａ１０とＰＧＷ＿Ａ３０の間で確立されているＰＤＮコネクションを一意に識別するための情報であってもよい。
【０３９５】
Ｃａｕｓｅは、ＰＤＮ接続切断要求を送信する理由を表す情報であってもよい。
【０３９６】
ＰＣＯは、ＰＤＮコネクションと関連付けられたプロトコル情報であってもよい。また、ＵＥ＿Ａ１０は、ＰＣＯに要求の識別情報を含めてもよい。なお、ＵＥ＿Ａ１０は第１の識別情報及び又は第２の識別情報をＰＣＯに含めて送信しても良い。
【０３９７】
ＴＷＡＧ＿Ａ７４は、ＵＥ＿Ａ１０が送信したＰＤＮ接続切断要求を受信する。ＴＷＡＧ＿Ａ７４はＰＤＮ接続切断要求の受信及び又は、ＰＤＮ接続切断要求に含まれる第１の識別情報及び又は第２の識別情報に基づいて、ＰＧＷ＿Ａ３０にセッション削除要求を送信する（Ｓ１８０４）。なお、セッション削除要求は転送路を削除することを要求するためのメッセージであってよい。
【０３９８】
ＴＷＡＧ＿Ａ７４は、ＰＤＮ接続切断要求の受信及び又はＰＤＮ接続切断要求に含まれる第１の識別情報及び又は第２の識別情報に基づいて、少なくとも第１の識別情報及び又は第２の識別情報をセッション削除要求に含めて送信してもよい。さらに、ＴＷＡＧ＿Ａ７４は、ＰＤＮコネクションＩＤをセッション削除要求に含めても良い。
【０３９９】
なお、ＴＷＡＧ＿Ａ７４は、ＰＤＮ接続切断要求に第１の識別情報及び又は第２の識別情報のいずれの識別情報も含まれない場合は、第１の識別情報及び又は第２の識別情報を含めずにセッション削除要求を送信してもよい。
【０４００】
ＰＧＷ＿Ａ３０は、ＴＷＡＧ＿Ａ７４が送信したセッション削除要求を受信する。ＰＧＷ＿Ａ３０は、セッション削除要求の受信及び又はセッション削除要求に含まれる第１の識別情報及び又は第２の識別情報に基づいて、ＰＣＲＦ＿Ａ６０との間でのＩＰ−ＣＡＮセッション更新手続きを実行しても良い（Ｓ１８０６）。
【０４０１】
ＰＧＷ＿Ａ３０は、セッション削除要求の受信及び又はセッション削除要求に含まれる第１の識別情報及び又は第２の識別情報に基づいて、少なくとも第１の識別情報及び又は第２の識別情報をＩＰ−ＣＡＮセッション更新手続きに含めて実行しても良い。
【０４０２】
なお、ＰＧＷ＿Ａ３０は、ＰＣＲＦ＿Ａ６０にマルチアクセスＰＤＮコネクションに対応づけられたＷＬＡＮアクセスによる通信路のみを切断することを通知するためにＩＰ−ＣＡＮセッション更新手続きを実行しても良い。
【０４０３】
ＰＧＷ＿Ａ３０は、削除する通信路がマルチアクセスＰＤＮコネクションに対応づけられた通信路であるか、シングルアクセスＰＤＮコネクションに対応づけられた通信路であるかを示す情報及び又は第１の識別情報及び又は第２の識別情報をＩＰ−ＣＡＮセッション手続き内の制御メッセージに含めてＰＣＲＦ＿Ａ６０に送信しても良い。
【０４０４】
より具体的には、削除する通信路がマルチアクセスＰＤＮコネクションに対応づけられた通信路である場合には、ＰＧＷ＿Ａ３０は、ＷＬＡＮアクセスネットワークを示す情報と、ＰＤＮコネクションＩＤと、ＰＤＮコネクションがマルチアクセスＰＤＮコネクションであることを示す情報と、第１の識別情報及び又は第２の識別情報をＰＣＲＦ＿Ａ６０に送信する。もしくは、削除する通信路がシングルアクセスＰＤＮコネクションに対応づけられた通信路である場合には、ＰＧＷ＿Ａ３０は、ＷＬＡＮアクセスネットワークを示す情報と、ＰＤＮコネクションＩＤと、ＰＤＮコネクションがシングルアクセスＰＤＮコネクションであることを示す情報とをＰＣＲＦ＿Ａ６０に送信する。
【０４０５】
さらに、ＰＣＲＦ＿Ａ６０は、第１の識別情報及び又は第２の識別情報の受信に基づいて、ＰＧＷ＿Ａ３０との間でＩＰ−ＣＡＮセッション更新手続き内の制御メッセージに少なくとも第１の識別情報及び又は第３の識別情報を含めてＰＧＷ＿Ａ３０に送信しても良い。
【０４０６】
なお、ＰＣＲＦ＿Ａ６０はＰＧＷ＿Ａ３０に課金情報及び又はＱｏＳ制御情報及び又はルーティング情報を通知するためにＩＰ−ＣＡＮセッション更新手続きを実行しても良い。
【０４０７】
ここで、第３の識別情報は、ネットワークがＮＢＩＦＯＭをサポートしていることを表すＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０４０８】
このように、第１の識別情報及び又は第３の識別情報を送信することにより、マルチアクセスＰＤＮコネクションに対応づけられたＷＬＡＮアクセスによる通信路のみを切断することを示してもよい。言い換えるとは、第１の識別情報及び又は第３の識別情報は、マルチアクセスＰＤＮコネクションに対応づけられたＷＬＡＮアクセスによる通信路のみを切断することを示す情報であってよい。
【０４０９】
ＰＧＷ＿Ａ３０はセッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、ＴＷＡＧ＿Ａ７４にセッション削除応答を送信する（Ｓ１８０８）。
【０４１０】
ＰＧＷ＿Ａ３０は、セッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、少なくとも第１の識別情報及び又は第３の識別情報をセッション削除応答に含めて送信しても良い。
【０４１１】
なお、ＰＧＷ＿Ａ３０が第３の識別情報を取得する方法は、これまで説明したＩＰ−ＣＡＮセッション更新手続きにおいてＰＣＲＦ＿Ａ６０から取得する方法に限らず、別の例であっても良い。例えば、ＰＧＷ＿Ａ３０はＩＰ−ＣＡＮセッション更新手続きにおいてＰＣＲＦ＿Ａ６０から取得せず、ＰＧＷ＿Ａ３０が第３の識別情報を生成し、セッション削除応答に含めて送信しても良い。
【０４１２】
ＰＧＷ＿Ａ３０は、セッション削除要求の受信及び又は、ＩＰ−ＣＡＮセッション更新手続きの完了及び又は、セッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられたＷＬＡＮアクセスによる通信路のみを切断してもよい。より詳細には、ＰＧＷ＿Ａ３０は、マルチアクセスＰＤＮコネクションに対応づけられたＷＬＡＮアクセスによる通信路用のコンテキストを削除することで、ＷＬＡＮアクセスによる通信路を切断してもよい。
【０４１３】
また、ＰＧＷ＿Ａ３０は、マルチアクセスＰＤＮコネクションに対応づけられたＷＬＡＮアクセスによる通信路を全て削除した場合、マルチアクセスＰＤＮコネクションに対応づけられたデフォルトアクセスを削除してもよい。言い換えると、ＰＧＷ＿Ａ３０は、マルチアクセスＰＤＮコネクションに対応づけられたＷＬＡＮアクセスによる通信路用のコンテキストを全て削除した場合、マルチアクセスＰＤＮコネクションに対応づけられたデフォルトアクセスを削除してもよい。より詳細には、ＰＧＷ＿Ａ３０は、マルチアクセスＰＤＮコネクションに対応づけられたＷＬＡＮアクセスによる通信路用のコンテキストを全て削除した場合、マルチアクセスＰＤＮコネクションに対応づけられたＰＤＮごとのＥＰＳベアラコンテキストに含まれるデフォルトアクセスを削除してもよい。
【０４１４】
したがって、ＰＧＷ＿Ａ３０は、セッション削除要求の受信及び又は、ＩＰ−ＣＡＮセッション更新手続きの完了及び又は、セッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられたデフォルトアクセスを削除してもよい。  このように、ＰＧＷ＿Ａ３０は、マルチアクセスＰＤＮコネクションに対応づけられたＷＬＡＮアクセスによる通信路用のコンテキスト及び又はデフォルトアクセスを削除することで、マルチアクセスＰＤＮコネクションに対応づけられたＷＬＡＮアクセスによる通信路を切断してもよい。
【０４１５】
また、ＰＧＷ＿Ａ３０は、ＷＬＡＮアクセスシステムの電波状態の悪化や、接続性が不安定等の原因により、ＷＬＡＮアクセスシステムの接続性が失われたことの検出に基づいて、マルチアクセスＰＤＮコネクションに対応づけられたＷＬＡＮアクセスによる通信路用のコンテキスト及び又はデフォルトアクセスを削除してもよい。
【０４１６】
ＴＷＡＧ＿Ａ７４は、ＰＧＷ＿Ａ３０が送信したセッション削除応答を受信する。ＴＷＡＧ＿Ａ７４はセッション削除応答の受信及び又はセッション削除応答に含まれる第１の識別情報及び又は第３の識別情報に基づいて、ＵＥ＿Ａ１０にＰＤＮ接続切断受諾（PDN disconnect accept）を送信する（Ｓ１８１０）。なお、ＰＤＮ接続切断受諾メッセージは、ＰＤＮコネクションの切断を許可することを示す制御メッセージであればよく、ＥＰＳベアラコンテキストデアクティブ化要求（Deactivate EPS Bearer context request）であってよい。また、ＰＤＮ接続切断受諾メッセージはＰＤＮ接続切断要求に対する応答メッセージであってよい。
【０４１７】
ＴＷＡＧ＿Ａ７４は、セッション削除応答の受信及び又はセッション削除応答に含まれる第１の識別情報及び又は第３の識別情報に基づいて、少なくともＰＤＮ接続切断受諾メッセージＩＤ（PDN disconnection accept message identity）及びプロシージャトランザクションＩＤ及びＰＤＮコネクションＩＤをＰＤＮ接続切断受諾に含めて送信しても良い。さらに、ＴＷＡＧ＿Ａ７４は、少なくとも第１の識別情報及び又は第３の識別情報をＰＤＮ接続切断受諾に含めても良い。さらに、ＴＷＡＧ＿Ａ７４は、ＰＣＯをＰＤＮ接続切断受諾に含めても良い。なお、ＴＷＡＧ＿Ａ７４は第１の識別情報及び又は第３の識別情報をＰＣＯに含めて送信しても良い。
【０４１８】
ここで、ＰＤＮ接続切断受諾メッセージＩＤはＰＤＮ接続切断受諾メッセージを表すメッセージタイプであってもよい。
【０４１９】
ＵＥ＿Ａ１０は、ＴＷＡＧ＿Ａ７４が送信したＰＤＮ接続切断受諾を受信する。
【０４２０】
ＵＥ＿Ａ１０は、ＰＤＮ接続切断受諾の受信及び又はＰＤＮ接続切断受諾に含まれる第１の識別情報及び又は第３の識別情報及び又はＰＤＮコネクションＩＤに基づいて、ＰＤＮコネクションＩＤで識別されるマルチアクセスＰＤＮコネクションに対応づけられたＷＬＡＮアクセスによる通信路のみを切断してもよい。より詳細には、ＵＥ＿Ａ１０は、マルチアクセスＰＤＮコネクションに対応づけられたＷＬＡＮアクセスによる通信路用のコンテキストを削除することで、ＷＬＡＮアクセスによる通信路を切断してもよい。
【０４２１】
また、ＵＥ＿Ａ１０は、マルチアクセスＰＤＮコネクションに対応づけられたＷＬＡＮアクセスによる通信路を全て削除した場合、マルチアクセスＰＤＮコネクションに対応づけられたデフォルトアクセスを削除してもよい。言い換えると、ＵＥ＿Ａ１０は、マルチアクセスＰＤＮコネクションに対応づけられたＷＬＡＮアクセスによる通信路用のコンテキストを全て削除した場合、マルチアクセスＰＤＮコネクションに対応づけられたデフォルトアクセスを削除してもよい。より詳細には、ＵＥ＿Ａ１０は、マルチアクセスＰＤＮコネクションに対応づけられたＷＬＡＮアクセスによる通信路用のコンテキストを全て削除した場合、マルチアクセスＰＤＮコネクションに対応づけられたＰＤＮごとのＵＥコンテキストに含まれるデフォルトアクセスを削除してもよい。
【０４２２】
したがって、ＵＥ＿Ａ１０は、ＰＤＮ接続切断受諾の受信及び又はＰＤＮ接続切断受諾に含まれる第１の識別情報及び又は第３の識別情報及び又はＰＤＮコネクションＩＤに基づいて、ＰＤＮコネクションＩＤで識別されるマルチアクセスＰＤＮコネクションに対応づけられたデフォルトアクセスを削除してもよい。
【０４２３】
このように、ＵＥ＿Ａ１０は、マルチアクセスＰＤＮコネクションに対応づけられたＷＬＡＮアクセスによる通信路用のコンテキスト及び又はデフォルトアクセスを削除することで、マルチアクセスＰＤＮコネクションに対応づけられたＷＬＡＮアクセスによる通信路を切断してもよい。
【０４２４】
また、ＵＥ＿Ａ１０は、ＷＬＡＮアクセスシステムの電波状態の悪化や、接続性が不安定等の原因により、ＷＬＡＮアクセスシステムの接続性が失われたことの検出に基づいて、マルチアクセスＰＤＮコネクションに対応づけられたＷＬＡＮアクセスによる通信路用のコンテキスト及び又はデフォルトアクセスを削除してもよい。
【０４２５】
ＵＥ主導のＰＤＮ接続切断手続き（ＷＬＡＮアクセスネットワーク）の完了によりＵＥ＿Ａ１０及びＰＧＷ＿Ａ３０はＷＬＡＮアクセスによる通信路を持たないマルチアクセスＰＤＮコネクションを確立する。ＷＬＡＮアクセスによる通信路を持たないマルチアクセスＰＤＮコネクションは、３ＧＰＰアクセスによる通信路のみをもつマルチアクセスＰＤＮコネクションであってよい。
【０４２６】
なお、３ＧＰＰアクセスによる通信路のみをもつマルチアクセスＰＤＮコネクションに対応づけられているデフォルトベアラは１つのみであってよい。従って、３ＧＰＰアクセスによる通信路のみをもつマルチアクセスＰＤＮコネクションを持つ場合、ＵＥ＿Ａ１０及びＰＧＷ＿Ａ３０は、デフォルトアクセスを用いることなくデフォルトベアラを選択し、選択したデフォルトベアラを用いてユーザデータの送受信を行ってもよい。
【０４２７】
ＵＥ主導のＰＤＮ接続切断手続き（ＷＬＡＮアクセスネットワーク）の完了後、ＵＥ＿Ａ１０及びＰＧＷ＿Ａ３０は、記憶した３ＧＰＰアクセスによる通信路用のコンテキストに基づいてユーザデータを送受信してもよい。
【０４２８】
次に、ＵＥ主導のＰＤＮ接続切断手続き（ＷＬＡＮアクセスネットワーク）の完了後のＵＥ＿Ａ１０及びＰＧＷ＿Ａ３０がユーザデータを送受信する方法の具体例として、第１から第３の例を説明する。
【０４２９】
まず、第１の例を説明する。なお、第１の例でのＵＥ＿Ａ１０及びＰＧＷ＿Ａ３０の３ＧＰＰアクセスによる通信路用のコンテキストは、図１５で示したベアラごとのコンテキストのうち、ＷＬＡＮアクセスによる通信路用のコンテキストを削除したものであってもよい。
【０４３０】
ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ａ１、Ｆｉｌｔｅｒ  Ａ２の順でＲｏｕｔｉｎｇ  Ｆｉｌｔｅｒと送信するユーザデータを比較する。
【０４３１】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ａ２とマッチした場合、ＵＥ＿Ａ１０及びＰＧＷ＿Ａ３０は、Ｆｉｌｔｅｒ  Ａ２に対応するＤｅｄｉｃａｔｅｄ  Ｂｅａｒｅｒ  Ａ２を用いてユーザデータを送信してもよい。
【０４３２】
比較した結果、ユーザデータがどのＲｏｕｔｉｎｇ  Ｆｉｌｔｅｒにもマッチしない場合、ＵＥ＿Ａ１０及びＰＧＷ＿Ａ３０は、デフォルトベアラを用いてユーザデータを送信してもよい。例えば、送信するユーザデータがＦｉｌｔｅｒ  Ａ１及びＦｉｌｔｅｒ  Ａ２とマッチしない場合、ＵＥ＿Ａ１０及びＰＧＷ＿Ａ３０は、３ＧＰＰアクセスネットワークのデフォルトベアラであるＤｅｆａｕｌｔ  Ｂｅａｒｅｒ  １を用いてユーザデータを送信してもよい。
【０４３３】
次に、第２の例を説明する。なお、第２の例でのＵＥ＿Ａ１０及びＰＧＷ＿Ａ３０の３ＧＰＰアクセスによる通信路用のコンテキストは、図１６で示したベアラごとのコンテキストのうち、ＷＬＡＮアクセスによる通信路用のコンテキストを削除したものであってもよい。
【０４３４】
第１の例と同様に、ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ａ１、Ｆｉｌｔｅｒ  Ａ２、ＡＮＹ  １の順でＲｏｕｔｉｎｇ  Ｆｉｌｔｅｒと送信するユーザデータを比較する。ここで、ＡＮＹ  １は全てのユーザデータとマッチするルールが記載されたフィルターであってよい。
【０４３５】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ａ２とマッチした場合、ＵＥ＿Ａ１０は、Ｆｉｌｔｅｒ  Ａ２に対応するＤｅｄｉｃａｔｅｄ  Ｂｅａｒｅｒ  Ａ２を用いてユーザデータを送信する。送信するユーザデータがＡＮＹ  １とマッチした場合、ＵＥ＿Ａ１０は、ＡＮＹ  １に対応するＤｅｆａｕｌｔ  Ｂｅａｒｅｒ  １を用いて、ユーザデータを送信してもよい。
【０４３６】
次に、第３の例を説明する。なお、第３の例でのＵＥ＿Ａ１０及びＰＧＷ＿Ａ３０の３ＧＰＰアクセスによる通信路用のコンテキストは、図１７で示したベアラごとのコンテキストからＷＬＡＮアクセスによる通信路用のコンテキストを削除したものであってもよい。
【０４３７】
第１の例と同様に、ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ａ１、Ｆｉｌｔｅｒ  Ａ２、Ｆｉｌｔｅｒ  Ｄ１の順でＲｏｕｔｉｎｇ  Ｆｉｌｔｅｒと送信するユーザデータを比較する。ここで、Ｆｉｌｔｅｒ  Ｄ１は、特定のＵＥ＿Ａ１０及び又はＰＧＷ＿Ａ３０に対応する全てのユーザデータにマッチするルールが記載されたフィルターであってよい。例えば、Ｆｉｌｔｅｒ  Ｄ１は、ＵＥ＿Ａ１０及び又はＰＧＷ＿Ａ３０のソースＩＰアドレスにマッチするルールが記載されたフィルターであってよい。
【０４３８】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ａ２とマッチした場合、ＵＥ＿Ａ１０は、Ｆｉｌｔｅｒ  Ａ２に対応するＤｅｄｉｃａｔｅｄ  Ｂｅａｒｅｒ  Ａ２を用いてユーザデータを送信する。送信するユーザデータがＦｉｌｔｅｒ  Ｄ１とマッチした場合、ＵＥ＿Ａ１０は、Ｆｉｌｔｅｒ  Ｄ１に対応するＤｅｆａｕｌｔ  Ｂｅａｒｅｒ  １を用いて、ユーザデータを送信してもよい。
【０４３９】
ＵＥ主導のＰＤＮ接続切断手続き（ＷＬＡＮアクセスネットワーク）の例では、マルチアクセスＰＤＮコネクションに対応づけられたＷＬＡＮアクセスによる通信路のみを切断する場合について説明した。
【０４４０】
以上の手続きにより、ＵＥ＿１０Ａ及び又はＰＧＷ＿Ａ３０は、マルチアクセスＰＤＮコネクションに対して確立する３ＧＰＰアクセスを介した通信路とＷＬＡＮアクセスを介した通信路のうちの一方を切断したことに基づいてデフォルトアクセスを削除し、通信を継続することができる。言い換えると、ＵＥ＿１０Ａ及び又はＰＧＷ＿Ａ３０は、３ＧＰＰアクセスに対応づけられたデフォルトベアラとＷＬＡＮアクセスに対応づけられてデフォルトベアラのうちの１つを削除して通信を継続することができる。
【０４４１】
［１．４．２．ネットワーク主導のＰＤＮ接続切断手続き（ＷＬＡＮアクセスネットワーク）の説明］
次に、ネットワーク主導の、マルチアクセスＰＤＮコネクションに対応づけられたＷＬＡＮアクセスによる通信路を切断するためのＰＤＮ接続切断手続き例を、図１９を用いて説明する。
【０４４２】
なお、ＰＣＲＦ＿Ａ６０及びＰＧＷ＿Ａ３０は、ＷＬＡＮアクセスシステムの電波状態の悪化や、接続性が不安定であることなどを検出し、ＰＤＮ接続切断手続きを開始してもよい。また、ＰＣＲＦ＿Ａ６０及びＰＧＷ＿Ａ３０は、任意のタイミングでＰＤＮ接続切断手続きを開始してもよい。
【０４４３】
ＰＣＲＦ＿Ａ６０は、まず、ＰＤＮ接続切断手続きを開始するために、ＰＧＷ＿Ａ３０にＩＰ−ＣＡＮ更新手続きを要求するためのメッセージを送信する（Ｓ１９０２）。ＩＰ−ＣＡＮ更新手続きを要求するためのメッセージには少なくとも、第１の識別情報及び又は第３の識別情報が含まれてもよい。
【０４４４】
ここで、第１の識別情報は、ＰＤＮコネクションがマルチアクセスＰＤＮコネクションであることを示すＮＢＩＦＯＭ  Ｉｎｄｉｃａｔｉｏｎであってよい。なお、第１の識別情報は、マルチアクセスＰＤＮコネクションのＮＢＩＦＯＭオペレーションモードを表すＭｏｄｅ  Ｉｎｄｉｃａｔｉｏｎであってもよい。ＵＥ＿Ａ１０は、第１の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０４４５】
第３の識別情報は、ネットワークがＮＢＩＦＯＭをサポートしていることを表すＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０４４６】
このように、第１の識別情報及び又は第３の識別情報を送信することにより、マルチアクセスＰＤＮコネクションに対応づけられたＷＬＡＮアクセスによる通信路のみを切断することを示してもよい。言い換えるとは、第１の識別情報及び又は第３の識別情報は、マルチアクセスＰＤＮコネクションに対応づけられたＷＬＡＮアクセスによる通信路のみを切断することを示す情報であってよい。
【０４４７】
ＰＧＷ＿Ａ３０は、ＰＣＲＦ＿Ａ６０が送信したＩＰ−ＣＡＮ更新手続きを要求するためのメッセージを受信する。ＰＧＷ＿Ａ３０は、ＩＰ−ＣＡＮ更新手続きを要求するためのメッセージの受信及び又は、ＩＰ−ＣＡＮ更新手続きを要求するためのメッセージに含まれる第１の識別情報及び又は第３の識別情報に基づいて、ＴＷＡＧ＿Ａ７４にセッション削除要求を送信する（Ｓ１９０４）。
【０４４８】
ＰＧＷ＿Ａ３０は、ＩＰ−ＣＡＮ更新手続きを要求するためのメッセージの受信及び又は、ＩＰ−ＣＡＮ更新手続きを要求するためのメッセージに含まれる第１の識別情報及び又は第３の識別情報に基づいて、少なくとも第１の識別情報及び又は第３の識別情報をセッション削除要求に含めて送信しても良い。
【０４４９】
なお、ＰＤＮ接続切断手続きを開始する方法は、これまで説明したＩＰ−ＣＡＮセッション更新手続きにおいてＰＣＲＦ＿Ａ６０が開始する方法に限らず、ＰＧＷ＿Ａ３０が開始してもよい。その際、ＰＧＷ＿Ａ３０が第１の識別情報及び又は第３の識別情報を生成し、セッション削除要求に含めて送信しても良い。
【０４５０】
ＴＷＡＧ＿Ａ７４は、ＰＧＷ＿Ａ３０が送信したセッション削除要求を受信する。ＴＷＡＧ＿Ａ７４は、セッション削除要求の受信及び又はセッション削除要求に含まれる第１の識別情報及び又は第３の識別情報に基づいて、ＵＥ＿Ａ１０にＰＤＮ接続切断要求（PDN disconnect request）を送信する（Ｓ１９０６）。なお、ＰＤＮ接続切断要求はＰＤＮコネクションを切断することを要求するためのメッセージであってよい。
【０４５１】
ＴＷＡＧ＿Ａ７４は、セッション削除要求の受信及び又はセッション削除要求に含まれる第１の識別情報及び又は第３の識別情報に基づいて、少なくともＰＤＮ接続切断要求メッセージＩＤ（PDN disconnect request message identity）及びプロシージャトランザクションＩＤ（Procedure transaction identity）及びＰＤＮコネクションＩＤ（PDN connection ID）を含めてＰＤＮ接続切断要求を送信しても良い。さらに、ＴＷＡＧ＿Ａ７４は、少なくとも第１の識別情報及び又は第３の識別情報をＰＤＮ接続切断要求に含めても良い。さらに、ＵＥ＿Ａ１０は、Ｃａｕｓｅ及び又はＰＣＯ（Protocol Configuration Options）をＰＤＮ接続切断要求に含めても良い。
【０４５２】
ここで、ＰＤＮ接続切断要求メッセージＩＤは、ＰＤＮ接続切断要求メッセージを表すメッセージタイプであってもよい。
【０４５３】
プロシージャトランザクションＩＤはＰＤＮ接続切断手続きを識別する情報であってもよい。
【０４５４】
ＰＤＮコネクションＩＤは、ＵＥ＿Ａ１０とＰＧＷ＿Ａ３０の間で確立されているＰＤＮコネクションを一意に識別するための情報であってもよい。
【０４５５】
Ｃａｕｓｅは、ＰＤＮ接続切断要求を送信する理由を表す情報であってもよい。
【０４５６】
ＰＣＯは、ＰＤＮコネクションと関連付けられたプロトコル情報であってもよい。また、ＴＷＡＧ＿Ａ７４は、ＰＣＯに要求の識別情報を含めてもよい。なお、ＴＷＡＧ＿Ａ７４は第１の識別情報及び又は第３の識別情報をＰＣＯに含めて送信しても良い。
【０４５７】
ＵＥ＿Ａ１０は、ＴＷＡＧ＿Ａ７４が送信したＰＤＮ接続切断要求を受信する。ＵＥ＿Ａ１０は、ＰＤＮ接続切断要求の受信及び又は、ＰＤＮ接続切断要求に含まれる第１の識別情報及び又は第３の識別情報に基づいて、ＴＷＡＧ＿Ａ７４にＰＤＮ接続切断受諾（PDN disconnect accept）を送信する（Ｓ１９０８）。なお、ＰＤＮ接続切断受諾メッセージは、ＰＤＮコネクションの切断を許可することを示す制御メッセージであればよい。また、ＰＤＮ接続切断受諾メッセージはＰＤＮ接続切断要求に対する応答メッセージであってよい。
【０４５８】
ＵＥ＿Ａ１０は、ＰＤＮ接続切断要求の受信及び又は、ＰＤＮ接続切断要求に含まれる第１の識別情報及び又は第３の識別情報に基づいて、少なくともＰＤＮ接続切断受諾メッセージＩＤ（PDN disconnection accept message identity）及びプロシージャトランザクションＩＤ及びＰＤＮコネクションＩＤをＰＤＮ接続切断受諾に含めて送信しても良い。さらに、ＵＥ＿Ａ１０は、少なくとも第１の識別情報及び又は第２の識別情報をＰＤＮ接続切断受諾に含めても良い。さらに、ＵＥ＿Ａ１０は、ＰＣＯをＰＤＮ接続切断受諾に含めても良い。なお、ＵＥ＿Ａ１０は第１の識別情報及び又は第２の識別情報をＰＣＯに含めて送信しても良い。
【０４５９】
ここで、第２の識別情報は、ＵＥ＿Ａ１０がＮＢＩＦＯＭをサポートしていることを表すＵＥ  ＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０４６０】
このように、第１の識別情報及び又は第２の識別情報を送信することにより、マルチアクセスＰＤＮコネクションに対応づけられたＷＬＡＮアクセスによる通信路のみを切断することを示してもよい。言い換えるとは、第１の識別情報及び又は第２の識別情報は、マルチアクセスＰＤＮコネクションに対応づけられたＷＬＡＮアクセスによる通信路のみを切断することを示す情報であってよい。
【０４６１】
ＰＤＮ接続切断受諾メッセージＩＤはＰＤＮ接続切断受諾メッセージを表すメッセージタイプであってもよい。
【０４６２】
ＵＥ＿Ａ１０は、ＰＤＮ接続切断要求の受信及び又は、ＰＤＮ接続切断受諾の送信及び又は、ＰＤＮ接続切断要求に含まれる第１の識別情報及び又は第３の識別情報及び又はＰＤＮコネクションＩＤに基づいて、ＰＤＮコネクションＩＤで識別されるマルチアクセスＰＤＮコネクションに対応づけられたＷＬＡＮアクセスによる通信路のみを切断してもよい。より詳細には、ＵＥ＿Ａ１０は、マルチアクセスＰＤＮコネクションに対応づけられたＷＬＡＮアクセスによる通信路用のコンテキストを削除することで、ＷＬＡＮアクセスによる通信路を切断してもよい。
【０４６３】
また、ＵＥ＿Ａ１０は、マルチアクセスＰＤＮコネクションに対応づけられたＷＬＡＮアクセスによる通信路を全て削除した場合、マルチアクセスＰＤＮコネクションに対応づけられたデフォルトアクセスを削除してもよい。言い換えると、ＵＥ＿Ａ１０は、マルチアクセスＰＤＮコネクションに対応づけられたＷＬＡＮアクセスによる通信路用のコンテキストを全て削除した場合、マルチアクセスＰＤＮコネクションに対応づけられたデフォルトアクセスを削除してもよい。より詳細には、ＵＥ＿Ａ１０は、マルチアクセスＰＤＮコネクションに対応づけられたＷＬＡＮアクセスによる通信路用のコンテキストを全て削除した場合、マルチアクセスＰＤＮコネクションに対応づけられたＰＤＮごとのＵＥコンテキストに含まれるデフォルトアクセスを削除してもよい。
【０４６４】
したがって、ＵＥ＿Ａ１０は、ＰＤＮ接続切断要求の受信及び又は、ＰＤＮ接続切断要求に含まれる第１の識別情報及び又は第３の識別情報及び又はＰＤＮコネクションＩＤ及び又は、ＰＤＮ接続切断受諾の送信に基づいて、ＰＤＮコネクションＩＤで識別されるマルチアクセスＰＤＮコネクションに対応づけられたデフォルトアクセスを削除してもよい。
【０４６５】
このように、ＵＥ＿Ａ１０は、マルチアクセスＰＤＮコネクションに対応づけられたＷＬＡＮアクセスによる通信路用のコンテキスト及び又はデフォルトアクセスを削除することで、マルチアクセスＰＤＮコネクションに対応づけられたＷＬＡＮアクセスによる通信路を切断してもよい。
【０４６６】
ＴＷＡＧ＿Ａ７４は、ＵＥ＿Ａ１０が送信したＰＤＮ接続切断受諾を受信する。ＴＷＡＧ＿Ａ７４はＰＤＮ接続切断受諾の受信及び又は、ＰＤＮ接続切断受諾に含まれる第１の識別情報及び又は第２の識別情報に基づいて、ＰＧＷ＿Ａ３０にセッション削除応答を送信する（Ｓ１９１０）。なお、セッション削除要求に対する応答メッセージであってよい。
【０４６７】
ＴＷＡＧ＿Ａ７４は、ＰＤＮ接続受諾の受信及び又はＰＤＮ接続切断受諾に含まれる第１の識別情報及び又は第２の識別情報に基づいて、少なくとも第１の識別情報及び又は第２の識別情報をセッション削除応答に含めて送信してもよい。さらに、ＴＷＡＧ＿Ａ７４は、ＰＤＮコネクションＩＤをセッション削除応答に含めても良い。
【０４６８】
ＰＧＷ＿Ａ３０は、ＴＷＡＧ＿Ａ７４が送信したセッション削除応答を受信する。ＰＧＷ＿Ａ３０は、セッション削除応答の受信及び又はセッション削除応答に含まれる第１の識別情報及び又は第２の識別情報に基づいて、ＰＣＲＦ＿Ａ６０にＩＰ−ＣＡＮ更新手続きの完了を通知するためのメッセージを送信する(Ｓ１９１２)。
【０４６９】
ＰＧＷ＿Ａ３０は、セッション削除応答の受信及び又はセッション削除応答に含まれる第１の識別情報及び又は第２の識別情報に基づいて、少なくとも第１の識別情報及び又は第２の識別情報をＩＰ−ＣＡＮ更新手続きの完了を通知するためのメッセージに含めて送信してもよい。
【０４７０】
ＰＣＲＦ＿Ａ６０ではなく、ＰＧＷ＿Ａ３０がＰＤＮ接続切断手続きを開始した場合、ＰＧＷ＿Ａ３０はＰＣＲＦ＿Ａ６０にＩＰ−ＣＡＮ更新手続きの完了を通知するためのメッセージを送信しなくてもよい。
【０４７１】
ＰＧＷ＿Ａ３０は、セッション削除応答の受信及び又はＩＰ−ＣＡＮ更新手続きの完了を通知するためのメッセージの送信及び又は、セッション削除応答に含まれる第１の識別情報及び又は第２の識別情報及び又はＰＤＮコネクションＩＤに基づき、ＰＤＮコネクションＩＤで識別されるマルチアクセスＰＤＮコネクションに対応づけられたＷＬＡＮアクセスによる通信路のみを切断してもよい。より詳細には、ＰＧＷ＿Ａ３０は、マルチアクセスＰＤＮコネクションに対応づけられたＷＬＡＮアクセスによる通信路用のコンテキストを削除することで、ＷＬＡＮアクセスによる通信路を切断してもよい。
【０４７２】
また、ＰＧＷ＿Ａ３０は、マルチアクセスＰＤＮコネクションに対応づけられたＷＬＡＮアクセスによる通信路を全て削除した場合、マルチアクセスＰＤＮコネクションに対応づけられたデフォルトアクセスを削除してもよい。言い換えると、ＰＧＷ＿Ａ３０は、マルチアクセスＰＤＮコネクションに対応づけられたＷＬＡＮアクセスによる通信路用のコンテキストを全て削除した場合、マルチアクセスＰＤＮコネクションに対応づけられたデフォルトアクセスを削除してもよい。より詳細には、ＰＧＷ＿Ａ３０は、マルチアクセスＰＤＮコネクションに対応づけられたＷＬＡＮアクセスによる通信路用のコンテキストを全て削除した場合、マルチアクセスＰＤＮコネクションに対応づけられたＰＤＮごとのＥＰＳベアラコンテキストに含まれるデフォルトアクセスを削除してもよい。
【０４７３】
したがって、ＰＧＷ＿Ａ３０は、セッション削除応答の受信及び又はＩＰ−ＣＡＮ更新手続きの完了を通知するためのメッセージの送信及び又は、セッション削除応答に含まれる第１の識別情報及び又は第２の識別情報及び又はＰＤＮコネクションＩＤに基づき、ＰＤＮコネクションＩＤで識別されるマルチアクセスＰＤＮコネクションに対応づけられたデフォルトアクセスを削除してもよい。
【０４７４】
このように、ＰＧＷ＿Ａ３０は、マルチアクセスＰＤＮコネクションに対応づけられたＷＬＡＮアクセスによる通信路用のコンテキスト及び又はデフォルトアクセスを削除することで、マルチアクセスＰＤＮコネクションに対応づけられたＷＬＡＮアクセスによる通信路を切断してもよい。
【０４７５】
ネットワーク主導のＰＤＮ接続切断手続き（ＷＬＡＮアクセスネットワーク）の完了によりＵＥ＿Ａ１０及びＰＧＷ＿Ａ３０はＷＬＡＮアクセスによる通信路を持たないマルチアクセスＰＤＮコネクションを確立する。ＷＬＡＮアクセスによる通信路を持たないマルチアクセスＰＤＮコネクションは、３ＧＰＰアクセスによる通信路のみをもつマルチアクセスＰＤＮコネクションであってよい。
【０４７６】
なお、３ＧＰＰアクセスによる通信路のみをもつマルチアクセスＰＤＮコネクションに対応づけられているデフォルトベアラは１つのみであってよい。従って、３ＧＰＰアクセスによる通信路のみをもつマルチアクセスＰＤＮコネクションを持つ場合、ＵＥ＿Ａ１０及びＰＧＷ＿Ａ３０は、デフォルトアクセスを用いることなくデフォルトベアラを選択し、選択したデフォルトベアラを用いてユーザデータの送受信を行ってもよい。
【０４７７】
ネットワーク主導のＰＤＮ接続切断手続き（ＷＬＡＮアクセスネットワーク）の完了後、ＵＥ＿Ａ１０及びＰＧＷ＿Ａ３０は、記憶した３ＧＰＰアクセスによる通信路用のコンテキストに基づいてユーザデータを送受信してもよい。
【０４７８】
なお、ネットワーク主導のＰＤＮ接続切断手続き（ＷＬＡＮアクセスネットワーク）の完了後のＵＥ＿Ａ１０及びＰＧＷ＿Ａ３０がユーザデータを送受信する方法は、１．４．１章で示した、ＵＥ主導のＰＤＮ接続切断手続き（ＷＬＡＮアクセスネットワーク）完了後の送受信の方法と同じであってよい。従って、ここではユーザデータ送受信の方法の説明を省略する。
【０４７９】
ネットワーク主導のＰＤＮ接続切断手続き（ＷＬＡＮアクセスネットワーク）の例では、マルチアクセスＰＤＮコネクションに対応づけられたＷＬＡＮアクセスによる通信路のみを切断する場合について説明した。
【０４８０】
以上の手続きにより、ＵＥ＿１０Ａ及び又はＰＧＷ＿Ａ３０は、マルチアクセスＰＤＮコネクションに対して確立する３ＧＰＰアクセスを介した通信路とＷＬＡＮアクセスを介した通信路のうちの一方を切断したことに基づいてデフォルトアクセスを削除し、通信を継続することができる。言い換えると、ＵＥ＿１０Ａ及び又はＰＧＷ＿Ａ３０は、３ＧＰＰアクセスに対応づけられたデフォルトベアラとＷＬＡＮアクセスに対応づけられてデフォルトベアラのうちの１つを削除して通信を継続することができる。
【０４８１】
［１．４．３．ＵＥ主導のＰＤＮ接続切断手続き（３ＧＰＰアクセスネットワーク）の説明］
次に、ＵＥ主導の、マルチアクセスＰＤＮコネクションに対応づけられた３ＧＰＰアクセスによる通信路を切断するためのＰＤＮ接続切断手続き例を、図２０を用いて説明する。
【０４８２】
なお、ＵＥ＿Ａ１０は、３ＧＰＰアクセスシステムの電波状態の悪化や、接続性が不安定であることなどを検出し、ＰＤＮ接続切断手続きを開始してもよい。また、ＵＥ＿Ａ１０は、任意のタイミングでＰＤＮ接続切断手続きを開始してもよい。
【０４８３】
ＵＥ＿Ａ１０は、まず、ｅＮＢ＿Ａ４５を介してＭＭＥ＿Ａ４０にＰＤＮ接続切断要求（PDN disconnect request）を送信する（Ｓ２００２）。ＵＥ＿Ａ１０は、少なくともプロトコルディスクリミネター（Protocol discriminator）及び、ＥＰＳベアラＩＤ（EPS bearer identity）及び、プロシージャトランザクションＩＤ（Procedure transaction identity）及び、ＰＤＮ接続切断要求メッセージＩＤ（PDN disconnect request message identity）及び、リンクＥＰＳベアラＩＤ（Linked EPS bearer identity）及び、スペアハーフオクテット（Spare half octet）を含めてＰＤＮ接続切断要求を送信しても良い。さらに、ＵＥ＿Ａ１０は、少なくとも第１の識別情報及び又は第２の識別情報をＰＤＮ接続切断要求に含めても良い。さらに、ＵＥ＿Ａ１０は、ＰＣＯ（Protocol Configuration Options）をＰＤＮ接続切断要求に含めても良い。なお、ＵＥ＿Ａ１０は、第１の識別情報及び又は第２の識別情報をＰＣＯに含めて送信しても良い。
【０４８４】
ここで、第１の識別情報は、ＰＤＮコネクションがマルチアクセスＰＤＮコネクションであることを示すＮＢＩＦＯＭ  Ｉｎｄｉｃａｔｉｏｎであってよい。なお、第１の識別情報は、マルチアクセスＰＤＮコネクションのＮＢＩＦＯＭオペレーションモードを表すＭｏｄｅ  Ｉｎｄｉｃａｔｉｏｎであってもよい。ＵＥ＿Ａ１０は、第１の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０４８５】
第２の識別情報は、ＵＥ＿Ａ１０がＮＢＩＦＯＭをサポートしていることを表すＵＥ  ＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０４８６】
このように、第１の識別情報及び又は第２の識別情報を送信することにより、マルチアクセスＰＤＮコネクションに対応づけられた３ＧＰＰアクセスによる通信路のみを切断することを要求してもよい。言い換えるとは、第１の識別情報及び又は第２の識別情報は、マルチアクセスＰＤＮコネクションに対応づけられた３ＧＰＰアクセスによる通信路のみを切断することを要求することを示す情報であってよい。
【０４８７】
プロトコルディスクリミネターは、プロトコルの種類を識別するための情報であってよい。
【０４８８】
ＥＰＳベアラＩＤは、ベアラを識別する情報であってよい。
【０４８９】
プロシージャトランザクションＩＤは、ＰＤＮ接続切断手続きを識別する情報であってよい。
【０４９０】
ＰＤＮ接続切断要求メッセージＩＤは、ＰＤＮ接続切断要求メッセージを表すメッセージタイプであってもよい。
【０４９１】
リンクＥＰＳベアラＩＤ（Linked EPS bearer identity）は、あるベアラに対応づけられたデフォルトを識別する情報であってよい。また、リンクＥＰＳベアラＩＤは、パケットフィルターに対応づけられたベアラを識別する情報であってよい。
【０４９２】
スペアハーフオクテット（Spare half octet）は、空いているビットを埋めるための要素であってよい。
【０４９３】
ＰＣＯは、ＰＤＮコネクションと関連付けられたプロトコル情報であってもよい。また、ＵＥ＿Ａ１０は、ＰＣＯに要求の識別情報を含めてもよい。なお、ＵＥ＿Ａ１０は第１の識別情報及び又は第２の識別情報をＰＣＯに含めて送信しても良い。
【０４９４】
ＭＭＥ＿Ａ４０は、ＵＥ＿Ａ１０が送信したＰＤＮ接続切断要求を受信する。ＭＭＥ＿Ａ４０はＰＤＮ接続切断要求の受信及び又は、ＰＤＮ接続切断要求に含まれる第１の識別情報及び又は第２の識別情報に基づいて、ＳＧＷ＿Ａ３５にセッション削除要求を送信する（Ｓ２００４）。なお、セッション削除要求は転送路を削除することを要求するためのメッセージであってよい。
【０４９５】
ＭＭＥ＿Ａ４０は、ＰＤＮ接続切断要求の受信及び又はＰＤＮ接続切断要求に含まれる第１の識別情報及び又は第２の識別情報に基づいて、少なくとも第１の識別情報及び又は第２の識別情報をセッション削除要求に含めて送信してもよい。さらに、ＭＭＥ＿Ａ４０は、ＰＤＮコネクションＩＤ（PDN connection ID）をセッション削除要求に含めても良い。
【０４９６】
なお、ＭＭＥ＿Ａ４０は、ＰＤＮ接続切断要求に第１の識別情報及び又は第２の識別情報のいずれの識別情報も含まれない場合は、第１の識別情報及び又は第２の識別情報を含めずにセッション削除要求を送信してもよい。
【０４９７】
ここで、ＰＤＮコネクションＩＤは、ＵＥ＿Ａ１０とＰＧＷ＿Ａ３０の間で確立されているＰＤＮコネクションを一意に識別するための情報であってもよい。
【０４９８】
ＳＧＷ＿Ａ３５は、ＭＭＥ＿Ａ４０が送信したセッション削除要求を受信する。ＳＧＷ＿Ａ３５はセッション削除要求の受信及び又は、セッション削除要求に含まれる第１の識別情報及び又は第２の識別情報に基づいて、ＰＧＷ＿Ａ３０にセッション削除要求を送信する（Ｓ２００６）。
【０４９９】
ＳＧＷ＿Ａ３５は、セッション削除要求の受信及び又はセッション削除要求に含まれる第１の識別情報及び又は第２の識別情報に基づいて、少なくとも第１の識別情報及び又は第２の識別情報をセッション削除要求に含めて送信してもよい。さらに、ＳＧＷ＿Ａ３５は、ＰＤＮコネクションＩＤ（PDN connection ID）をセッション削除要求に含めても良い。
【０５００】
なお、ＳＧＷ＿Ａ３５は、セッション削除要求に第１の識別情報及び又は第２の識別情報のいずれの識別情報も含まれない場合は、第１の識別情報及び又は第２の識別情報を含めずにセッション削除要求を送信してもよい。
【０５０１】
ＰＧＷ＿Ａ３０は、ＳＧＷ＿Ａ３５が送信したセッション削除要求を受信する。ＰＧＷ＿Ａ３０は、セッション削除要求の受信及び又はセッション削除要求に含まれる第１の識別情報及び又は第２の識別情報に基づいて、ＰＣＲＦ＿Ａ６０との間でのＩＰ−ＣＡＮセッション更新手続きを実行しても良い（Ｓ２００８）。
【０５０２】
ＰＧＷ＿Ａ３０は、セッション削除要求の受信及び又はセッション削除要求に含まれる第１の識別情報及び又は第２の識別情報に基づいて、少なくとも第１の識別情報及び又は第２の識別情報をＩＰ−ＣＡＮセッション更新手続きに含めて実行しても良い。
【０５０３】
なお、ＰＧＷ＿Ａ３０は、ＰＣＲＦ＿Ａ６０にマルチアクセスＰＤＮコネクションに対応づけられた３ＧＰＰアクセスによる通信路のみを切断することを通知するためにＩＰ−ＣＡＮセッション更新手続きを実行しても良い。
【０５０４】
ＰＧＷ＿Ａ３０は、削除する通信路がマルチアクセスＰＤＮコネクションに対応づけられた通信路であるか、シングルアクセスＰＤＮコネクションに対応づけられた通信路であるかを示す情報及び又は第１の識別情報及び又は第２の識別情報をＩＰ−ＣＡＮセッション手続き内の制御メッセージに含めてＰＣＲＦ＿Ａ６０に送信しても良い。
【０５０５】
より具体的には、削除する通信路がマルチアクセスＰＤＮコネクションに対応づけられた通信路である場合には、ＰＧＷ＿Ａ３０は、３ＧＰＰアクセスネットワークを示す情報と、ＰＤＮコネクションがマルチアクセスＰＤＮコネクションであることを示す情報と、第１の識別情報及び又は第２の識別情報をＰＣＲＦ＿Ａ６０に送信する。もしくは、削除する通信路がシングルアクセスＰＤＮコネクションに対応づけられた通信路である場合には、ＰＧＷ＿Ａ３０は、３ＧＰＰアクセスネットワークを示す情報と、ＰＤＮコネクションがシングルアクセスＰＤＮコネクションであることを示す情報とをＰＣＲＦ＿Ａ６０に送信する。
【０５０６】
さらに、ＰＣＲＦ＿Ａ６０は、第１の識別情報及び又は第２の識別情報の受信に基づいて、ＰＧＷ＿Ａ３０との間でＩＰ−ＣＡＮセッション更新手続き内の制御メッセージに少なくとも第１の識別情報及び又は第３の識別情報を含めてＰＧＷ＿Ａ３０に送信しても良い。
【０５０７】
なお、ＰＣＲＦ＿Ａ６０はＰＧＷ＿Ａ３０に課金情報及び又はＱｏＳ制御情報及び又はルーティング情報を通知するためにＩＰ−ＣＡＮセッション更新手続きを実行しても良い。
【０５０８】
ここで、第３の識別情報は、ネットワークがＮＢＩＦＯＭをサポートしていることを表すＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０５０９】
このように、第１の識別情報及び又は第３の識別情報を送信することにより、マルチアクセスＰＤＮコネクションに対応づけられた３ＧＰＰアクセスによる通信路のみを切断することを示してもよい。言い換えるとは、第１の識別情報及び又は第３の識別情報は、マルチアクセスＰＤＮコネクションに対応づけられた３ＧＰＰアクセスによる通信路のみを切断することを示す情報であってよい。
【０５１０】
ＰＧＷ＿Ａ３０はセッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、ＳＧＷ＿Ａ３５にセッション削除応答を送信する（Ｓ２０１０）。
【０５１１】
ＰＧＷ＿Ａ３０は、セッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、少なくとも第１の識別情報及び又は第３の識別情報をセッション削除応答に含めて送信しても良い。
【０５１２】
なお、ＰＧＷ＿Ａ３０が第３の識別情報を取得する方法は、これまで説明したＩＰ−ＣＡＮセッション更新手続きにおいてＰＣＲＦ＿Ａ６０から取得する方法に限らず、別の例であっても良い。例えば、ＰＧＷ＿Ａ３０はＩＰ−ＣＡＮセッション更新手続きにおいてＰＣＲＦ＿Ａ６０から取得せず、ＰＧＷ＿Ａ３０が第３の識別情報を生成し、セッション削除応答に含めて送信しても良い。
【０５１３】
ＰＧＷ＿Ａ３０は、セッション削除要求の受信及び又はＩＰ−ＣＡＮセッション更新手続きの完了及び又はセッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられた３ＧＰＰアクセスによる通信路のみを切断してもよい。より詳細には、ＰＧＷ＿Ａ３０は、マルチアクセスＰＤＮコネクションに対応づけられた３ＧＰＰアクセスによる通信路用のコンテキストを削除することで、３ＧＰＰアクセスによる通信路を切断してもよい。
【０５１４】
また、ＰＧＷ＿Ａ３０は、マルチアクセスＰＤＮコネクションに対応づけられた３ＧＰＰアクセスによる通信路を全て削除した場合、マルチアクセスＰＤＮコネクションに対応づけられたデフォルトアクセスを削除してもよい。言い換えると、ＰＧＷ＿Ａ３０は、マルチアクセスＰＤＮコネクションに対応づけられた３ＧＰＰアクセスによる通信路用のコンテキストを全て削除した場合、マルチアクセスＰＤＮコネクションに対応づけられたデフォルトアクセスを削除してもよい。より詳細には、ＰＧＷ＿Ａ３０は、マルチアクセスＰＤＮコネクションに対応づけられた３ＧＰＰアクセスによる通信路用のコンテキストを全て削除した場合、マルチアクセスＰＤＮコネクションに対応づけられたＰＤＮごとのＥＰＳベアラコンテキストに含まれるデフォルトアクセスを削除してもよい。
【０５１５】
したがって、ＰＧＷ＿Ａ３０は、セッション削除要求の受信及び又は、ＩＰ−ＣＡＮセッション更新手続きの完了及び又は、セッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられたデフォルトアクセスを削除してもよい。
【０５１６】
このように、ＰＧＷ＿Ａ３０は、マルチアクセスＰＤＮコネクションに対応づけられた３ＧＰＰアクセスによる通信路用のコンテキスト及び又はデフォルトアクセスを削除することで、マルチアクセスＰＤＮコネクションに対応づけられた３ＧＰＰアクセスによる通信路を切断してもよい。
【０５１７】
また、ＰＧＷ＿Ａ３０は、３ＧＰＰアクセスシステムの電波状態の悪化や、接続性が不安定等の原因により、３ＧＰＰアクセスシステムの接続性が失われたことの検出に基づいて、マルチアクセスＰＤＮコネクションに対応づけられた３ＧＰＰアクセスによる通信路用のコンテキスト及び又はデフォルトアクセスを削除してもよい。  ＳＧＷ＿Ａ３５は、ＰＧＷ＿Ａ３０が送信したセッション削除応答を受信する。ＳＧＷ＿Ａ３５は、セッション削除応答の受信及び又はセッション削除応答に含まれる第１の識別情報及び又は第３の識別情報に基づいて、ＭＭＥ＿Ａ４０にセッション削除応答を送信する（Ｓ２０１２）。
【０５１８】
ＰＧＷ＿Ａ３０は、セッション削除応答の受信及び又はセッション削除応答に含まれる第１の識別情報及び又は第３の識別情報に基づいて、少なくとも第１の識別情報及び又は第３の識別情報をセッション削除応答に含めて送信しても良い。
【０５１９】
ＭＭＥ＿Ａ４０は、ＳＧＷ＿Ａ３５が送信したセッション削除応答を受信する。ＭＭＥ＿Ａ４０はセッション削除応答の受信及び又はセッション削除応答に含まれる第１の識別情報及び又は第３の識別情報に基づいて、ｅＮＢ＿Ａ４５にＥＰＳベアラコンテキストデアクティブ化要求（Deactivate EPS Bearer context request）を送信する（Ｓ２０１４）。なお、ＥＰＳベアラコンテキストデアクティブ化要求メッセージは、ＰＤＮコネクションの切断を許可することを示す制御メッセージであればよく、ＰＤＮ接続切断受諾（PDN disconnection accept）であってよい。また、ＥＰＳベアラコンテキストデアクティブ化要求メッセージはＰＤＮ接続切断要求に対する応答メッセージであってよい。
【０５２０】
ＭＭＥ＿Ａ４０は、セッション削除応答の受信及び又はセッション削除応答に含まれる第１の識別情報及び又は第３の識別情報に基づいて、少なくともプロトコルディスクリミネター及び、ＥＰＳベアラＩＤ及び、プロシージャトランザクションＩＤ及び、ＥＰＳベアラコンテキストデアクティブ化要求メッセージＩＤ（Deactivate EPS Bearer context request message identity）及び、ＥＭＳ  ＣｏｕｓｅをＥＰＳベアラコンテキストデアクティブ化要求に含めて送信しても良い。さらに、ＭＭＥ＿Ａ４０は、少なくとも第１の識別情報及び又は第３の識別情報をＥＰＳベアラコンテキストデアクティブ化要求に含めても良い。さらに、ＭＭＥ＿Ａ４０は、ＰＣＯ及び又はＴ３３９６バリュー（T3396 value）及び又はＷＬＡＮオフロード情報（WLAN Offload Indication）をＥＰＳベアラコンテキストデアクティブ化要求に含めても良い。なお、ＭＭＥ＿Ａ４０は、第１の識別情報及び又は第２の識別情報をＰＣＯに含めて送信しても良い。
【０５２１】
ここで、ＥＰＳベアラコンテキストデアクティブ化要求メッセージＩＤはＥＰＳベアラコンテキストデアクティブ化要求メッセージを表すメッセージタイプであってもよい。
【０５２２】
ＥＭＳ  Ｃａｕｓｅは、ＥＰＳベアラコンテキストデアクティブ化要求を送信する理由を表す情報であってもよい。
【０５２３】
Ｔ３３９６バリューはＥＳＭ  Ｃａｕｓｅがリソース不足（insufficient resources）を表す場合に含まれる、Ｔ３３９６タイマーの値であってもよい。
【０５２４】
ＷＬＡＮオフロード情報は、現在のＰＤＮコネクションにおいて、トラフィックのＷＬＡＮアクセスネットワークへのオフロードできるかどうかを示す情報であってよい。
【０５２５】
ｅＮＢ＿Ａ４５は、ＭＭＥ＿Ａ４０が送信したＥＰＳベアラコンテキストデアクティブ化要求を受信する。ｅＮＢ＿Ａ４５は、ＥＰＳベアラコンテキストデアクティブ化要求の受信に基づいて、ＵＥ＿Ａ１０にＥＰＳベアラコンテキストデアクティブ化要求を転送する。
【０５２６】
ｅＮＢ＿Ａ４５は、ＥＰＳベアラコンテキストデアクティブ化要求と共に、少なくとも、ＵＥ＿Ａ１０にＲＲＣ接続設定要求（RRC Connection Reconfiguration）を送信してもよい（Ｓ２０１６）。
【０５２７】
ＵＥ＿Ａ１０は、ｅＮＢ＿Ａ４５が送信したＲＲＣ接続設定要求を受信する。さらに、ＵＥ＿Ａ１０は、ＭＭＥ＿Ａ４０が送信し、ｅＮＢ＿Ａ４５が転送したＥＰＳベアラコンテキストデアクティブ化要求を受信する。
【０５２８】
ＵＥ＿Ａ１０はＲＲＣ接続設定要求の受信に基づいて、ｅＮＢ＿Ａ４５にＲＲＣ接続設定完了（RRC Connection Reconfiguration Complete）を送信する（Ｓ２０１８）。
【０５２９】
ｅＮＢ＿Ａ４５は、ＵＥ＿Ａ１０が送信したＲＲＣ接続設定完了を受信する。ｅＮＢ＿Ａ４５は、ＲＲＣ接続設定完了に基づいて、ＭＭＥ４０にデアクティブベアラ応答（Deactivate Bearer Response）を送信する（Ｓ２０２０）。
【０５３０】
ＭＭＥ４０は、ｅＮＢ４５が送信したデアクティブベアラ応答を受信する。
【０５３１】
ＵＥ＿Ａ１０はＥＰＳベアラコンテキストデアクティブ化要求の受信、及び又はＥＰＳベアラコンテキストデアクティブ化要求に含まれる第１の識別情報及び又は第３の識別情報に基づいて、ｅＮＢ＿Ａ４５を介してＭＭＥ＿Ａ４０にＥＰＳベアラコンテキストデアクティブ化受諾（Deactivate EPS Bearer context accept）を送信する（Ｓ２０２２）（Ｓ２２２４）。
【０５３２】
ＵＥ＿Ａ１０は、少なくともプロトコルディスクリミネター及び、ＥＰＳベアラＩＤ及び、プロシージャトランザクションＩＤ及び、ＥＰＳベアラコンテキストデアクティブ化受諾メッセージＩＤ（Activate default EPS bearer context accept message identity）をＥＰＳベアラコンテキストデアクティブ化受諾に含めて送信してもよい。
【０５３３】
さらに、ＰＣＯをＥＰＳベアラコンテキストデアクティブ化受諾に含めてもよい。
【０５３４】
ここで、ＥＰＳベアラコンテキストデアクティブ化受諾メッセージＩＤはＥＰＳベアラコンテキストデアクティブ化受諾メッセージを表すメッセージタイプであってもよい。
【０５３５】
ＵＥ＿Ａ１０は、ＥＰＳベアラコンテキストデアクティブ化要求の受信及び又はＥＰＳベアラコンテキストデアクティブ化要求に含まれる第１の識別情報及び又は第３の識別情報及び又はＥＰＳベアラＩＤに基づいて、ＥＰＳベアラＩＤで識別されるベアラがデフォルトベアラの場合、ＥＰＳベアラＩＤで識別されるデフォルトベアラが対応づけられたマルチアクセスＰＤＮコネクションに対応づけられた３ＧＰＰアクセスによる通信路のみを切断してもよい。より詳細には、ＵＥ＿Ａ１０は、マルチアクセスＰＤＮコネクションに対応づけられた３ＧＰＰアクセスによる通信路用のコンテキストを削除することで、３ＧＰＰアクセスによる通信路を切断してもよい。なお、受信したＥＰＳベアラＩＤで識別されるベアラがデフォルトベアラではない場合、ＵＥ＿Ａ１０は、３ＧＰＰアクセスによる通信路を切断しなくてもよい。
【０５３６】
また、ＵＥ＿Ａ１０は、マルチアクセスＰＤＮコネクションに対応づけられた３ＧＰＰアクセスによる通信路を全て削除した場合、マルチアクセスＰＤＮコネクションに対応づけられたデフォルトアクセスを削除してもよい。言い換えると、ＵＥ＿Ａ１０は、マルチアクセスＰＤＮコネクションに対応づけられた３ＧＰＰアクセスによる通信路用のコンテキストを全て削除した場合、マルチアクセスＰＤＮコネクションに対応づけられたデフォルトアクセスを削除してもよい。より詳細には、ＵＥ＿Ａ１０は、マルチアクセスＰＤＮコネクションに対応づけられた３ＧＰＰアクセスによる通信路用のコンテキストを全て削除した場合、マルチアクセスＰＤＮコネクションに対応づけられたＰＤＮごとのＵＥコンテキストに含まれるデフォルトアクセスを削除してもよい。
【０５３７】
したがって、ＵＥ＿Ａ１０は、ＥＰＳベアラコンテキストデアクティブ化要求の受信及び又はＥＰＳベアラコンテキストデアクティブ化要求に含まれる第１の識別情報及び又は第３の識別情報及び又はＥＰＳベアラＩＤに基づいて、ＥＰＳベアラＩＤで識別されるベアラがデフォルトベアラの場合、ＥＰＳベアラＩＤで識別されるデフォルトベアラが対応づけられたマルチアクセスＰＤＮコネクションに対応づけられたデフォルトアクセスを削除してもよい。なお、受信したＥＰＳベアラＩＤで識別されるベアラがデフォルトベアラではない場合、ＵＥ＿Ａ１０は、デフォルトアクセスを削除しなくてもよい。
【０５３８】
このように、ＵＥ＿Ａ１０は、マルチアクセスＰＤＮコネクションに対応づけられた３ＧＰＰアクセスによる通信路用のコンテキスト及び又はデフォルトアクセスを削除することで、マルチアクセスＰＤＮコネクションに対応づけられた３ＧＰＰアクセスによる通信路を切断してもよい。
【０５３９】
また、ＵＥ＿Ａ１０は、３ＧＰＰアクセスシステムの電波状態の悪化や、接続性が不安定等の原因により、３ＧＰＰアクセスシステムの接続性が失われたことの検出に基づいて、マルチアクセスＰＤＮコネクションに対応づけられた３ＧＰＰアクセスによる通信路用のコンテキスト及び又はデフォルトアクセスを削除してもよい。
【０５４０】
ＵＥ主導のＰＤＮ接続切断手続き（３ＧＰＰアクセスネットワーク）の完了によりＵＥ＿Ａ１０及びＰＧＷ＿Ａ３０は３ＧＰＰアクセスによる通信路を持たないマルチアクセスＰＤＮコネクションを確立する。３ＧＰＰアクセスによる通信路を持たないマルチアクセスＰＤＮコネクションは、ＷＬＡＮアクセスによる通信路のみをもつマルチアクセスＰＤＮコネクションであってよい。
【０５４１】
なお、３ＧＰＰアクセスによる通信路のみをもつマルチアクセスＰＤＮコネクションに対応づけられているデフォルトベアラは１つのみであってよい。従って、ＷＬＡＮアクセスによる通信路のみをもつマルチアクセスＰＤＮコネクションを持つ場合、ＵＥ＿Ａ１０及びＰＧＷ＿Ａ３０は、デフォルトアクセスを用いることなくデフォルトベアラを選択し、選択したデフォルトベアラを用いてユーザデータの送受信を行ってもよい。
【０５４２】
ＵＥ主導のＰＤＮ接続切断手続き（３ＧＰＰアクセスネットワーク）の完了後、ＵＥ＿Ａ１０及びＰＧＷ＿Ａ３０は、記憶したＷＬＡＮアクセスによる通信路用のコンテキストに基づいてユーザデータを送受信してもよい。
【０５４３】
次に、ＵＥ主導のＰＤＮ接続切断手続き（３ＧＰＰアクセスネットワーク）の完了後のＵＥ＿Ａ１０及びＰＧＷ＿Ａ３０がユーザデータを送受信する方法の具体例として、第１から第３の例を説明する。
【０５４４】
まず、第１の例を説明する。なお、第１の例でのＵＥ＿Ａ１０及びＰＧＷ＿Ａ３０のＷＬＡＮアクセスによる通信路用のコンテキストは、図１５で示したベアラごとのコンテキストのうち、３ＧＰＰアクセスによる通信路用のコンテキストを削除したものであってもよい。
【０５４５】
ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ｂ１、Ｆｉｌｔｅｒ  Ｂ２の順でＲｏｕｔｉｎｇ  Ｆｉｌｔｅｒと送信するユーザデータを比較する。
【０５４６】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ｂ２とマッチした場合、ＵＥ＿Ａ１０及びＰＧＷ＿Ａ３０は、Ｆｉｌｔｅｒ  Ｂ２に対応するＤｅｄｉｃａｔｅｄ  Ｂｅａｒｅｒ  Ｂ２を用いてユーザデータを送信してもよい。
【０５４７】
比較した結果、ユーザデータがどのＲｏｕｔｉｎｇ  Ｆｉｌｔｅｒにもマッチしない場合、ＵＥ＿Ａ１０及びＰＧＷ＿Ａ３０は、デフォルトベアラを用いてユーザデータを送信してもよい。例えば、送信するユーザデータがＦｉｌｔｅｒ  Ｂ１及びＦｉｌｔｅｒ  Ｂ２とマッチしない場合、ＵＥ＿Ａ１０及びＰＧＷ＿Ａ３０は、ＷＬＡＮアクセスネットワークのデフォルトベアラであるＤｅｆａｕｌｔ  Ｂｅａｒｅｒ  ２を用いてユーザデータを送信してもよい。
【０５４８】
次に、第２の例を説明する。なお、第２の例でのＵＥ＿Ａ１０及びＰＧＷ＿Ａ３０のＷＬＡＮアクセスによる通信路用のコンテキストは、図１６で示したベアラごとのコンテキストのうち、３ＧＰＰアクセスによる通信路用のコンテキストを削除したものであってもよい。
【０５４９】
第１の例と同様に、ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ｂ１、Ｆｉｌｔｅｒ  Ｂ２、ＡＮＹ  ２の順でＲｏｕｔｉｎｇ  Ｆｉｌｔｅｒと送信するユーザデータを比較する。ここで、ＡＮＹ  ２は全てのユーザデータとマッチするルールが記載されたフィルターであってよい。
【０５５０】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ｂ２とマッチした場合、ＵＥ＿Ａ１０は、Ｆｉｌｔｅｒ  Ｂ２に対応するＤｅｄｉｃａｔｅｄ  Ｂｅａｒｅｒ  Ｂ２を用いてユーザデータを送信する。送信するユーザデータがＡＮＹ  ２とマッチした場合、ＵＥ＿Ａ１０は、ＡＮＹ  ２に対応するＤｅｆａｕｌｔ  Ｂｅａｒｅｒ  ２を用いて、ユーザデータを送信してもよい。
【０５５１】
次に、第３の例を説明する。なお、第３の例でのＵＥ＿Ａ１０及びＰＧＷ＿Ａ３０のＷＬＡＮアクセスによる通信路用のコンテキストは、図１７で示したベアラごとのコンテキストのうち、３ＧＰＰアクセスによる通信路用のコンテキストを削除したものであってもよい。
【０５５２】
第１の例と同様に、ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ｂ１、Ｆｉｌｔｅｒ  Ｂ２、Ｆｉｌｔｅｒ  Ｄ２の順でＲｏｕｔｉｎｇ  Ｆｉｌｔｅｒと送信するユーザデータを比較する。ここで、Ｆｉｌｔｅｒ  Ｄ２は、特定のＵＥ＿Ａ１０及び又はＰＧＷ＿Ａ３０に対応する全てのユーザデータにマッチするルールが記載されたフィルターであってよい。例えば、Ｆｉｌｔｅｒ  Ｄ２は、ＵＥ＿Ａ１０及び又はＰＧＷ＿Ａ３０のソースＩＰアドレスにマッチするルールが記載されたフィルターであってよい。
【０５５３】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ｂ２とマッチした場合、ＵＥ＿Ａ１０は、Ｆｉｌｔｅｒ  Ｂ２に対応するＤｅｄｉｃａｔｅｄ  Ｂｅａｒｅｒ  Ｂ２を用いてユーザデータを送信する。送信するユーザデータがＦｉｌｔｅｒ  Ｄ２とマッチした場合、ＵＥ＿Ａ１０は、Ｆｉｌｔｅｒ  Ｄ２に対応するＤｅｆａｕｌｔ  Ｂｅａｒｅｒ  ２を用いて、ユーザデータを送信してもよい。
【０５５４】
ＵＥ主導のＰＤＮ接続切断手続き（３ＧＰＰアクセスネットワーク）の例では、マルチアクセスＰＤＮコネクションに対応づけられた３ＧＰＰアクセスによる通信路のみを切断する場合について説明した。
【０５５５】
以上の手続きにより、ＵＥ＿１０Ａ及び又はＰＧＷ＿Ａ３０は、マルチアクセスＰＤＮコネクションに対して確立する３ＧＰＰアクセスを介した通信路とＷＬＡＮアクセスを介した通信路のうちの一方を切断したことに基づいてデフォルトアクセスを削除し、通信を継続することができる。言い換えると、ＵＥ＿１０Ａ及び又はＰＧＷ＿Ａ３０は、３ＧＰＰアクセスに対応づけられたデフォルトベアラとＷＬＡＮアクセスに対応づけられてデフォルトベアラのうちの１つを削除して通信を継続することができる。
【０５５６】
［１．４．４．ネットワーク主導のＰＤＮ接続切断手続き（３ＧＰＰアクセスネットワーク）の説明］
次に、ネットワーク主導の、マルチアクセスＰＤＮコネクションに対応づけられた３ＧＰＰアクセスによる通信路を切断するためのＰＤＮ接続切断手続き例を、図２１を用いて説明する。
【０５５７】
なお、ＰＣＲＦ＿Ａ６０及びＰＧＷ＿Ａ３０は、３ＧＰＰアクセスシステムの電波状態の悪化や、接続性が不安定であることなどを検出し、ＰＤＮ接続切断手続きを開始してもよい。また、ＰＣＲＦ＿Ａ６０及びＰＧＷ＿Ａ３０は、任意のタイミングでＰＤＮ接続切断手続きを開始してもよい。
【０５５８】
ＰＣＲＦ＿Ａ６０は、まず、ＰＤＮ接続切断手続きを開始するために、ＰＧＷ＿Ａ３０にＩＰ−ＣＡＮ更新手続きを要求するためのメッセージを送信する（Ｓ２１０２）。ＩＰ−ＣＡＮ更新手続きを要求するためのメッセージには少なくとも、第１の識別情報及び又は第３の識別情報が含まれてもよい。
【０５５９】
ここで、第１の識別情報は、ＰＤＮコネクションがマルチアクセスＰＤＮコネクションであることを示すＮＢＩＦＯＭ  Ｉｎｄｉｃａｔｉｏｎであってよい。なお、第１の識別情報は、マルチアクセスＰＤＮコネクションのＮＢＩＦＯＭオペレーションモードを表すＭｏｄｅ  Ｉｎｄｉｃａｔｉｏｎであってもよい。ＵＥ＿Ａ１０は、第１の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０５６０】
第３の識別情報は、ネットワークがＮＢＩＦＯＭをサポートしていることを表すＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０５６１】
このように、第１の識別情報及び又は第３の識別情報を送信することにより、マルチアクセスＰＤＮコネクションに対応づけられた３ＧＰＰアクセスによる通信路のみを切断することを示してもよい。言い換えるとは、第１の識別情報及び又は第３の識別情報は、マルチアクセスＰＤＮコネクションに対応づけられた３ＧＰＰアクセスによる通信路のみを切断することを示す情報であってよい。
【０５６２】
ＰＧＷ＿Ａ３０は、ＰＣＲＦ＿Ａ６０が送信したＩＰ−ＣＡＮ更新手続きを要求するためのメッセージを受信する。ＰＧＷ＿Ａ３０は、ＩＰ−ＣＡＮ更新手続きを要求するためのメッセージの受信及び又は、ＩＰ−ＣＡＮ更新手続きを要求するためのメッセージに含まれる第１の識別情報及び又は第３の識別情報に基づいて、ＳＧＷ＿Ａ３５にセッション削除要求を送信する（Ｓ２１０４）。
【０５６３】
ＰＧＷ＿Ａ３０は、ＩＰ−ＣＡＮ更新手続きを要求するためのメッセージの受信及び又は、ＩＰ−ＣＡＮ更新手続きを要求するためのメッセージに含まれる第１の識別情報及び又は第３の識別情報に基づいて、少なくとも第１の識別情報及び又は第３の識別情報をセッション削除要求に含めて送信しても良い。
【０５６４】
なお、ＰＤＮ接続切断手続きを開始する方法は、これまで説明したＩＰ−ＣＡＮセッション更新手続きにおいてＰＣＲＦ＿Ａ６０が開始する方法に限らず、ＰＧＷ＿Ａ３０が開始してもよい。その際、ＰＧＷ＿Ａ３０が第１の識別情報及び又は第３の識別情報を生成し、セッション削除要求に含めて送信しても良い。
【０５６５】
ＳＧＷ＿Ａ３５は、ＰＧＷ＿Ａ３０が送信したセッション削除要求を受信する。ＳＧＷ＿Ａ３５は、セッション削除要求の受信及び又はセッション削除要求に含まれる第１の識別情報及び又は第３の識別情報に基づいて、ＭＭＥ＿Ａ４０にセッション削除要求を送信する（Ｓ２１０６）。
【０５６６】
ＳＧＷ＿Ａ３５は、セッション削除要求の受信及び又はセッション削除要求に含まれる第１の識別情報及び又は第３の識別情報に基づいて、少なくとも第１の識別情報及び又は第３の識別情報をセッション削除要求に含めて送信しても良い。
【０５６７】
ＭＭＥ＿Ａ４０は、ＳＧＷ＿Ａ３５が送信したセッション削除要求を受信する。ＭＭＥ＿Ａ４０は、セッション削除要求の受信及び又はセッション削除要求に含まれる第１の識別情報及び又は第３の識別情報に基づいて、ｅＮＢ＿Ａ４５にＥＰＳベアラコンテキストデアクティブ化要求（Deactivate EPS Bearer context request）を送信する（Ｓ２１０８）。なお、ＥＰＳベアラコンテキストデアクティブ化要求は転送路を削除することを要求するためのメッセージであってよい。
【０５６８】
ＭＭＥ＿Ａ４０は、セッション削除要求の受信及び又はセッション削除要求に含まれる第１の識別情報及び又は第３の識別情報に基づいて、少なくともプロトコルディスクリミネター（Protocol discriminator）及び、ＥＰＳベアラＩＤ（EPS bearer identity）及び、プロシージャトランザクションＩＤ（Procedure transaction identity）及び、ＥＰＳベアラコンテキストデアクティブ化要求メッセージＩＤ（Deactivate EPS Bearer context request message identity）及び、ＥＭＳ  ＣｏｕｓｅをＥＰＳベアラコンテキストデアクティブ化要求に含めて送信しても良い。さらに、ＭＭＥ＿Ａ４０は、少なくとも第１の識別情報及び又は第３の識別情報をＥＰＳベアラコンテキストデアクティブ化要求に含めても良い。さらに、ＭＭＥ＿Ａ４０は、ＰＣＯ（Protocol Configuration Options）及び又はＴ３３９６バリュー（T3396 value）及び又はＷＬＡＮオフロード情報（WLAN Offload Indication）をＥＰＳベアラコンテキストデアクティブ化要求に含めても良い。
【０５６９】
ここで、プロトコルディスクリミネターは、プロトコルの種類を識別するための情報であってよい。
【０５７０】
ＥＰＳベアラＩＤは、ベアラを識別する情報であってよい。
【０５７１】
プロシージャトランザクションＩＤは、ＰＤＮ接続切断手続きを識別する情報であってよい。
【０５７２】
ＥＰＳベアラコンテキストデアクティブ化要求メッセージＩＤはＥＰＳベアラコンテキストデアクティブ化要求メッセージを表すメッセージタイプであってもよい。
【０５７３】
ＥＭＳ  Ｃａｕｓｅは、ＥＰＳベアラコンテキストデアクティブ化要求を送信する理由を表す情報であってもよい。
【０５７４】
ＰＣＯは、ＰＤＮコネクションと関連付けられたプロトコル情報であってもよい。また、ＵＥ＿Ａ１０は、ＰＣＯに要求の識別情報を含めてもよい。なお、ＭＭＥ＿Ａ４０は第１の識別情報及び又は第３の識別情報をＰＣＯに含めて送信しても良い。
【０５７５】
Ｔ３３９６バリューはＥＳＭ  Ｃａｕｓｅがリソース不足（insufficient resources）を表す場合に含まれる、Ｔ３３９６タイマーの値であってもよい。
【０５７６】
ＷＬＡＮオフロード情報は、現在のＰＤＮコネクションにおいて、トラフィックのＷＬＡＮアクセスネットワークへのオフロードできるかどうかを示す情報であってよい。
【０５７７】
ｅＮＢ＿Ａ４５は、ＭＭＥ＿Ａ４０が送信したＥＰＳベアラコンテキストデアクティブ化要求を受信する。ｅＮＢ＿Ａ４５は、ＥＰＳベアラコンテキストデアクティブ化要求の受信に基づいて、ＵＥ＿Ａ１０にＥＰＳベアラコンテキストデアクティブ化要求を転送する。
【０５７８】
ｅＮＢ＿Ａ４５は、ＥＰＳベアラコンテキストデアクティブ化要求と共に、少なくとも、ＵＥ＿Ａ１０にＲＲＣ接続設定要求（RRC Connection Reconfiguration）を送信してもよい（Ｓ２１１０）。
【０５７９】
ＵＥ＿Ａ１０は、ｅＮＢ＿Ａ４５が送信したＲＲＣ接続設定要求を受信する。さらに、ＵＥ＿Ａ１０は、ＭＭＥ＿Ａ４０が送信し、ｅＮＢ＿Ａ４５が転送したＥＰＳベアラコンテキストデアクティブ化要求を受信する。
【０５８０】
ＵＥ＿Ａ１０はＲＲＣ接続設定要求の受信に基づいて、ｅＮＢ＿Ａ４５にＲＲＣ接続設定完了（RRC Connection Reconfiguration Complete）を送信する（Ｓ２１１２）。
【０５８１】
ｅＮＢ＿Ａ４５は、ＵＥ＿Ａ１０が送信したＲＲＣ接続設定完了を受信する。ｅＮＢ＿Ａ４５は、ＲＲＣ接続設定完了に基づいて、ＭＭＥ４０にデアクティブベアラ応答（Deactivate Bearer Response）を送信する（Ｓ２１１４）。
【０５８２】
ＭＭＥ４０は、ｅＮＢ４５が送信したデアクティブベアラ応答を受信する。
【０５８３】
ＵＥ＿Ａ１０はＥＰＳベアラコンテキストデアクティブ化要求の受信、及び又はＥＰＳベアラコンテキストデアクティブ化要求に含まれる第１の識別情報及び又は第３の識別情報に基づいて、ｅＮＢ＿Ａ４５を介してＭＭＥ＿Ａ４０にＥＰＳベアラコンテキストデアクティブ化受諾（Deactivate EPS Bearer context accept）を送信する（Ｓ２１１６）（Ｓ２１１８）。なお、ＥＰＳベアラコンテキストデアクティブ化受諾は、ＰＤＮコネクションの切断を許可することを示す制御メッセージであればよい。また、ＥＰＳベアラコンテキストデアクティブ化受諾メッセージはＥＰＳベアラコンテキストデアクティブ化要求に対する応答メッセージであってよい。
【０５８４】
ＵＥ＿Ａ１０は、少なくともプロトコルディスクリミネター及び、ＥＰＳベアラＩＤ及び、プロシージャトランザクションＩＤ及び、ＥＰＳベアラコンテキストデアクティブ化受諾メッセージＩＤ（Activate default EPS bearer context accept message identity）をＥＰＳベアラコンテキストデアクティブ化受諾に含めて送信してもよい。さらに、ＵＥ＿Ａ１０は、少なくとも第１の識別情報及び又は第２の識別情報をＥＰＳベアラコンテキストデアクティブ化受諾に含めても良い。さらに、ＰＣＯをＥＰＳベアラコンテキストデアクティブ化受諾に含めてもよい。なお、ＵＥ＿Ａ１０は第１の識別情報及び又は第２の識別情報をＰＣＯに含めて送信しても良い。
【０５８５】
ここで、第２の識別情報は、ＵＥ＿Ａ１０がＮＢＩＦＯＭをサポートしていることを表すＵＥ  ＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０５８６】
このように、第１の識別情報及び又は第２の識別情報を送信することにより、マルチアクセスＰＤＮコネクションに対応づけられた３ＧＰＰアクセスによる通信路のみを切断することを示してもよい。言い換えるとは、第１の識別情報及び又は第２の識別情報は、マルチアクセスＰＤＮコネクションに対応づけられた３ＧＰＰアクセスによる通信路のみを切断することを示す情報であってよい。
【０５８７】
ＥＰＳベアラコンテキストデアクティブ化受諾メッセージＩＤはＥＰＳベアラコンテキストデアクティブ化受諾メッセージを表すメッセージタイプであってもよい。
【０５８８】
ＵＥ＿Ａ１０は、ＥＰＳベアラコンテキストデアクティブ化要求の受信及び又は、ＥＰＳベアラコンテキストデアクティブ化受諾の送信及び又は、ＥＰＳベアラコンテキストデアクティブ化要求に含まれる第１の識別情報及び又は第３の識別情報及び又はＥＰＳベアラＩＤに基づいて、ＥＰＳベアラＩＤで識別されるベアラがデフォルトベアラの場合、ＥＰＳベアラＩＤで識別されるデフォルトベアラが対応づけられたマルチアクセスＰＤＮコネクションに対応づけられた３ＧＰＰアクセスによる通信路のみを切断してもよい。より詳細には、ＵＥ＿Ａ１０は、マルチアクセスＰＤＮコネクションに対応づけられた３ＧＰＰアクセスによる通信路用のコンテキストを削除することで、３ＧＰＰアクセスによる通信路を切断してもよい。なお、受信したＥＰＳベアラＩＤで識別されるベアラがデフォルトベアラではない場合、ＵＥ＿Ａ１０は、３ＧＰＰアクセスによる通信路を切断しなくてもよい。
【０５８９】
また、ＵＥ＿Ａ１０は、マルチアクセスＰＤＮコネクションに対応づけられた３ＧＰＰアクセスによる通信路を全て削除した場合、マルチアクセスＰＤＮコネクションに対応づけられたデフォルトアクセスを削除してもよい。言い換えると、ＵＥ＿Ａ１０は、マルチアクセスＰＤＮコネクションに対応づけられた３ＧＰＰアクセスによる通信路用のコンテキストを全て削除した場合、マルチアクセスＰＤＮコネクションに対応づけられたデフォルトアクセスを削除してもよい。より詳細には、ＵＥ＿Ａ１０は、マルチアクセスＰＤＮコネクションに対応づけられた３ＧＰＰアクセスによる通信路用のコンテキストを全て削除した場合、マルチアクセスＰＤＮコネクションに対応づけられたＰＤＮごとのＵＥコンテキストに含まれるデフォルトアクセスを削除してもよい。
【０５９０】
したがって、ＵＥ＿Ａ１０は、ＥＰＳベアラコンテキストデアクティブ化要求の受信及び又は、ＥＰＳベアラコンテキストデアクティブ化要求に含まれる第１の識別情報及び又は第３の識別情報及び又はＥＰＳベアラＩＤ及び又は、ＥＰＳベアラコンテキストデアクティブ化受諾の送信に基づいて、ＥＰＳベアラＩＤで識別されるベアラがデフォルトベアラの場合、ＥＰＳベアラＩＤで識別されるデフォルトベアラが対応づけられたマルチアクセスＰＤＮコネクションに対応づけられたデフォルトアクセスを削除してもよい。なお、受信したＥＰＳベアラＩＤで識別されるベアラがデフォルトベアラではない場合、ＵＥ＿Ａ１０は、デフォルトアクセスを削除しなくてもよい。
【０５９１】
このように、ＵＥ＿Ａ１０は、マルチアクセスＰＤＮコネクションに対応づけられた３ＧＰＰアクセスによる通信路用のコンテキスト及び又はデフォルトアクセスを削除することで、マルチアクセスＰＤＮコネクションに対応づけられた３ＧＰＰアクセスによる通信路を切断してもよい。
【０５９２】
ＭＭＥ＿Ａ４０は、ＵＥ＿Ａ１０が送信したＥＰＳベアラコンテキストデアクティブ化受諾を受信する。ＭＭＥ＿Ａ４０はＥＰＳベアラコンテキストデアクティブ化受諾の受信及び又は、ＥＰＳベアラコンテキストデアクティブ化受諾に含まれる第１の識別情報及び又は第２の識別情報に基づいて、ＳＧＷ＿Ａ３５にセッション削除応答を送信する（Ｓ２１２０）。なお、セッション削除要求に対する応答メッセージであってよい。
【０５９３】
ＭＭＥ＿Ａ４０は、ＥＰＳベアラコンテキストデアクティブ化受諾の受信及び又はＥＰＳベアラコンテキストデアクティブ化受諾に含まれる第１の識別情報及び又は第２の識別情報に基づいて、少なくとも第１の識別情報及び又は第２の識別情報をセッション削除応答に含めて送信してもよい。さらに、ＭＭＥ＿Ａ４０は、ＰＤＮコネクションＩＤ（PDN connection ID）をセッション削除応答に含めても良い。
【０５９４】
ここで、ＰＤＮコネクションＩＤは、ＵＥ＿Ａ１０とＰＧＷ＿Ａ３０の間で確立されているＰＤＮコネクションを一意に識別するための情報であってもよい。
【０５９５】
ＳＧＷ＿Ａ３５は、ＭＭＥ＿Ａ４０が送信したセッション削除応答を受信する。ＳＧＷ＿Ａ３５は、セッション削除応答の受信及び又はセッション削除応答に含まれる第１の識別情報及び又は第２の識別情報に基づいて、ＰＧＷ＿Ａ３０にセッション削除応答を送信する（Ｓ２１２２）。
【０５９６】
ＳＧＷ＿Ａ３５は、セッション削除応答の受信及び又はセッション削除応答に含まれる第１の識別情報及び又は第２の識別情報に基づいて、少なくとも第１の識別情報及び又は第２の識別情報をセッション削除応答に含めて送信してもよい。さらに、ＳＧＷ＿Ａ３５は、ＰＤＮコネクションＩＤ（PDN connection ID）をセッション削除応答に含めても良い。
【０５９７】
ＰＧＷ＿Ａ３０は、ＳＧＷ＿Ａ３５が送信したセッション削除応答を受信する。ＰＧＷ＿Ａ３０は、セッション削除応答の受信及び又はセッション削除応答に含まれる第１の識別情報及び又は第２の識別情報に基づいて、ＰＣＲＦ＿Ａ６０にＩＰ−ＣＡＮ更新手続きの完了を通知するためのメッセージを送信する(Ｓ２１２４)。
【０５９８】
ＰＧＷ＿Ａ３０は、セッション削除応答の受信及び又はセッション削除応答に含まれる第１の識別情報及び又は第２の識別情報に基づいて、少なくとも第１の識別情報及び又は第２の識別情報をＩＰ−ＣＡＮ更新手続きの完了を通知するためのメッセージに含めて送信してもよい。
【０５９９】
ＰＣＲＦ＿Ａ６０ではなく、ＰＧＷ＿Ａ３０がＰＤＮ接続切断手続きを開始した場合、ＰＧＷ＿Ａ３０はＰＣＲＦ＿Ａ６０にＩＰ−ＣＡＮ更新手続きの完了を通知するためのメッセージを送信しなくてもよい。
【０６００】
ＰＧＷ＿Ａ３０は、セッション削除応答の受信及び又はＩＰ−ＣＡＮ更新手続きの完了を通知するためのメッセージの送信及び又は、セッション削除応答に含まれる第１の識別情報及び又は第２の識別情報及び又はＰＤＮコネクションＩＤに基づき、ＰＤＮコネクションＩＤで識別されるマルチアクセスＰＤＮコネクションに対応づけられた３ＧＰＰアクセスによる通信路のみを切断してもよい。より詳細には、ＰＧＷ＿Ａ３０は、マルチアクセスＰＤＮコネクションに対応づけられた３ＧＰＰアクセスによる通信路用のコンテキストを削除することで、３ＧＰＰアクセスによる通信路を切断してもよい。
【０６０１】
また、ＰＧＷ＿Ａ３０は、マルチアクセスＰＤＮコネクションに対応づけられた３ＧＰＰアクセスによる通信路を全て削除した場合、マルチアクセスＰＤＮコネクションに対応づけられたデフォルトアクセスを削除してもよい。言い換えると、ＰＧＷ＿Ａ３０は、マルチアクセスＰＤＮコネクションに対応づけられた３ＧＰＰアクセスによる通信路用のコンテキストを全て削除した場合、マルチアクセスＰＤＮコネクションに対応づけられたデフォルトアクセスを削除してもよい。より詳細には、ＰＧＷ＿Ａ３０は、マルチアクセスＰＤＮコネクションに対応づけられた３ＧＰＰアクセスによる通信路用のコンテキストを全て削除した場合、マルチアクセスＰＤＮコネクションに対応づけられたＰＤＮごとのＥＰＳベアラコンテキストに含まれるデフォルトアクセスを削除してもよい。
【０６０２】
したがって、ＰＧＷ＿Ａ３０は、セッション削除応答の受信及び又はＩＰ−ＣＡＮ更新手続きの完了を通知するためのメッセージの送信及び又は、セッション削除応答に含まれる第１の識別情報及び又は第２の識別情報及び又はＰＤＮコネクションＩＤに基づき、ＰＤＮコネクションＩＤで識別されるマルチアクセスＰＤＮコネクションに対応づけられたデフォルトアクセスを削除してもよい。
【０６０３】
このように、ＰＧＷ＿Ａ３０は、マルチアクセスＰＤＮコネクションに対応づけられた３ＧＰＰアクセスによる通信路用のコンテキスト及び又はデフォルトアクセスを削除することで、マルチアクセスＰＤＮコネクションに対応づけられた３ＧＰＰアクセスによる通信路を切断してもよい。
【０６０４】
さらに、ＵＥ＿Ａ１０は、ＥＰＳベアラコンテキストデアクティブ化要求の受信及び又は、ＥＰＳベアラコンテキストデアクティブ化要求に含まれる第１の識別情報及び又は第３の識別情報及び又は、ＥＰＳベアラコンテキストデアクティブ化受諾の送信に基づいて、ＭＭＥ＿Ａ４０との間でシグナリング接続解放手続きを実行してもよい（Ｓ２１２６）。また、ＭＭＥ＿Ａ４０は、ＥＰＳベアラコンテキストデアクティブ化受諾の受信及び又はＥＰＳベアラコンテキストデアクティブ化受諾に含まれる第１の識別情報及び又は第２の識別情報の送信に基づいて、ＵＥ＿Ａ１０との間でシグナリング接続解放手続きを実行してもよい。
【０６０５】
ネットワーク主導のＰＤＮ接続切断手続き（３ＧＰＰアクセスネットワーク）の完了によりＵＥ＿Ａ１０及びＰＧＷ＿Ａ３０は３ＧＰＰアクセスによる通信路を持たないマルチアクセスＰＤＮコネクションを確立する。３ＧＰＰアクセスによる通信路を持たないマルチアクセスＰＤＮコネクションは、ＷＬＡＮアクセスによる通信路のみをもつマルチアクセスＰＤＮコネクションであってよい。
【０６０６】
なお、ＷＬＡＮアクセスによる通信路のみをもつマルチアクセスＰＤＮコネクションに対応づけられているデフォルトベアラは１つのみであってよい。従って、ＷＬＡＮアクセスによる通信路のみをもつマルチアクセスＰＤＮコネクションを持つ場合、ＵＥ＿Ａ１０及びＰＧＷ＿Ａ３０は、デフォルトアクセスを用いることなくデフォルトベアラを選択し、選択したデフォルトベアラを用いてユーザデータの送受信を行ってもよい。
【０６０７】
ネットワーク主導のＰＤＮ接続切断手続き（３ＧＰＰアクセスネットワーク）の完了後、ＵＥ＿Ａ１０及びＰＧＷ＿Ａ３０は、記憶したＷＬＡＮアクセスによる通信路用のコンテキストに基づいてユーザデータを送受信してもよい。
【０６０８】
なお、ネットワーク主導のＰＤＮ接続切断手続き（３ＧＰＰアクセスネットワーク）の完了後のＵＥ＿Ａ１０及びＰＧＷ＿Ａ３０がユーザデータを送受信する方法は、１．４．３章で示した、ＵＥ主導のＰＤＮ接続切断手続き（３ＧＰＰアクセスネットワーク）完了後の送受信の方法と同じであってよい。従って、ここではユーザデータ送受信の方法の説明を省略する。
【０６０９】
ネットワーク主導のＰＤＮ接続切断手続き（３ＧＰＰアクセスネットワーク）の例では、マルチアクセスＰＤＮコネクションに対応づけられた３ＧＰＰアクセスによる通信路のみを切断する場合について説明した。
【０６１０】
以上の手続きにより、ＵＥ＿１０Ａ及び又はＰＧＷ＿Ａ３０は、マルチアクセスＰＤＮコネクションに対して確立する３ＧＰＰアクセスを介した通信路とＷＬＡＮアクセスを介した通信路のうちの一方を切断したことに基づいてデフォルトアクセスを削除し、通信を継続することができる。言い換えると、ＵＥ＿１０Ａ及び又はＰＧＷ＿Ａ３０は、３ＧＰＰアクセスに対応づけられたデフォルトベアラとＷＬＡＮアクセスに対応づけられてデフォルトベアラのうちの１つを削除して通信を継続することができる。
【０６１１】
［１．４．５．ＵＥ主導のデタッチ手続き（３ＧＰＰアクセスネットワーク）の説明］
次に、ＵＥ主導の、マルチアクセスＰＤＮコネクションに対応づけられた３ＧＰＰアクセスによる通信路を切断するためのデタッチ手続き例を、図２２を用いて説明する。
【０６１２】
なお、ＵＥ＿Ａ１０は、３ＧＰＰアクセスシステムの電波状態の悪化や、接続性が不安定であることなどを検出し、デタッチ手続きを開始してもよい。また、ＵＥ＿Ａ１０は、任意のタイミングでデタッチ手続きを開始してもよい。
【０６１３】
ＵＥ＿Ａ１０は、まず、ｅＮＢ＿Ａ４５を介してＭＭＥ＿Ａ４０にデタッチ要求（Detach request）を送信する（Ｓ２２０２）。ＵＥ＿Ａ１０は、少なくともプロトコルディスクリミネター（Protocol discriminator）及び、セキュリティヘッダタイプ（Security header type）及びデタッチ要求メッセージＩＤ（Detach request message identity）及び、デタッチタイプ（Detach type）及び、ＥＰＳモバイルＩＤ（EPS mobile identity）を含めてデタッチ要求を送信しても良い。さらに、ＵＥ＿Ａ１０は、少なくとも第１の識別情報及び又は第２の識別情報をデタッチ要求に含めても良い。
【０６１４】
ここで、第１の識別情報は、ＰＤＮコネクションがマルチアクセスＰＤＮコネクションであることを示すＮＢＩＦＯＭ  Ｉｎｄｉｃａｔｉｏｎであってよい。なお、第１の識別情報は、マルチアクセスＰＤＮコネクションのＮＢＩＦＯＭオペレーションモードを表すＭｏｄｅ  Ｉｎｄｉｃａｔｉｏｎであってもよい。ＵＥ＿Ａ１０は、第１の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０６１５】
第２の識別情報は、ＵＥ＿Ａ１０がＮＢＩＦＯＭをサポートしていることを表すＵＥ  ＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０６１６】
このように、第１の識別情報及び又は第２の識別情報を送信することにより、マルチアクセスＰＤＮコネクションに対応づけられた３ＧＰＰアクセスによる通信路のみを切断することを要求してもよい。言い換えるとは、第１の識別情報及び又は第２の識別情報は、マルチアクセスＰＤＮコネクションに対応づけられた３ＧＰＰアクセスによる通信路のみを切断することを要求することを示す情報であってよい。
【０６１７】
プロトコルディスクリミネターは、プロトコルの種類を識別するための情報であってよい。
【０６１８】
セキュリティヘッダタイプは、ＮＡＳメッセージで使われているセキュリティ情報であってもよい。
【０６１９】
デタッチ要求メッセージＩＤは、デタッチ要求メッセージを表すメッセージタイプであってもよい。
【０６２０】
デタッチタイプは、要求するデタッチ手続きの種類を識別する情報であってよい。
【０６２１】
ＥＰＳモバイルＩＤは、ＵＥ＿Ａ１０を識別する情報である。
【０６２２】
ＭＭＥ＿Ａ４０は、ＵＥ＿Ａ１０が送信したデタッチ要求を受信する。ＭＭＥ＿Ａ４０はデタッチ要求の受信及び又は、デタッチ要求に含まれる第１の識別情報及び又は第２の識別情報に基づいて、ＳＧＷ＿Ａ３５にセッション削除要求を送信する（Ｓ２２０４）。なお、セッション削除要求は転送路を削除することを要求するためのメッセージであってよい。
【０６２３】
ＭＭＥ＿Ａ４０は、デタッチ要求の受信及び又はデタッチ要求に含まれる第１の識別情報及び又は第２の識別情報に基づいて、少なくとも第１の識別情報及び又は第２の識別情報をセッション削除要求に含めて送信してもよい。さらに、ＭＭＥ＿Ａ４０は、ＰＤＮコネクションＩＤ（PDN connection ID）をセッション削除要求に含めても良い。
【０６２４】
なお、ＭＭＥ＿Ａ４０は、デタッチ要求に第１の識別情報及び又は第２の識別情報のいずれの識別情報も含まれない場合は、第１の識別情報及び又は第２の識別情報を含めずにセッション削除要求を送信してもよい。
【０６２５】
ここで、ＰＤＮコネクションＩＤは、ＵＥ＿Ａ１０とＰＧＷ＿Ａ３０の間で確立されているＰＤＮコネクションを一意に識別するための情報であってもよい。
【０６２６】
ＳＧＷ＿Ａ３５は、ＭＭＥ＿Ａ４０が送信したセッション削除要求を受信する。ＳＧＷ＿Ａ３５はセッション削除要求の受信及び又は、セッション削除要求に含まれる第１の識別情報及び又は第２の識別情報に基づいて、ＰＧＷ＿Ａ３０にセッション削除要求を送信する（Ｓ２２０６）。
【０６２７】
ＳＧＷ＿Ａ３５は、セッション削除要求の受信及び又はセッション削除要求に含まれる第１の識別情報及び又は第２の識別情報に基づいて、少なくとも第１の識別情報及び又は第２の識別情報をセッション削除要求に含めて送信してもよい。さらに、ＳＧＷ＿Ａ３５は、ＰＤＮコネクションＩＤ（PDN connection ID）をセッション削除要求に含めても良い。
【０６２８】
なお、ＳＧＷ＿Ａ３５は、セッション削除要求に第１の識別情報及び又は第２の識別情報のいずれの識別情報も含まれない場合は、第１の識別情報及び又は第２の識別情報を含めずにセッション削除要求を送信してもよい。
【０６２９】
ＰＧＷ＿Ａ３０は、ＳＧＷ＿Ａ３５が送信したセッション削除要求を受信する。ＰＧＷ＿Ａ３０は、セッション削除要求の受信及び又はセッション削除要求に含まれる第１の識別情報及び又は第２の識別情報に基づいて、ＰＣＲＦ＿Ａ６０との間でのＩＰ−ＣＡＮセッション更新手続きを実行しても良い（Ｓ２２０８）。
【０６３０】
ＰＧＷ＿Ａ３０は、セッション削除要求の受信及び又はセッション削除要求に含まれる第１の識別情報及び又は第２の識別情報に基づいて、少なくとも第１の識別情報及び又は第２の識別情報をＩＰ−ＣＡＮセッション更新手続きに含めて実行しても良い。
【０６３１】
なお、ＰＧＷ＿Ａ３０は、ＰＣＲＦ＿Ａ６０にマルチアクセスＰＤＮコネクションに対応づけられた３ＧＰＰアクセスによる通信路のみを切断することを通知するためにＩＰ−ＣＡＮセッション更新手続きを実行しても良い。
【０６３２】
ＰＧＷ＿Ａ３０は、削除する通信路がマルチアクセスＰＤＮコネクションに対応づけられた通信路であるか、シングルアクセスＰＤＮコネクションに対応づけられた通信路であるかを示す情報及び又は第１の識別情報及び又は第２の識別情報をＩＰ−ＣＡＮセッション手続き内の制御メッセージに含めてＰＣＲＦ＿Ａ６０に送信しても良い。
【０６３３】
より具体的には、削除する通信路がマルチアクセスＰＤＮコネクションに対応づけられた通信路である場合には、ＰＧＷ＿Ａ３０は、３ＧＰＰアクセスネットワークを示す情報と、ＰＤＮコネクションがマルチアクセスＰＤＮコネクションであることを示す情報と、第１の識別情報及び又は第２の識別情報をＰＣＲＦ＿Ａ６０に送信する。もしくは、削除する通信路がシングルアクセスＰＤＮコネクションに対応づけられた通信路である場合には、ＰＧＷ＿Ａ３０は、３ＧＰＰアクセスネットワークを示す情報と、ＰＤＮコネクションがシングルアクセスＰＤＮコネクションであることを示す情報とをＰＣＲＦ＿Ａ６０に送信する。
【０６３４】
さらに、ＰＣＲＦ＿Ａ６０は、第１の識別情報及び又は第２の識別情報の受信に基づいて、ＰＧＷ＿Ａ３０との間でＩＰ−ＣＡＮセッション更新手続き内の制御メッセージに少なくとも第１の識別情報及び又は第３の識別情報を含めてＰＧＷ＿Ａ３０に送信しても良い。
【０６３５】
なお、ＰＣＲＦ＿Ａ６０はＰＧＷ＿Ａ３０に課金情報及び又はＱｏＳ制御情報及び又はルーティング情報を通知するためにＩＰ−ＣＡＮセッション更新手続きを実行しても良い。
【０６３６】
ここで、第３の識別情報は、ネットワークがＮＢＩＦＯＭをサポートしていることを表すＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０６３７】
このように、第１の識別情報及び又は第３の識別情報を送信することにより、マルチアクセスＰＤＮコネクションに対応づけられた３ＧＰＰアクセスによる通信路のみを切断することを示してもよい。言い換えるとは、第１の識別情報及び又は第３の識別情報は、マルチアクセスＰＤＮコネクションに対応づけられた３ＧＰＰアクセスによる通信路のみを切断することを示す情報であってよい。
【０６３８】
ＰＧＷ＿Ａ３０はセッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、ＳＧＷ＿Ａ３５にセッション削除応答を送信する（Ｓ２２１０）。
【０６３９】
ＰＧＷ＿Ａ３０は、セッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、少なくとも第１の識別情報及び又は第３の識別情報をセッション削除応答に含めて送信しても良い。
【０６４０】
なお、ＰＧＷ＿Ａ３０が第３の識別情報を取得する方法は、これまで説明したＩＰ−ＣＡＮセッション更新手続きにおいてＰＣＲＦ＿Ａ６０から取得する方法に限らず、別の例であっても良い。例えば、ＰＧＷ＿Ａ３０はＩＰ−ＣＡＮセッション更新手続きにおいてＰＣＲＦ＿Ａ６０から取得せず、ＰＧＷ＿Ａ３０が第３の識別情報を生成し、セッション削除応答に含めて送信しても良い。
【０６４１】
ＰＧＷ＿Ａ３０は、セッション削除要求の受信及び又は、ＩＰ−ＣＡＮセッション更新手続きの完了及び又は、セッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられた３ＧＰＰアクセスによる通信路のみを切断してもよい。より詳細には、ＰＧＷ＿Ａ３０は、マルチアクセスＰＤＮコネクションに対応づけられた３ＧＰＰアクセスによる通信路用のコンテキストを削除することで、３ＧＰＰアクセスによる通信路を切断してもよい。
【０６４２】
また、ＰＧＷ＿Ａ３０は、マルチアクセスＰＤＮコネクションに対応づけられた３ＧＰＰアクセスによる通信路を全て削除した場合、マルチアクセスＰＤＮコネクションに対応づけられたデフォルトアクセスを削除してもよい。言い換えると、ＰＧＷ＿Ａ３０は、マルチアクセスＰＤＮコネクションに対応づけられた３ＧＰＰアクセスによる通信路用のコンテキストを全て削除した場合、マルチアクセスＰＤＮコネクションに対応づけられたデフォルトアクセスを削除してもよい。より詳細には、ＰＧＷ＿Ａ３０は、マルチアクセスＰＤＮコネクションに対応づけられた３ＧＰＰアクセスによる通信路用のコンテキストを全て削除した場合、マルチアクセスＰＤＮコネクションに対応づけられたＰＤＮごとのＥＰＳベアラコンテキストに含まれるデフォルトアクセスを削除してもよい。
【０６４３】
したがって、ＰＧＷ＿Ａ３０は、セッション削除要求の受信及び又は、ＩＰ−ＣＡＮセッション更新手続きの完了及び又は、セッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられたデフォルトアクセスを削除してもよい。
【０６４４】
このように、ＰＧＷ＿Ａ３０は、マルチアクセスＰＤＮコネクションに対応づけられた３ＧＰＰアクセスによる通信路用のコンテキスト及び又はデフォルトアクセスを削除することで、マルチアクセスＰＤＮコネクションに対応づけられた３ＧＰＰアクセスによる通信路を切断してもよい。
【０６４５】
ＳＧＷ＿Ａ３５は、ＰＧＷ＿Ａ３０が送信したセッション削除応答を受信する。ＳＧＷ＿Ａ３５は、セッション削除応答の受信及び又はセッション削除応答に含まれる第１の識別情報及び又は第３の識別情報に基づいて、ＭＭＥ＿Ａ４０にセッション削除応答を送信する（Ｓ２２１２）。
【０６４６】
ＰＧＷ＿Ａ３０は、セッション削除応答の受信及び又はセッション削除応答に含まれる第１の識別情報及び又は第３の識別情報に基づいて、少なくとも第１の識別情報及び又は第３の識別情報をセッション削除応答に含めて送信しても良い。
【０６４７】
ＭＭＥ＿Ａ４０は、ＳＧＷ＿Ａ３５が送信したセッション削除応答を受信する。ＭＭＥ＿Ａ４０はセッション削除応答の受信及び又はセッション削除応答に含まれる第１の識別情報及び又は第３の識別情報に基づいて、ｅＮＢ＿Ａ４５を介してＵＥ＿Ａ１０にデタッチ受諾（Detach accept）を送信する（Ｓ２２１４）。なお、デタッチ受諾メッセージは、ＰＤＮコネクションの切断を許可することを示す制御メッセージであればよく、ＥＰＳベアラコンテキストデアクティブ化要求（Deactivate EPS Bearer context request）であってよい。また、デタッチ受諾メッセージはデタッチ要求に対する応答メッセージであってよい。
【０６４８】
ＭＭＥ＿Ａ４０は、セッション削除応答の受信及び又はセッション削除応答に含まれる第１の識別情報及び又は第３の識別情報に基づいて、少なくともプロトコルディスクリミネター及び、セキュリティヘッダタイプ及びデタッチ受諾メッセージＩＤ（Detach accept message identity）をデタッチ受諾に含めて送信しても良い。さらに、ＭＭＥ＿Ａ４０は、少なくとも第１の識別情報及び又は第３の識別情報をデタッチ受諾に含めても良い。
【０６４９】
ここで、デタッチ受諾メッセージＩＤはデタッチ受諾メッセージを表すメッセージタイプであってもよい。
【０６５０】
ＵＥ＿Ａ１０は、ＭＭＥ＿Ａ４０が送信したデタッチ受諾を受信する。
【０６５１】
ＵＥ＿Ａ１０は、デタッチ受諾の受信及び又はデタッチ受諾に含まれる第１の識別情報及び又は第３の識別情報及び又はデタッチ受諾がどのアクセスネットワークから送信されたかの情報に基づいて、マルチアクセスＰＤＮコネクションに対応づけられた３ＧＰＰアクセスによる通信路のみを切断してもよい。より詳細には、ＵＥ＿Ａ１０は、マルチアクセスＰＤＮコネクションに対応づけられた３ＧＰＰアクセスによる通信路用のコンテキストを削除することで、３ＧＰＰアクセスによる通信路を切断してもよい。
【０６５２】
また、ＵＥ＿Ａ１０は、マルチアクセスＰＤＮコネクションに対応づけられた３ＧＰＰアクセスによる通信路を全て削除した場合、マルチアクセスＰＤＮコネクションに対応づけられたデフォルトアクセスを削除してもよい。言い換えると、ＵＥ＿Ａ１０は、マルチアクセスＰＤＮコネクションに対応づけられた３ＧＰＰアクセスによる通信路用のコンテキストを全て削除した場合、マルチアクセスＰＤＮコネクションに対応づけられたデフォルトアクセスを削除してもよい。より詳細には、ＵＥ＿Ａ１０は、マルチアクセスＰＤＮコネクションに対応づけられた３ＧＰＰアクセスによる通信路用のコンテキストを全て削除した場合、マルチアクセスＰＤＮコネクションに対応づけられたＰＤＮごとのＵＥコンテキストに含まれるデフォルトアクセスを削除してもよい。
【０６５３】
したがって、ＵＥ＿Ａ１０は、デタッチ受諾の受信及び又はデタッチ受諾に含まれる第１の識別情報及び又は第３の識別情報及び又はデタッチ受諾がどのアクセスネットワークから送信されたかの情報に基づいて、マルチアクセスＰＤＮコネクションに対応づけられたデフォルトアクセスを削除してもよい。
【０６５４】
このように、ＵＥ＿Ａ１０は、マルチアクセスＰＤＮコネクションに対応づけられた３ＧＰＰアクセスによる通信路用のコンテキスト及び又はデフォルトアクセスを削除することで、マルチアクセスＰＤＮコネクションに対応づけられた３ＧＰＰアクセスによる通信路を切断してもよい。
【０６５５】
さらに、ＵＥ＿Ａ１０は、デタッチ受諾の受信及び又はデタッチ受諾に含まれる第１の識別情報及び又は第３の識別情報の受信に基づいて、ＭＭＥ＿Ａ４０との間でシグナリング接続解放手続きを実行してもよい（Ｓ２２１６）。言い換えると、ＭＭＥ＿Ａ４０は、デタッチ受諾の送信及び又はデタッチ受諾に含まれる第１の識別情報及び又は第３の識別情報の送信に基づいて、ＵＥ＿Ａ１０との間でシグナリング接続解放手続きを実行してもよい。
【０６５６】
ＵＥ主導のデタッチ手続き（３ＧＰＰアクセスネットワーク）の完了によりＵＥ＿Ａ１０及びＰＧＷ＿Ａ３０は３ＧＰＰアクセスによる通信路を持たないマルチアクセスＰＤＮコネクションを確立する。３ＧＰＰアクセスによる通信路を持たないマルチアクセスＰＤＮコネクションは、ＷＬＡＮアクセスによる通信路のみをもつマルチアクセスＰＤＮコネクションであってよい。
【０６５７】
なお、３ＧＰＰアクセスによる通信路のみをもつマルチアクセスＰＤＮコネクションに対応づけられているデフォルトベアラは１つのみであってよい。従って、ＷＬＡＮアクセスによる通信路のみをもつマルチアクセスＰＤＮコネクションを持つ場合、ＵＥ＿Ａ１０及びＰＧＷ＿Ａ３０は、デフォルトアクセスを用いることなくデフォルトベアラを選択し、選択したデフォルトベアラを用いてユーザデータの送受信を行ってもよい。
【０６５８】
ＵＥ主導のデタッチ手続き（３ＧＰＰアクセスネットワーク）の完了後、ＵＥ＿Ａ１０及びＰＧＷ＿Ａ３０は、記憶したＷＬＡＮアクセスによる通信路用のコンテキストに基づいてユーザデータを送受信してもよい。
【０６５９】
なお、ＵＥ主導のデタッチ手続き（３ＧＰＰアクセスネットワーク）の完了後のＵＥ＿Ａ１０及びＰＧＷ＿Ａ３０がユーザデータを送受信する方法は、１．４．３章で示した、ＵＥ主導のＰＤＮ接続切断手続き（３ＧＰＰアクセスネットワーク）完了後の送受信の方法と同じであってよい。従って、ここではユーザデータ送受信の方法の説明を省略する。
【０６６０】
ＵＥ主導のデタッチ手続き（３ＧＰＰアクセスネットワーク）の例では、マルチアクセスＰＤＮコネクションに対応づけられた３ＧＰＰアクセスによる通信路のみを切断する場合について説明した。
【０６６１】
以上の手続きにより、ＵＥ＿１０Ａ及び又はＰＧＷ＿Ａ３０は、マルチアクセスＰＤＮコネクションに対して確立する３ＧＰＰアクセスを介した通信路とＷＬＡＮアクセスを介した通信路のうちの一方を切断したことに基づいてデフォルトアクセスを削除し、通信を継続することができる。言い換えると、ＵＥ＿１０Ａ及び又はＰＧＷ＿Ａ３０は、３ＧＰＰアクセスに対応づけられたデフォルトベアラとＷＬＡＮアクセスに対応づけられてデフォルトベアラのうちの１つを削除して通信を継続することができる。
【０６６２】
［１．４．６．ネットワーク主導のデタッチ手続き（３ＧＰＰアクセスネットワーク）の説明］
次に、ネットワーク主導の、マルチアクセスＰＤＮコネクションに対応づけられた３ＧＰＰアクセスによる通信路を切断するためのデタッチ手続き例を、図２３を用いて説明する。
【０６６３】
なお、ＭＭＥ＿Ａ４０は、３ＧＰＰアクセスシステムの電波状態の悪化や、接続性が不安定であることなどを検出し、デタッチ手続きを開始してもよい。また、ＭＭＥ＿Ａ４０は、任意のタイミングでデタッチ手続きを開始してもよい。
【０６６４】
ＭＭＥ＿Ａ４０は、まず、ｅＮＢ＿Ａ４５を介してＵＥ＿Ａ１０にデタッチ要求（Detach request）を送信する（Ｓ２３０２）。ＭＭＥ＿Ａ４０は、少なくともプロトコルディスクリミネター（Protocol discriminator）及び、セキュリティヘッダタイプ（Security header type）及びデタッチ要求メッセージＩＤ（Detach request message identity）及び、デタッチタイプ（Detach type）及び、スペアハーフオクテット（Spare half octet）を含めてデタッチ要求を送信しても良い。さらに、ＵＥ＿Ａ１０は、少なくとも第１の識別情報及び又は第３の識別情報をデタッチ要求に含めても良い。さらに、ＥＭＳ  Ｃｏｕｓｅをデタッチ要求に含めて送信しても良い。なお、デタッチ要求はＰＤＮコネクションを切断することを要求するためのメッセージであってよい。
【０６６５】
ここで、第１の識別情報は、ＰＤＮコネクションがマルチアクセスＰＤＮコネクションであることを示すＮＢＩＦＯＭ  Ｉｎｄｉｃａｔｉｏｎであってよい。なお、第１の識別情報は、マルチアクセスＰＤＮコネクションのＮＢＩＦＯＭオペレーションモードを表すＭｏｄｅ  Ｉｎｄｉｃａｔｉｏｎであってもよい。ＵＥ＿Ａ１０は、第１の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０６６６】
第３の識別情報は、ネットワークがＮＢＩＦＯＭをサポートしていることを表すＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０６６７】
このように、第１の識別情報及び又は第３の識別情報を送信することにより、マルチアクセスＰＤＮコネクションに対応づけられた３ＧＰＰアクセスによる通信路のみを切断することを要求してもよい。言い換えるとは、第１の識別情報及び又は第３の識別情報は、マルチアクセスＰＤＮコネクションに対応づけられた３ＧＰＰアクセスによる通信路のみを切断することを要求することを示す情報であってよい。
【０６６８】
プロトコルディスクリミネターは、プロトコルの種類を識別するための情報であってよい。
【０６６９】
セキュリティヘッダタイプは、ＮＡＳメッセージで使われているセキュリティ情報であってもよい。
【０６７０】
デタッチ要求メッセージＩＤは、デタッチ要求メッセージを表すメッセージタイプであってもよい。
【０６７１】
デタッチタイプは、要求するデタッチ手続きの種類を識別する情報であってよい。
【０６７２】
スペアハーフオクテット（Spare half octet）は、空いているビットを埋めるための要素であってよい。
【０６７３】
ＥＭＳ  Ｃａｕｓｅは、ＥＰＳベアラコンテキストデアクティブ化要求を送信する理由を表す情報であってもよい。
【０６７４】
ＵＥ＿Ａ１０は、ＭＭＥ＿Ａ４０が送信したデタッチ要求を受信する。
【０６７５】
ＭＭＥ＿Ａ４０はデタッチ要求の送信及び又は、デタッチ要求に含まれる第１の識別情報及び又は第３の識別情報に基づいて、ＳＧＷ＿Ａ３５にセッション削除要求を送信する（Ｓ２３０４）。なお、セッション削除要求は転送路を削除することを要求するためのメッセージであってよい。
【０６７６】
ＭＭＥ＿Ａ４０は、デタッチ要求の送信及び又はデタッチ要求に含まれる第１の識別情報及び又は第３の識別情報に基づいて、少なくとも第１の識別情報及び又は第２の識別情報をセッション削除要求に含めて送信してもよい。さらに、ＭＭＥ＿Ａ４０は、ＰＤＮコネクションＩＤ（PDN connection ID）をセッション削除要求に含めても良い。
【０６７７】
ここで、第２の識別情報は、ＵＥ＿Ａ１０がＮＢＩＦＯＭをサポートしていることを表すＵＥ  ＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０６７８】
このように、第１の識別情報及び又は第２の識別情報を送信することにより、マルチアクセスＰＤＮコネクションに対応づけられた３ＧＰＰアクセスによる通信路のみを切断することを要求してもよい。言い換えるとは、第１の識別情報及び又は第２の識別情報は、マルチアクセスＰＤＮコネクションに対応づけられた３ＧＰＰアクセスによる通信路のみを切断することを要求することを示す情報であってよい。
【０６７９】
ここで、ＰＤＮコネクションＩＤは、ＵＥ＿Ａ１０とＰＧＷ＿Ａ３０の間で確立されているＰＤＮコネクションを一意に識別するための情報であってもよい。
【０６８０】
なお、ＭＭＥ＿Ａ４０は、デタッチ要求に第１の識別情報及び又は第３の識別情報のいずれの識別情報も含まれない場合は、第１の識別情報及び又は第２の識別情報を含めずにセッション削除要求を送信してもよい。
【０６８１】
ＳＧＷ＿Ａ３５は、ＭＭＥ＿Ａ４０が送信したセッション削除要求を受信する。ＳＧＷ＿Ａ３５はセッション削除要求の受信及び又は、セッション削除要求に含まれる第１の識別情報及び又は第２の識別情報に基づいて、ＰＧＷ＿Ａ３０にセッション削除要求を送信する（Ｓ２３０６）。
【０６８２】
ＳＧＷ＿Ａ３５は、セッション削除要求の受信及び又はセッション削除要求に含まれる第１の識別情報及び又は第２の識別情報に基づいて、少なくとも第１の識別情報及び又は第２の識別情報をセッション削除要求に含めて送信してもよい。さらに、ＳＧＷ＿Ａ３５は、ＰＤＮコネクションＩＤ（PDN connection ID）をセッション削除要求に含めても良い。
【０６８３】
なお、ＳＧＷ＿Ａ３５は、セッション削除要求に第１の識別情報及び又は第２の識別情報のいずれの識別情報も含まれない場合は、第１の識別情報及び又は第２の識別情報を含めずにセッション削除要求を送信してもよい。
【０６８４】
ＰＧＷ＿Ａ３０は、ＳＧＷ＿Ａ３５が送信したセッション削除要求を受信する。ＰＧＷ＿Ａ３０は、セッション削除要求の受信及び又はセッション削除要求に含まれる第１の識別情報及び又は第２の識別情報に基づいて、ＰＣＲＦ＿Ａ６０との間でのＩＰ−ＣＡＮセッション更新手続きを実行しても良い（Ｓ２３０８）。
【０６８５】
ＰＧＷ＿Ａ３０は、セッション削除要求の受信及び又はセッション削除要求に含まれる第１の識別情報及び又は第２の識別情報に基づいて、少なくとも第１の識別情報及び又は第２の識別情報をＩＰ−ＣＡＮセッション更新手続きに含めて実行しても良い。
【０６８６】
なお、ＰＧＷ＿Ａ３０は、ＰＣＲＦ＿Ａ６０にマルチアクセスＰＤＮコネクションに対応づけられた３ＧＰＰアクセスによる通信路のみを切断することを通知するためにＩＰ−ＣＡＮセッション更新手続きを実行しても良い。
【０６８７】
ＰＧＷ＿Ａ３０は、削除する通信路がマルチアクセスＰＤＮコネクションに対応づけられた通信路であるか、シングルアクセスＰＤＮコネクションに対応づけられた通信路であるかを示す情報及び又は第１の識別情報及び又は第２の識別情報をＩＰ−ＣＡＮセッション手続き内の制御メッセージに含めてＰＣＲＦ＿Ａ６０に送信しても良い。
【０６８８】
より具体的には、削除する通信路がマルチアクセスＰＤＮコネクションに対応づけられた通信路である場合には、ＰＧＷ＿Ａ３０は、３ＧＰＰアクセスネットワークを示す情報と、ＰＤＮコネクションがマルチアクセスＰＤＮコネクションであることを示す情報と、第１の識別情報及び又は第２の識別情報をＰＣＲＦ＿Ａ６０に送信する。もしくは、削除する通信路がシングルアクセスＰＤＮコネクションに対応づけられた通信路である場合には、ＰＧＷ＿Ａ３０は、３ＧＰＰアクセスネットワークを示す情報と、ＰＤＮコネクションがシングルアクセスＰＤＮコネクションであることを示す情報とをＰＣＲＦ＿Ａ６０に送信する。
【０６８９】
さらに、ＰＣＲＦ＿Ａ６０は、第１の識別情報及び又は第２の識別情報の受信に基づいて、ＰＧＷ＿Ａ３０との間でＩＰ−ＣＡＮセッション更新手続き内の制御メッセージに少なくとも第１の識別情報及び又は第３の識別情報を含めてＰＧＷ＿Ａ３０に送信しても良い。
【０６９０】
なお、ＰＣＲＦ＿Ａ６０はＰＧＷ＿Ａ３０に課金情報及び又はＱｏＳ制御情報及び又はルーティング情報を通知するためにＩＰ−ＣＡＮセッション更新手続きを実行しても良い。
【０６９１】
ここで、ＰＧＷ＿Ａ３０はセッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、ＳＧＷ＿Ａ３５にセッション削除応答を送信する（Ｓ２３１０）。
【０６９２】
ＰＧＷ＿Ａ３０は、セッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、少なくとも第１の識別情報及び又は第３の識別情報をセッション削除応答に含めて送信しても良い。
【０６９３】
なお、ＰＧＷ＿Ａ３０が第３の識別情報を取得する方法は、これまで説明したＩＰ−ＣＡＮセッション更新手続きにおいてＰＣＲＦ＿Ａ６０から取得する方法に限らず、別の例であっても良い。例えば、ＰＧＷ＿Ａ３０はＩＰ−ＣＡＮセッション更新手続きにおいてＰＣＲＦ＿Ａ６０から取得せず、ＰＧＷ＿Ａ３０が第３の識別情報を生成し、セッション削除応答に含めて送信しても良い。
【０６９４】
ＰＧＷ＿Ａ３０は、セッション削除要求の受信及び又は、ＩＰ−ＣＡＮセッション更新手続きの完了及び又は、セッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられた３ＧＰＰアクセスによる通信路のみを切断してもよい。より詳細には、ＰＧＷ＿Ａ３０は、マルチアクセスＰＤＮコネクションに対応づけられた３ＧＰＰアクセスによる通信路用のコンテキストを削除することで、３ＧＰＰアクセスによる通信路を切断してもよい。
【０６９５】
また、ＰＧＷ＿Ａ３０は、マルチアクセスＰＤＮコネクションに対応づけられた３ＧＰＰアクセスによる通信路を全て削除した場合、マルチアクセスＰＤＮコネクションに対応づけられたデフォルトアクセスを削除してもよい。言い換えると、ＰＧＷ＿Ａ３０は、マルチアクセスＰＤＮコネクションに対応づけられた３ＧＰＰアクセスによる通信路用のコンテキストを全て削除した場合、マルチアクセスＰＤＮコネクションに対応づけられたデフォルトアクセスを削除してもよい。より詳細には、ＰＧＷ＿Ａ３０は、マルチアクセスＰＤＮコネクションに対応づけられた３ＧＰＰアクセスによる通信路用のコンテキストを全て削除した場合、マルチアクセスＰＤＮコネクションに対応づけられたＰＤＮごとのＥＰＳベアラコンテキストに含まれるデフォルトアクセスを削除してもよい。
【０６９６】
したがって、ＰＧＷ＿Ａ３０は、セッション削除要求の受信及び又は、ＩＰ−ＣＡＮセッション更新手続きの完了及び又は、セッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられたデフォルトアクセスを削除してもよい。
【０６９７】
このように、ＰＧＷ＿Ａ３０は、マルチアクセスＰＤＮコネクションに対応づけられた３ＧＰＰアクセスによる通信路用のコンテキスト及び又はデフォルトアクセスを削除することで、マルチアクセスＰＤＮコネクションに対応づけられた３ＧＰＰアクセスによる通信路を切断してもよい。
【０６９８】
ＳＧＷ＿Ａ３５は、ＰＧＷ＿Ａ３０が送信したセッション削除応答を受信する。ＳＧＷ＿Ａ３５は、セッション削除応答の受信及び又はセッション削除応答に含まれる第１の識別情報及び又は第３の識別情報に基づいて、ＭＭＥ＿Ａ４０にセッション削除応答を送信する（Ｓ２３１２）。
【０６９９】
ＰＧＷ＿Ａ３０は、セッション削除応答の受信及び又はセッション削除応答に含まれる第１の識別情報及び又は第３の識別情報に基づいて、少なくとも第１の識別情報及び又は第３の識別情報をセッション削除応答に含めて送信しても良い。
【０７００】
ＭＭＥ＿Ａ４０は、ＳＧＷ＿Ａ３５が送信したセッション削除応答を受信する。
【０７０１】
ＵＥ＿Ａ１０は、デタッチ要求の受信及び又は、デタッチ要求に含まれる第１の識別情報及び又は第３の識別情報に基づいて、ｅＮＢ＿Ａ４５を介してＭＭＥ＿Ａ４０にデタッチ受諾（Detach accept）を送信する（Ｓ２３１４）。なお、デタッチ受諾メッセージは、ＰＤＮコネクションの切断を許可することを示す制御メッセージであればよく、ＥＰＳベアラコンテキストデアクティブ化要求（Deactivate EPS Bearer context request）であってよい。また、デタッチ受諾メッセージはデタッチ要求に対する応答メッセージであってよい。
【０７０２】
ＵＥ＿Ａ１０は、デタッチ要求の受信及び又は、デタッチ要求に含まれる第１の識別情報及び又は第３の識別情報に基づいて、少なくともプロトコルディスクリミネター及び、セキュリティヘッダタイプ及びデタッチ受諾メッセージＩＤ（Detach accept message identity）をデタッチ受諾に含めて送信しても良い。さらに、ＵＥ＿Ａ１０は、少なくとも第１の識別情報及び又は第２の識別情報をデタッチ受諾に含めても良い。
【０７０３】
ここで、デタッチ受諾メッセージＩＤはデタッチ受諾メッセージを表すメッセージタイプであってもよい。
【０７０４】
ＭＭＥ＿Ａ４０は、ＵＥ＿Ａ１０が送信したデタッチ受諾を受信する。
【０７０５】
ＵＥ＿Ａ１０は、デタッチ要求の受信及び又は、デタッチ受諾の送信及び又は、デタッチ要求に含まれる第１の識別情報及び又は第３の識別情報及び又はデタッチ要求がどのアクセスネットワークから送信されたかの情報に基づいて、マルチアクセスＰＤＮコネクションに対応づけられた３ＧＰＰアクセスによる通信路のみを切断してもよい。より詳細には、ＵＥ＿Ａ１０は、マルチアクセスＰＤＮコネクションに対応づけられた３ＧＰＰアクセスによる通信路用のコンテキストを削除することで、３ＧＰＰアクセスによる通信路を切断してもよい。
【０７０６】
また、ＵＥ＿Ａ１０は、マルチアクセスＰＤＮコネクションに対応づけられた３ＧＰＰアクセスによる通信路を全て削除した場合、マルチアクセスＰＤＮコネクションに対応づけられたデフォルトアクセスを削除してもよい。言い換えると、ＵＥ＿Ａ１０は、マルチアクセスＰＤＮコネクションに対応づけられた３ＧＰＰアクセスによる通信路用のコンテキストを全て削除した場合、マルチアクセスＰＤＮコネクションに対応づけられたデフォルトアクセスを削除してもよい。より詳細には、ＵＥ＿Ａ１０は、マルチアクセスＰＤＮコネクションに対応づけられた３ＧＰＰアクセスによる通信路用のコンテキストを全て削除した場合、マルチアクセスＰＤＮコネクションに対応づけられたＰＤＮごとのＵＥコンテキストに含まれるデフォルトアクセスを削除してもよい。
【０７０７】
したがって、ＵＥ＿Ａ１０は、デタッチ要求の受信及び又は、デタッチ受諾の送信及び又はデタッチ要求に含まれる第１の識別情報及び又は第３の識別情報及び又はデタッチ要求がどのアクセスネットワークから送信されたかの情報に基づいて、マルチアクセスＰＤＮコネクションに対応づけられたデフォルトアクセスを削除してもよい。
【０７０８】
このように、ＵＥ＿Ａ１０は、マルチアクセスＰＤＮコネクションに対応づけられた３ＧＰＰアクセスによる通信路用のコンテキスト及び又はデフォルトアクセスを削除することで、マルチアクセスＰＤＮコネクションに対応づけられた３ＧＰＰアクセスによる通信路を切断してもよい。
【０７０９】
さらに、ＵＥ＿Ａ１０は、デタッチ要求の受信及び又は、デタッチ受諾の送信及び又は、デタッチ要求に含まれる第１の識別情報及び又は第３の識別情報の受信に基づいて、ＭＭＥ＿Ａ４０との間でシグナリング接続解放手続きを実行してもよい（Ｓ２３１６）。言い換えると、ＭＭＥ＿Ａ４０は、デタッチ受諾の受信及び又はデタッチ受諾に含まれる第１の識別情報及び又は第２の識別情報の送信に基づいて、ＵＥ＿Ａ１０との間でシグナリング接続解放手続きを実行してもよい。
【０７１０】
ネットワーク主導のデタッチ手続き（３ＧＰＰアクセスネットワーク）の完了によりＵＥ＿Ａ１０及びＰＧＷ＿Ａ３０は３ＧＰＰアクセスによる通信路を持たないマルチアクセスＰＤＮコネクションを確立する。３ＧＰＰアクセスによる通信路を持たないマルチアクセスＰＤＮコネクションは、ＷＬＡＮアクセスによる通信路のみをもつマルチアクセスＰＤＮコネクションであってよい。
【０７１１】
なお、３ＧＰＰアクセスによる通信路のみをもつマルチアクセスＰＤＮコネクションに対応づけられているデフォルトベアラは１つのみであってよい。従って、ＷＬＡＮアクセスによる通信路のみをもつマルチアクセスＰＤＮコネクションを持つ場合、ＵＥ＿Ａ１０及びＰＧＷ＿Ａ３０は、デフォルトアクセスを用いることなくデフォルトベアラを選択し、選択したデフォルトベアラを用いてユーザデータの送受信を行ってもよい。
【０７１２】
ネットワーク主導のデタッチ手続き（３ＧＰＰアクセスネットワーク）の完了後、ＵＥ＿Ａ１０及びＰＧＷ＿Ａ３０は、記憶したＷＬＡＮアクセスによる通信路用のコンテキストに基づいてユーザデータを送受信してもよい。
【０７１３】
なお、ＵＥ主導のデタッチ手続き（３ＧＰＰアクセスネットワーク）の完了後のＵＥ＿Ａ１０及びＰＧＷ＿Ａ３０がユーザデータを送受信する方法は、１．４．３章で示した、ＵＥ主導のＰＤＮ接続切断手続き（３ＧＰＰアクセスネットワーク）完了後の送受信の方法と同じであってよい。従って、ここではユーザデータ送受信の方法の説明を省略する。
【０７１４】
ネットワーク主導のデタッチ手続き（３ＧＰＰアクセスネットワーク）の例では、マルチアクセスＰＤＮコネクションに対応づけられた３ＧＰＰアクセスによる通信路のみを切断する場合について説明した。
【０７１５】
以上の手続きにより、ＵＥ＿１０Ａ及び又はＰＧＷ＿Ａ３０は、マルチアクセスＰＤＮコネクションに対して確立する３ＧＰＰアクセスを介した通信路とＷＬＡＮアクセスを介した通信路のうちの一方を切断したことに基づいてデフォルトアクセスを削除し、通信を継続することができる。言い換えると、ＵＥ＿１０Ａ及び又はＰＧＷ＿Ａ３０は、３ＧＰＰアクセスに対応づけられたデフォルトベアラとＷＬＡＮアクセスに対応づけられてデフォルトベアラのうちの１つを削除して通信を継続することができる。
【０７１６】
［２．第２の実施形態］
以下、図面を参照しながら本発明の実施形態による無線通信技術について詳細に説明する。
【０７１７】
［２．１．システム概要］
本実施形態における移動通信システムの概略は、第１の実施形態で図１を用いて説明した移動通信システムにおいて、ＴＷＡＧ＿Ａ７４をｅＰＤＧ＿Ａ６５に置き換えたものであってよい。さらに、第１の実施形態では、アクセスネットワークＢはＷＬＡＮ＿ＡＮａ７０であったのに対し、本実施形態では、アクセスネットワークＢはＷＬＡＮ＿ＡＮｂ７５であってよい。
【０７１８】
なお、ＴＷＡＧ＿Ａ７４とアクセスネットワークＢを除く、アクセスネットワークＡ、コアネットワーク＿Ａ９０及び図１の各装置は第１の実施形態と同様であってよい。さらに、本実施形態においても、第１の実施形態と同様にのＮＢＩＦＯＭとはマルチアクセスＰＤＮコネクションを確立することができる技術であり、ＮＢＩＦＯＭ及びマルチアクセスＰＤＮコネクションの説明は第１の実施形態の移動通信システムの概略説明で説明したとおりであるため、詳細説明は省略する。
【０７１９】
さらに、コアネットワーク＿Ａ９０の構成及び、ＩＰ移動通信ネットワーク５の構成、ＵＥ＿Ａ１０の構成、ＰＤＮ_Ａ１００の構成は、第１の実施形態で図２（ａ）、（ｂ）を用いて説明した構成と同様であってよい。そのため、詳細説明は省略する。
【０７２０】
［２．２．装置構成］
以下、各装置の構成について説明する。
【０７２１】
［２．２．１．ｅＰＤＧ構成］
本実施形態におけるｅＰＤＧ_Ａ６５の構成は、第１の実施形態の１．２．６章で説明したｅＰＤＧの構成と同様であってよい。そのため詳細説明を省略する。
【０７２２】
［２．２．２．ＨＳＳ構成］
本実施形態におけるＨＳＳ_Ａ５０の構成は、第１の実施形態の１．２．２章で説明したＨＳＳの構成と同様であってよい。そのため詳細説明を省略する。
【０７２３】
［２．２．３．ＵＥ構成］
本実施形態におけるＵＥ_Ａ１０の構成は、第１の実施形態の１．２．３章で図７を用いて説明したＵＥの構成と同様であってよい。ただし、ＵＥ＿Ａ１０は、ＵＥコンテキストＡ７５２に、ＴＷＡＧ  ｃａｐａｂｉｌｉｔｙを記憶するのではなく、ｅＰＤＧ  ｃａｐａｂｉｌｉｔｙを記憶してもよい。
【０７２４】
なお、ｅＰＤＧ  Ｃａｐａｂｉｌｉｔyは、ｅＰＤＧごとに第１のＰＤＮコネクションを確立する能力をサポートしているか否かを示す識別情報（ＮＢＩＦＯＭ  Ｃａｐａｂｉｌｉｔｙ）を記憶する。言い換えれば、ｅＰＤＧ＿Ａ６５がＮＢＩＦＯＭ機能をサポートしているか否かを示す識別情報である。具体的には、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０７２５】
なお、ＮＢＩＦＯＭ機能とは、マルチアクセスＰＤＮコネクションを確立することができる機能を有する事を示す情報であっても良い。
【０７２６】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでｅＰＤＧ＿Ａ６５が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ｅＰＤＧ＿Ａ６５はＮＢＩＦＯＭ機能をサポートするゲートウェイであることを意味しても良い。
【０７２７】
ＵＥ＿Ａ１０はＮＢＩＦＯＭ  ＣａｐａｂｉｌｉｔｙをｅＰＤＧ  ＩＤと対応付けて記憶しても良い。また、複数のｅＰＤＧに対するＮＢＩＦＯＭ  Ｃａｐａｂｉｌｉｔｙを記憶しても良い。
【０７２８】
また、ＬＴＥインターフェース部＿Ａ７２０と、ＷＬＡＮインターフェース部＿Ａ７４０と、制御部＿Ａ７００と記憶部＿Ａ７５０などの各機能部や、ＵＥコンテキストＡ７５２のＴＷＡＧ  ｃａｐａｂｉｌｉｔｙを除く各情報要素は、第１の実施形態の１．２．３章で図７と図８を用いて説明した各機能部、各情報要素と同様であってよいため、詳細説明を省略する。
【０７２９】
また、本実施形態においても、第１の実施形態と同様に、ＰＤＮ  ｃｏｎｎｅｃｔｉｏｎ  ＩＤは、ＰＤＮコネクションを識別するための識別情報である。ＵＥ＿Ａ１０とｅＰＤＧ＿Ａ６５とＰＧＷ＿Ａ３０が同じ識別情報を記憶していても良い。
【０７３０】
［２．２．４．ＰＧＷ構成］
本実施形態におけるＰＧＷ_Ａ３０の構成は、第１の実施形態の１．２．４章で図９を用いて説明したＰＧＷの構成と同様であってよい。ただし、ＰＧＷ＿Ａ３０は、ＥＰＳベアラコンテキストＡ９４２に、ＴＷＡＧ  ｃａｐａｂｉｌｉｔｙを記憶するのではなく、ｅＰＤＧ  ｃａｐａｂｉｌｉｔｙを記憶してもよい。
【０７３１】
なお、ｅＰＤＧ  Ｃａｐａｂｉｌｉｔyは、ｅＰＤＧごとに第１のＰＤＮコネクションを確立する能力をサポートしているか否かを示す識別情報（ＮＢＩＦＯＭ  Ｃａｐａｂｉｌｉｔｙ）を記憶する。言い換えれば、ｅＰＤＧ＿Ａ６５がＮＢＩＦＯＭ機能をサポートしているか否かを示す識別情報である。具体的には、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０７３２】
なお、ＮＢＩＦＯＭ機能とは、マルチアクセスＰＤＮコネクションを確立することができる機能を有する事を示す情報であっても良い。
【０７３３】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでｅＰＤＧ＿Ａ６５が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ｅＰＤＧ＿Ａ６５はＮＢＩＦＯＭ機能をサポートするゲートウェイであることを意味しても良い。
【０７３４】
ＰＧＷ＿Ａ３０はＮＢＩＦＯＭ  ＣａｐａｂｉｌｉｔｙをｅＰＤＧ  ＩＤと対応付けて記憶しても良い。また、複数のｅＰＤＧに対するＮＢＩＦＯＭ  Ｃａｐａｂｉｌｉｔｙを記憶しても良い。
【０７３５】
また、ネットワーク接続部＿Ａ９２０と、制御部＿Ａ９００と記憶部＿Ａ９４０などの各機能部や、ＥＰＳベアラコンテキストＡ９４２のＴＷＡＧ  ｃａｐａｂｉｌｉｔｙを除く各情報要素は、第１の実施形態の１．２．４章で図９と図１０を用いて説明した各機能部、各情報要素と同様であってよいため、詳細説明を省略する。
【０７３６】
また、本実施形態においても、第１の実施形態と同様に、ＰＤＮ  ｃｏｎｎｅｃｔｉｏｎ  ＩＤは、ＰＤＮコネクションを識別するための識別情報である。ＵＥ＿Ａ１０とｅＰＤＧ＿Ａ６５とＰＧＷ＿Ａ３０が同じ識別情報を記憶していても良い。
【０７３７】
［２．２．５．ＰＣＲＦ構成］
本実施形態におけるＰＣＲＦ_Ａ６０の構成は、第１の実施形態の１．２．５章で図１１を用いて説明したＵＥの構成と同様であってよい。ただし、ＰＣＲＦ_Ａ６０は、ＵＥコンテキストＡ１１４２に、ＴＷＡＧ  ｃａｐａｂｉｌｉｔｙを記憶するのではなく、ｅＰＤＧ  ｃａｐａｂｉｌｉｔｙを記憶してもよい。
【０７３８】
なお、ｅＰＤＧ  Ｃａｐａｂｉｌｉｔyは、ｅＰＤＧごとに第１のＰＤＮコネクションを確立する能力をサポートしているか否かを示す識別情報（ＮＢＩＦＯＭ  Ｃａｐａｂｉｌｉｔｙ）を記憶する。言い換えれば、ｅＰＤＧ＿Ａ６５がＮＢＩＦＯＭ機能をサポートしているか否かを示す識別情報である。具体的には、ＮＢＩＦＯＭ  Ｃａｐａｂｉｌｉｔｙには、“ａｌｌｏｗｅｄ”又は”Ｎｏｔ  ａｌｌｏｗｅｄ”が含まれても良い。
【０７３９】
なお、ＮＢＩＦＯＭ機能とは、マルチアクセスＰＤＮコネクションを確立することができる機能を有する事を示す情報であっても良い。
【０７４０】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでｅＰＤＧ＿Ａ６５が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ｅＰＤＧ＿Ａ６５はＮＢＩＦＯＭ機能をサポートするゲートウェイであることを意味しても良い。
【０７４１】
ＰＣＲＦ_Ａ６０はＮＢＩＦＯＭ  ＣａｐａｂｉｌｉｔｙをｅＰＤＧ  ＩＤと対応付けて記憶しても良い。また、複数のｅＰＤＧに対するＮＢＩＦＯＭ  Ｃａｐａｂｉｌｉｔｙを記憶しても良い。
【０７４２】
また、ネットワーク接続部＿Ａ１１２０と、制御部＿Ａ１１００と記憶部＿Ａ１１４０などの各機能部や、ＵＥコンテキストＡ１１４２のＴＷＡＧ  ｃａｐａｂｉｌｉｔｙを除く各情報要素は、第１の実施形態の１．２．４章で図９と図１０を用いて説明した各機能部、各情報要素と同様であってよいため、詳細説明を省略する。
【０７４３】
［２．３．初期状態の説明］
本実施形態における初期状態について説明する。本実施形態における初期状態の例を、図１を用いて説明する。
【０７４４】
既に説明したとおり、本実施形態では、図１のＴＷＡＧ＿Ａ７４は、ｅＰＤＧ＿Ａ６５であり、アクセスネットワークＢは、Ｕｎｔｒｕｓｔｅｄ  Ｎｏｎ−３ＧＰＰ  Ａｃｃｅｓｓ  Ｎｅｔｗｏｒｋである。さらに、ｅＰＤＧ＿Ａ６５は、コアネットワーク＿Ａ９０に配置された、アクセスネットワークＢとコアネットワーク＿Ａ９０を接続するゲートウェイ装置である。
【０７４５】
本実施形態における初期状態では、ＵＥ＿Ａ１０は、アクセスネットワークＡ及びアクセスネットワークＢを介してコアネットワーク＿Ａ９０との間でマルチアクセスＰＤＮコネクションを確立している状態である。詳細には、ＵＥ＿Ａ１０は、コアネットワーク＿Ａ９０に含まれるＰＧＷ＿Ａ３０との間に、３ＧＰＰアクセスによる通信路とＷＬＡＮによる通信路とを確立したマルチアクセスＰＤＮコネクションを確立している。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０７４６】
３ＧＰＰアクセスによる通信路は、ＵＥ＿Ａ１０とコアネットワーク＿Ａ９０に含まれるＰＧＷ＿Ａ３０との間で、アクセスネットワークＡに含まれるＬＴＥの基地局ｅＮＢ＿Ａ４５とコアネットワーク＿Ａ９０に含まれるＳＧＷ＿Ａ３５を介して確立された通信路であってよい。言い換えると、３ＧＰＰアクセスによる通信路は、ＵＥ＿Ａ１０とｅＮＢ＿Ａ４５との間の転送路と、ｅＮＢ＿Ａ４５とＳＧＷ＿Ａ３５との間の転送路と、ＳＧＷ＿Ａ３５とＰＧＷ＿Ａ３０との間の転送路で構成された通信路であってもよい。また、３ＧＰＰアクセスによる通信路は、ベアラによって構成されていてもよい。
【０７４７】
ＵＥ＿Ａ１０及びＰＧＷ＿Ａ３０は、マルチアクセスＰＤＮコネクションに対応づけられた複数の３ＧＰＰアクセスによる通信路を確立してもよい。なお、ＵＥ＿Ａ１０及びＰＧＷ＿Ａ３０は、マルチアクセスＰＤＮコネクションに対応づけられた複数の３ＧＰＰアクセスによる通信路の内、最初に確立された転送路をデフォルトベアラとしてもよい。なお、ＵＥ＿Ａ１０及びＰＧＷ＿Ａ３０は、３ＧＰＰアクセスを識別する情報と対応づけてデフォルトベアラを記憶してもよい。
【０７４８】
ＷＬＡＮアクセスによる通信路は、ｅＰＤＧ＿Ａ６５を介してＵＥ＿Ａ１０とコアネットワーク＿Ａ９０に含まれるＰＧＷ＿Ａ３０との間に確立された通信路であってよい。言い換えると、ＷＬＡＮアクセスによる通信路は、ＵＥ＿Ａ１０とｅＰＤＧ＿Ａ６５との間の転送路と、ｅＰＤＧ＿Ａ６５とＰＧＷ＿Ａ３０との間の転送路で構成された通信路であってもよい。また、ＷＬＡＮアクセスによる通信路は、ベアラによって構成されていてもよい。また、ＷＬＡＮアクセスによる通信路は、ベアラ以外の転送路によって構成されていてもよい。その場合、ベアラを識別する情報はベアラ以外の転送路を識別する情報であってよい。
【０７４９】
ＵＥ＿Ａ１０及びＰＧＷ＿Ａ３０は、マルチアクセスＰＤＮコネクションに対応づけられた複数のＷＬＡＮアクセスによる通信路を確立してもよい。なお、ＵＥ＿Ａ１０及びＰＧＷ＿Ａ３０は、マルチアクセスＰＤＮコネクションに対応づけられた複数のＷＬＡＮアクセスによる通信路の内、最初に確立された転送路をデフォルトベアラとしてもよい。なお、ＵＥ＿Ａ１０及びＰＧＷ＿Ａ３０は、ＷＬＡＮアクセスを識別する情報と対応づけてデフォルトベアラを記憶してもよい。
【０７５０】
ＵＥ＿Ａ１０及びＰＧＷ＿Ａ３０は、マルチアクセスＰＤＮコネクションに対応づけられた各通信路用のコンテキストを記憶してもよい。マルチアクセスＰＤＮコネクションに対応づけられた各通信路用のコンテキストは、３ＧＰＰアクセスによる通信路用のコンテキストとＷＬＡＮアクセスによる通信路用のコンテキストから構成されてもよい。
【０７５１】
３ＧＰＰアクセスによる通信路用のコンテキストは、図８及び図１０の３ＧＰＰアクセスによる通信路に対応づけられたＤｅｆａｕｌｔ  Ｂｅａｒｅｒと、３ＧＰＰアクセスによる通信路に対応づけられたＤｅｆａｕｌｔ  ＢｅａｒｅｒごとのＵＥコンテキスト及びＥＰＳベアラコンテキストと、３ＧＰＰアクセスによる通信路に対応づけられたＤｅｄｉｃａｔｅ  ＢｅａｒｅｒごとのＵＥコンテキスト及びＥＰＳベアラコンテキストから構成されてもよい。
【０７５２】
ＷＬＡＮアクセスによる通信路用のコンテキストは、図８及び図１０のＷＬＡＮアクセスによる通信路に対応づけられたＤｅｆａｕｌｔ  Ｂｅａｒｅｒと、ＷＬＡＮアクセスによる通信路に対応づけられたＤｅｆａｕｌｔ  ＢｅａｒｅｒごとのＵＥコンテキスト及びＥＰＳベアラコンテキストと、ＷＬＡＮアクセスによる通信路に対応づけられたＤｅｄｉｃａｔｅ  ＢｅａｒｅｒごとのＵＥコンテキスト及びＥＰＳベアラコンテキストから構成されてもよい。
【０７５３】
ＵＥ＿Ａ１０及びＰＧＷ＿Ａ３０は、記憶したマルチアクセスＰＤＮコネクションに対応づけられた各通信路用のコンテキストに基づいてユーザデータを送受信してもよい。さらに、マルチアクセスＰＤＮコネクションに対応づけられた複数のデフォルトベアラが存在する場合、ＵＥ＿Ａ１０及びＰＧＷ＿Ａ３０は、マルチアクセスＰＤＮコネクションに対応づけられた各通信路用のコンテキストに対応づけられたデフォルトアクセスに基づいて使用するデフォルトベアラを選択してもよい。
【０７５４】
また、初期状態でのＵＥ＿Ａ１０及びＰＧＷ＿Ａ３０がユーザデータを送受信する方法は、第１の実施形態の１．３章の初期状態の説明で示した第１から第３の例と同様であってよい。そのため、詳細な説明は省略する。
【０７５５】
以上、初期状態を説明してきたが、初期状態はこれに限らず、ＵＥ＿Ａ１０がマルチアクセスＰＤＮコネクションを確立している状態であれば、他のＰＤＮコネクションを確立していてもよい。
【０７５６】
［２．４．ＰＤＮ接続切断手続きの説明］
［２．４．１．ＵＥ主導のＰＤＮ接続切断手続き（ＷＬＡＮアクセスネットワーク）の説明］
次に、ＵＥ主導の、マルチアクセスＰＤＮコネクションに対応づけられたＷＬＡＮアクセスによる通信路を切断するためのＰＤＮ接続切断手続き例を、図２４を用いて説明する。
【０７５７】
なお、ＵＥ＿Ａ１０は、ＷＬＡＮアクセスシステムの電波状態の悪化や、接続性が不安定であることなどを検出し、ＰＤＮ接続切断手続きを開始してもよい。また、ＵＥ＿Ａ１０は、任意のタイミングでＰＤＮ接続切断手続きを開始してもよい。
【０７５８】
ＵＥ＿Ａ１０は、まず、ＰＤＮ接続切断手続きを開始するために、ｅＰＤＧ＿Ａ６５にＩＮＦＯＲＭＡＴＩＯＮＡＬ要求（INFORMATIONAL request）を送信する（Ｓ２４０２）。ＵＥ＿Ａ１０は、少なくとも削除ペイロード（DELETE payload）を含めてＩＮＦＯＲＭＡＴＩＯＮＡＬ要求を送信しても良い。さらに、ＵＥ＿Ａ１０は、少なくとも第１の識別情報及び又は第２の識別情報をＩＮＦＯＲＭＡＴＩＯＮＡＬ要求に含めても良い。さらに、ＵＥ＿Ａ１０は、ＰＤＮコネクションＩＤ（PDN connection ID）をＩＮＦＯＲＭＡＴＩＯＮＡＬ要求に含めても良い。
【０７５９】
ここで、第１の識別情報は、ＰＤＮコネクションがマルチアクセスＰＤＮコネクションであることを示すＮＢＩＦＯＭ  Ｉｎｄｉｃａｔｉｏｎであってよい。なお、第１の識別情報は、マルチアクセスＰＤＮコネクションのＮＢＩＦＯＭオペレーションモードを表すＭｏｄｅ  Ｉｎｄｉｃａｔｉｏｎであってもよい。ＵＥ＿Ａ１０は、第１の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０７６０】
第２の識別情報は、ＵＥ＿Ａ１０がＮＢＩＦＯＭをサポートしていることを表すＵＥ  ＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０７６１】
このように、第１の識別情報及び又は第２の識別情報を送信することにより、マルチアクセスＰＤＮコネクションに対応づけられたＷＬＡＮアクセスによる通信路のみを切断することを要求してもよい。言い換えるとは、第１の識別情報及び又は第２の識別情報は、マルチアクセスＰＤＮコネクションに対応づけられたＷＬＡＮアクセスによる通信路のみを切断することを要求することを示す情報であってよい。
【０７６２】
削除ペイロードは、ＵＥ＿Ａ１０、ｅＰＤＧ＿Ａ６５間のトンネルの切断を要求することを示すために含める情報であってよい。従って、ＵＥ＿Ａ１０は、ＩＮＦＯＲＭＡＴＩＯＮＡＬ要求に削除ペイロードを含めることでＰＤＮコネクションの切断を要求してもよい。なお、ＩＮＦＯＲＭＡＴＩＯＮＡＬ要求はＩＫＥｖ２のメッセージであってよい。
【０７６３】
ＰＤＮコネクションＩＤは、ＵＥ＿Ａ１０とＰＧＷ＿Ａ３０の間で確立されているＰＤＮコネクションを一意に識別するための情報であってもよい。
【０７６４】
ｅＰＤＧ＿Ａ６５は、ＵＥ＿Ａ１０が送信したＩＮＦＯＲＭＡＴＩＯＮＡＬ要求を受信する。ｅＰＤＧ＿Ａ６５はＩＮＦＯＲＭＡＴＩＯＮＡＬ要求の受信及び又は、ＩＮＦＯＲＭＡＴＩＯＮＡＬ要求に含まれる第１の識別情報及び又は第２の識別情報に基づいて、ＰＧＷ＿Ａ３０にセッション削除要求を送信する（Ｓ２４０４）。なお、セッション削除要求は転送路を削除することを要求するためのメッセージであってよい。
【０７６５】
ｅＰＤＧ＿Ａ６５は、ＩＮＦＯＲＭＡＴＩＯＮＡＬ要求の受信及び又はＩＮＦＯＲＭＡＴＩＯＮＡＬ要求に含まれる第１の識別情報及び又は第２の識別情報に基づいて、少なくとも第１の識別情報及び又は第２の識別情報をセッション削除要求に含めて送信してもよい。さらに、ｅＰＤＧ＿Ａ６５は、ＰＤＮコネクションＩＤをセッション削除要求に含めても良い。
【０７６６】
なお、ｅＰＤＧ＿Ａ６５は、ＩＮＦＯＲＭＡＴＩＯＮＡＬ要求に第１の識別情報及び又は第２の識別情報のいずれの識別情報も含まれない場合は、第１の識別情報及び又は第２の識別情報を含めずにセッション削除要求を送信してもよい。
【０７６７】
ＰＧＷ＿Ａ３０は、ｅＰＤＧ＿Ａ６５が送信したセッション削除要求を受信する。ＰＧＷ＿Ａ３０は、セッション削除要求の受信及び又はセッション削除要求に含まれる第１の識別情報及び又は第２の識別情報に基づいて、ＰＣＲＦ＿Ａ６０との間でのＩＰ−ＣＡＮセッション更新手続きを実行しても良い（Ｓ２４０６）。
【０７６８】
ＰＧＷ＿Ａ３０は、セッション削除要求の受信及び又はセッション削除要求に含まれる第１の識別情報及び又は第２の識別情報に基づいて、少なくとも第１の識別情報及び又は第２の識別情報をＩＰ−ＣＡＮセッション更新手続きに含めて実行しても良い。
【０７６９】
なお、ＰＧＷ＿Ａ３０は、ＰＣＲＦ＿Ａ６０にマルチアクセスＰＤＮコネクションに対応づけられたＷＬＡＮアクセスによる通信路のみを切断することを通知するためにＩＰ−ＣＡＮセッション更新手続きを実行しても良い。
【０７７０】
ＰＧＷ＿Ａ３０は、削除する通信路がマルチアクセスＰＤＮコネクションに対応づけられた通信路であるか、シングルアクセスＰＤＮコネクションに対応づけられた通信路であるかを示す情報及び又は第１の識別情報及び又は第２の識別情報をＩＰ−ＣＡＮセッション手続き内の制御メッセージに含めてＰＣＲＦ＿Ａ６０に送信しても良い。
【０７７１】
より具体的には、削除する通信路がマルチアクセスＰＤＮコネクションに対応づけられた通信路である場合には、ＰＧＷ＿Ａ３０は、ＷＬＡＮアクセスネットワークを示す情報と、ＰＤＮコネクションＩＤと、ＰＤＮコネクションがマルチアクセスＰＤＮコネクションであることを示す情報と、第１の識別情報及び又は第２の識別情報をＰＣＲＦ＿Ａ６０に送信する。もしくは、削除する通信路がシングルアクセスＰＤＮコネクションに対応づけられた通信路である場合には、ＰＧＷ＿Ａ３０は、ＷＬＡＮアクセスネットワークを示す情報と、ＰＤＮコネクションＩＤと、ＰＤＮコネクションがシングルアクセスＰＤＮコネクションであることを示す情報とをＰＣＲＦ＿Ａ６０に送信する。
【０７７２】
さらに、ＰＣＲＦ＿Ａ６０は、第１の識別情報及び又は第２の識別情報の受信に基づいて、ＰＧＷ＿Ａ３０との間でＩＰ−ＣＡＮセッション更新手続き内の制御メッセージに少なくとも第１の識別情報及び又は第３の識別情報を含めてＰＧＷ＿Ａ３０に送信しても良い。
【０７７３】
なお、ＰＣＲＦ＿Ａ６０はＰＧＷ＿Ａ３０に課金情報及び又はＱｏＳ制御情報及び又はルーティング情報を通知するためにＩＰ−ＣＡＮセッション更新手続きを実行しても良い。
【０７７４】
ここで、第３の識別情報は、ネットワークがＮＢＩＦＯＭをサポートしていることを表すＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０７７５】
このように、第１の識別情報及び又は第３の識別情報を送信することにより、マルチアクセスＰＤＮコネクションに対応づけられたＷＬＡＮアクセスによる通信路のみを切断することを示してもよい。言い換えるとは、第１の識別情報及び又は第３の識別情報は、マルチアクセスＰＤＮコネクションに対応づけられたＷＬＡＮアクセスによる通信路のみを切断することを示す情報であってよい。
【０７７６】
ＰＧＷ＿Ａ３０はセッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、ｅＰＤＧ＿Ａ６５にセッション削除応答を送信する（Ｓ２４０８）。
【０７７７】
ＰＧＷ＿Ａ３０は、セッション削除要求の受信又はＩＰ−ＣＡＮセッション更新手続きの完了及び又は、セッション削除要求に含まれる第１の識別情報及び又は第２の識別情報及び又は、ＩＰ−ＣＡＮセッション更新手続きに含まれる第１の識別情報及び又は第３の識別情報に基づいて、少なくとも第１の識別情報及び又は第３の識別情報をセッション削除応答に含めて送信しても良い。
【０７７８】
なお、ＰＧＷ＿Ａ３０が第３の識別情報を取得する方法は、これまで説明したＩＰ−ＣＡＮセッション更新手続きにおいてＰＣＲＦ＿Ａ６０から取得する方法に限らず、別の例であっても良い。例えば、ＰＧＷ＿Ａ３０はＩＰ−ＣＡＮセッション更新手続きにおいてＰＣＲＦ＿Ａ６０から取得せず、ＰＧＷ＿Ａ３０が第３の識別情報を生成し、セッション削除応答に含めて送信しても良い。
【０７７９】
ＰＧＷ＿Ａ３０は、セッション削除要求の受信及び又は、ＩＰ−ＣＡＮセッション更新手続きの完了及び又は、セッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられたＷＬＡＮアクセスによる通信路のみを切断してもよい。より詳細には、ＰＧＷ＿Ａ３０は、マルチアクセスＰＤＮコネクションに対応づけられたＷＬＡＮアクセスによる通信路用のコンテキストを削除することで、ＷＬＡＮアクセスによる通信路を切断してもよい。
【０７８０】
また、ＰＧＷ＿Ａ３０は、マルチアクセスＰＤＮコネクションに対応づけられたＷＬＡＮアクセスによる通信路を全て削除した場合、マルチアクセスＰＤＮコネクションに対応づけられたデフォルトアクセスを削除してもよい。言い換えると、ＰＧＷ＿Ａ３０は、マルチアクセスＰＤＮコネクションに対応づけられたＷＬＡＮアクセスによる通信路用のコンテキストを全て削除した場合、マルチアクセスＰＤＮコネクションに対応づけられたデフォルトアクセスを削除してもよい。より詳細には、ＰＧＷ＿Ａ３０は、マルチアクセスＰＤＮコネクションに対応づけられたＷＬＡＮアクセスによる通信路用のコンテキストを全て削除した場合、マルチアクセスＰＤＮコネクションに対応づけられたＰＤＮごとのＥＰＳベアラコンテキストに含まれるデフォルトアクセスを削除してもよい。
【０７８１】
したがって、ＰＧＷ＿Ａ３０は、セッション削除要求の受信及び又は、ＩＰ−ＣＡＮセッション更新手続きの完了及び又は、セッション削除応答の送信及び又は、セッション削除要求に含まれる第１の識別情報及び又は第２の識別情報及び又はＰＤＮコネクションＩＤ及び又は、ＩＰ−ＣＡＮセッション更新手続きに含まれる第１の識別情報及び又は第３の識別情報に基づき、ＰＤＮコネクションＩＤで識別されるマルチアクセスＰＤＮコネクションに対応づけられたデフォルトアクセスを削除してもよい。  このように、ＰＧＷ＿Ａ３０は、マルチアクセスＰＤＮコネクションに対応づけられたＷＬＡＮアクセスによる通信路用のコンテキスト及び又はデフォルトアクセスを削除することで、マルチアクセスＰＤＮコネクションに対応づけられたＷＬＡＮアクセスによる通信路を切断してもよい。
【０７８２】
また、ＰＧＷ＿Ａ３０は、ＷＬＡＮアクセスシステムの電波状態の悪化や、接続性が不安定等の原因により、ＷＬＡＮアクセスシステムの接続性が失われたことの検出に基づいて、マルチアクセスＰＤＮコネクションに対応づけられたＷＬＡＮアクセスによる通信路用のコンテキスト及び又はデフォルトアクセスを削除してもよい。
【０７８３】
ｅＰＤＧ＿Ａ６５は、ＰＧＷ＿Ａ３０が送信したセッション削除応答を受信する。ｅＰＤＧ＿Ａ６５はセッション削除応答の受信及び又はセッション削除応答に含まれる第１の識別情報及び又は第３の識別情報に基づいて、ＵＥ＿Ａ１０にＩＮＦＯＲＭＡＴＩＯＮＡＬ応答（INFORMATIONAL response）を送信する（Ｓ２４１０）。なお、ＩＮＦＯＲＭＡＴＩＯＮＡＬ応答メッセージは、ＰＤＮコネクションの切断を許可することを示す制御メッセージであればよい。また、ＩＮＦＯＲＭＡＴＩＯＮＡＬ応答メッセージはＩＮＦＯＲＭＡＴＩＯＮＡＬ要求に対する応答メッセージであってよい。
【０７８４】
ｅＰＤＧ＿Ａ６５は、セッション削除応答の受信及び又はセッション削除応答に含まれる第１の識別情報及び又は第３の識別情報に基づいて、削除済みセキュリティアソシエーションリストをＩＮＦＯＲＭＡＴＩＯＮＡＬ応答に含めて送信しても良い。さらに、ｅＰＤＧ＿Ａ６５は、少なくとも第１の識別情報及び又は第３の識別情報をＩＮＦＯＲＭＡＴＩＯＮＡＬ応答に含めても良い。さらに、ｅＰＤＧ＿Ａ６５は、ＰＤＮコネクションＩＤをＩＮＦＯＲＭＡＴＩＯＮＡＬ応答に含めても良い。
【０７８５】
ここで、削除済みセキュリティアソシエーションリストは、ｅＰＤＧ＿Ａ６５によって切断されたセキュリティアソシエーションが一覧を含む情報であってよい。なお、ＩＮＦＯＲＭＡＴＩＯＮＡＬ応答はＩＫＥｖ２のメッセージであってよい。
【０７８６】
ＵＥ＿Ａ１０は、ｅＰＤＧ＿Ａ６５が送信したＩＮＦＯＲＭＡＴＩＯＮＡＬ応答を受信する。
【０７８７】
ＵＥ＿Ａ１０は、ＩＮＦＯＲＭＡＴＩＯＮＡＬ応答の受信及び又はＩＮＦＯＲＭＡＴＩＯＮＡＬ応答に含まれる第１の識別情報及び又は第３の識別情報及び又はＰＤＮコネクションＩＤに基づいて、ＰＤＮコネクションＩＤで識別されるマルチアクセスＰＤＮコネクションに対応づけられたＷＬＡＮアクセスによる通信路のみを切断してもよい。より詳細には、ＵＥ＿Ａ１０は、マルチアクセスＰＤＮコネクションに対応づけられたＷＬＡＮアクセスによる通信路用のコンテキストを削除することで、ＷＬＡＮアクセスによる通信路を切断してもよい。
【０７８８】
また、ＵＥ＿Ａ１０は、マルチアクセスＰＤＮコネクションに対応づけられたＷＬＡＮアクセスによる通信路を全て削除した場合、マルチアクセスＰＤＮコネクションに対応づけられたデフォルトアクセスを削除してもよい。言い換えると、ＵＥ＿Ａ１０は、マルチアクセスＰＤＮコネクションに対応づけられたＷＬＡＮアクセスによる通信路用のコンテキストを全て削除した場合、マルチアクセスＰＤＮコネクションに対応づけられたデフォルトアクセスを削除してもよい。より詳細には、ＵＥ＿Ａ１０は、マルチアクセスＰＤＮコネクションに対応づけられたＷＬＡＮアクセスによる通信路用のコンテキストを全て削除した場合、マルチアクセスＰＤＮコネクションに対応づけられたＰＤＮごとのＵＥコンテキストに含まれるデフォルトアクセスを削除してもよい。
【０７８９】
したがって、ＵＥ＿Ａ１０は、ＩＮＦＯＲＭＡＴＩＯＮＡＬ応答の受信及び又はＩＮＦＯＲＭＡＴＩＯＮＡＬ応答に含まれる第１の識別情報及び又は第３の識別情報及び又はＰＤＮコネクションＩＤに基づいて、ＰＤＮコネクションＩＤで識別されるマルチアクセスＰＤＮコネクションに対応づけられたデフォルトアクセスを削除してもよい。
【０７９０】
このように、ＵＥ＿Ａ１０は、マルチアクセスＰＤＮコネクションに対応づけられたＷＬＡＮアクセスによる通信路用のコンテキスト及び又はデフォルトアクセスを削除することで、マルチアクセスＰＤＮコネクションに対応づけられたＷＬＡＮアクセスによる通信路を切断してもよい。
【０７９１】
また、ＵＥ＿Ａ１０は、ＷＬＡＮアクセスシステムの電波状態の悪化や、接続性が不安定等の原因により、ＷＬＡＮアクセスシステムの接続性が失われたことの検出に基づいて、マルチアクセスＰＤＮコネクションに対応づけられたＷＬＡＮアクセスによる通信路用のコンテキスト及び又はデフォルトアクセスを削除してもよい。
【０７９２】
ＵＥ主導のＰＤＮ接続切断手続き（ＷＬＡＮアクセスネットワーク）の完了によりＵＥ＿Ａ１０及びＰＧＷ＿Ａ３０はＷＬＡＮアクセスによる通信路を持たないマルチアクセスＰＤＮコネクションを確立する。ＷＬＡＮアクセスによる通信路を持たないマルチアクセスＰＤＮコネクションは、３ＧＰＰアクセスによる通信路のみをもつマルチアクセスＰＤＮコネクションであってよい。
【０７９３】
なお、３ＧＰＰアクセスによる通信路のみをもつマルチアクセスＰＤＮコネクションに対応づけられているデフォルトベアラは１つのみであってよい。従って、３ＧＰＰアクセスによる通信路のみをもつマルチアクセスＰＤＮコネクションを持つ場合、ＵＥ＿Ａ１０及びＰＧＷ＿Ａ３０は、デフォルトアクセスを用いることなくデフォルトベアラを選択し、選択したデフォルトベアラを用いてユーザデータの送受信を行ってもよい。
【０７９４】
ＵＥ主導のＰＤＮ接続切断手続き（ＷＬＡＮアクセスネットワーク）の完了後、ＵＥ＿Ａ１０及びＰＧＷ＿Ａ３０は、記憶した３ＧＰＰアクセスによる通信路用のコンテキストに基づいてユーザデータを送受信してもよい。
【０７９５】
次に、ＵＥ主導のＰＤＮ接続切断手続き（ＷＬＡＮアクセスネットワーク）の完了後のＵＥ＿Ａ１０及びＰＧＷ＿Ａ３０がユーザデータを送受信する方法の具体例として、第１から第３の例を説明する。
【０７９６】
まず、第１の例を説明する。なお、第１の例でのＵＥ＿Ａ１０及びＰＧＷ＿Ａ３０の３ＧＰＰアクセスによる通信路用のコンテキストは、図１５で示したベアラごとのコンテキストのうち、ＷＬＡＮアクセスによる通信路用のコンテキストを削除したものであってもよい。
【０７９７】
ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ａ１、Ｆｉｌｔｅｒ  Ａ２の順でＲｏｕｔｉｎｇ  Ｆｉｌｔｅｒと送信するユーザデータを比較する。
【０７９８】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ａ２とマッチした場合、ＵＥ＿Ａ１０及びＰＧＷ＿Ａ３０は、Ｆｉｌｔｅｒ  Ａ２に対応するＤｅｄｉｃａｔｅｄ  Ｂｅａｒｅｒ  Ａ２を用いてユーザデータを送信してもよい。
【０７９９】
比較した結果、ユーザデータがどのＲｏｕｔｉｎｇ  Ｆｉｌｔｅｒにもマッチしない場合、ＵＥ＿Ａ１０及びＰＧＷ＿Ａ３０は、デフォルトベアラを用いてユーザデータを送信してもよい。例えば、送信するユーザデータがＦｉｌｔｅｒ  Ａ１及びＦｉｌｔｅｒ  Ａ２とマッチしない場合、ＵＥ＿Ａ１０及びＰＧＷ＿Ａ３０は、３ＧＰＰアクセスネットワークのデフォルトベアラであるＤｅｆａｕｌｔ  Ｂｅａｒｅｒ  １を用いてユーザデータを送信してもよい。
【０８００】
次に、第２の例を説明する。なお、第２の例でのＵＥ＿Ａ１０及びＰＧＷ＿Ａ３０の３ＧＰＰアクセスによる通信路用のコンテキストは、図１６で示したベアラごとのコンテキストのうち、ＷＬＡＮアクセスによる通信路用のコンテキストを削除したものであってもよい。
【０８０１】
第１の例と同様に、ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ａ１、Ｆｉｌｔｅｒ  Ａ２、ＡＮＹ  １の順でＲｏｕｔｉｎｇ  Ｆｉｌｔｅｒと送信するユーザデータを比較する。ここで、ＡＮＹ  １は全てのユーザデータとマッチするルールが記載されたフィルターであってよい。
【０８０２】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ａ２とマッチした場合、ＵＥ＿Ａ１０は、Ｆｉｌｔｅｒ  Ａ２に対応するＤｅｄｉｃａｔｅｄ  Ｂｅａｒｅｒ  Ａ２を用いてユーザデータを送信する。送信するユーザデータがＡＮＹ  １とマッチした場合、ＵＥ＿Ａ１０は、ＡＮＹ  １に対応するＤｅｆａｕｌｔ  Ｂｅａｒｅｒ  １を用いて、ユーザデータを送信してもよい。
【０８０３】
次に、第３の例を説明する。なお、第３の例でのＵＥ＿Ａ１０及びＰＧＷ＿Ａ３０の３ＧＰＰアクセスによる通信路用のコンテキストは、図１７で示したベアラごとのコンテキストからＷＬＡＮアクセスによる通信路用のコンテキストを削除したものであってもよい。
【０８０４】
第１の例と同様に、ＵＥ＿Ａ１０及びＰＧＷ＿Ａ３０は、まず、Ｒｏｕｔｉｎｇ  Ｒｕｌｅ  Ｐｒｉｏｒｉｔｙが高い順に、対応するＲｏｕｔｉｎｇ  Ｆｉｌｔｅｒとユーザデータを比較する。例えば、ユーザデータを送信する場合、ＵＥ＿Ａ１０及びＰＧＷ＿Ａ３０は、Ｆｉｌｔｅｒ  Ａ１、Ｆｉｌｔｅｒ  Ａ２、Ｆｉｌｔｅｒ  Ｄ１の順でＲｏｕｔｉｎｇ  Ｆｉｌｔｅｒと送信するユーザデータを比較する。ここで、Ｆｉｌｔｅｒ  Ｄ１は、特定のＵＥ＿Ａ１０及び又はＰＧＷ＿Ａ３０に対応する全てのユーザデータにマッチするルールが記載されたフィルターであってよい。例えば、Ｆｉｌｔｅｒ  Ｄ１は、ＵＥ＿Ａ１０及び又はＰＧＷ＿Ａ３０のソースＩＰアドレスにマッチするルールが記載されたフィルターであってよい。
【０８０５】
比較した結果、ユーザデータがＲｏｕｔｉｎｇ  Ｆｉｌｔｅｒにマッチした場合、ＵＥ＿Ａ１０及びＰＧＷ＿Ａ３０は、対応するＲｏｕｔｉｎｇ  Ｒｕｌｅ  ｉｄｅｎｔｉｆｉｅｒ及び又はベアラ識別情報で識別されるベアラを用いてユーザデータを送受信してもよい。例えば、送信するユーザデータがＦｉｌｔｅｒ  Ａ２とマッチした場合、ＵＥ＿Ａ１０は、Ｆｉｌｔｅｒ  Ａ２に対応するＤｅｄｉｃａｔｅｄ  Ｂｅａｒｅｒ  Ａ２を用いてユーザデータを送信する。送信するユーザデータがＦｉｌｔｅｒ  Ｄ１とマッチした場合、ＵＥ＿Ａ１０は、Ｆｉｌｔｅｒ  Ｄ１に対応するＤｅｆａｕｌｔ  Ｂｅａｒｅｒ  １を用いて、ユーザデータを送信してもよい。
【０８０６】
ＵＥ主導のＰＤＮ接続切断手続き（ＷＬＡＮアクセスネットワーク）の例では、マルチアクセスＰＤＮコネクションに対応づけられたＷＬＡＮアクセスによる通信路のみを切断する場合について説明した。
【０８０７】
以上の手続きにより、ＵＥ＿１０Ａ及び又はＰＧＷ＿Ａ３０は、マルチアクセスＰＤＮコネクションに対して確立する３ＧＰＰアクセスを介した通信路とＷＬＡＮアクセスを介した通信路のうちの一方を切断したことに基づいてデフォルトアクセスを削除し、通信を継続することができる。言い換えると、ＵＥ＿１０Ａ及び又はＰＧＷ＿Ａ３０は、３ＧＰＰアクセスに対応づけられたデフォルトベアラとＷＬＡＮアクセスに対応づけられてデフォルトベアラのうちの１つを削除して通信を継続することができる。
【０８０８】
［２．４．２．ネットワーク主導のＰＤＮ接続切断手続き（ＷＬＡＮアクセスネットワーク）の説明］
次に、ネットワーク主導の、マルチアクセスＰＤＮコネクションに対応づけられたＷＬＡＮアクセスによる通信路を切断するためのＰＤＮ接続切断手続き例を、図２５を用いて説明する。
【０８０９】
なお、ＰＣＲＦ＿Ａ６０及びＰＧＷ＿Ａ３０は、ＷＬＡＮアクセスシステムの電波状態の悪化や、接続性が不安定であることなどを検出し、ＰＤＮ接続切断手続きを開始してもよい。また、ＰＣＲＦ＿Ａ６０及びＰＧＷ＿Ａ３０は、任意のタイミングでＰＤＮ接続切断手続きを開始してもよい。
【０８１０】
ＰＣＲＦ＿Ａ６０は、まず、ＰＤＮ接続切断手続きを開始するために、ＰＧＷ＿Ａ３０にＩＰ−ＣＡＮ更新手続きを要求するためのメッセージを送信する（Ｓ２５０２）。ＩＰ−ＣＡＮ更新手続きを要求するためのメッセージには少なくとも、第１の識別情報及び又は第３の識別情報が含まれてもよい。
【０８１１】
ここで、第１の識別情報は、ＰＤＮコネクションがマルチアクセスＰＤＮコネクションであることを示すＮＢＩＦＯＭ  Ｉｎｄｉｃａｔｉｏｎであってよい。なお、第１の識別情報は、マルチアクセスＰＤＮコネクションのＮＢＩＦＯＭオペレーションモードを表すＭｏｄｅ  Ｉｎｄｉｃａｔｉｏｎであってもよい。ＵＥ＿Ａ１０は、第１の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０８１２】
第３の識別情報は、ネットワークがＮＢＩＦＯＭをサポートしていることを表すＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０８１３】
このように、第１の識別情報及び又は第３の識別情報を送信することにより、マルチアクセスＰＤＮコネクションに対応づけられたＷＬＡＮアクセスによる通信路のみを切断することを示してもよい。言い換えるとは、第１の識別情報及び又は第３の識別情報は、マルチアクセスＰＤＮコネクションに対応づけられたＷＬＡＮアクセスによる通信路のみを切断することを示す情報であってよい。
【０８１４】
ＰＧＷ＿Ａ３０は、ＰＣＲＦ＿Ａ６０が送信したＩＰ−ＣＡＮ更新手続きを要求するためのメッセージを受信する。ＰＧＷ＿Ａ３０は、ＩＰ−ＣＡＮ更新手続きを要求するためのメッセージの受信及び又は、ＩＰ−ＣＡＮ更新手続きを要求するためのメッセージに含まれる第１の識別情報及び又は第３の識別情報に基づいて、ｅＰＤＧ＿Ａ６５にセッション削除要求を送信する（Ｓ２５０４）。
【０８１５】
ＰＧＷ＿Ａ３０は、ＩＰ−ＣＡＮ更新手続きを要求するためのメッセージの受信及び又は、ＩＰ−ＣＡＮ更新手続きを要求するためのメッセージに含まれる第１の識別情報及び又は第３の識別情報に基づいて、少なくとも第１の識別情報及び又は第３の識別情報をセッション削除要求に含めて送信しても良い。
【０８１６】
なお、ＰＤＮ接続切断手続きを開始する方法は、これまで説明したＩＰ−ＣＡＮセッション更新手続きにおいてＰＣＲＦ＿Ａ６０が開始する方法に限らず、ＰＧＷ＿Ａ３０が開始してもよい。その際、ＰＧＷ＿Ａ３０が第１の識別情報及び又は第３の識別情報を生成し、セッション削除要求に含めて送信しても良い。
【０８１７】
ｅＰＤＧ＿Ａ６５は、ＰＧＷ＿Ａ３０が送信したセッション削除要求を受信する。ｅＰＤＧ＿Ａ６５は、セッション削除要求の受信及び又はセッション削除要求に含まれる第１の識別情報及び又は第３の識別情報に基づいて、ＵＥ＿Ａ１０にＩＮＦＯＲＭＡＴＩＯＮＡＬ要求（INFORMATIONAL request）を送信する（Ｓ２５０６）。
【０８１８】
ｅＰＤＧ＿Ａ６５は、セッション削除要求の受信及び又はセッション削除要求に含まれる第１の識別情報及び又は第３の識別情報に基づいて、少なくとも削除ペイロード（DELETE payload）を含めてＩＮＦＯＲＭＡＴＩＯＮＡＬ要求を送信しても良い。さらに、ｅＰＤＧ＿Ａ６５は、少なくとも第１の識別情報及び又は第３の識別情報をＩＮＦＯＲＭＡＴＩＯＮＡＬ要求に含めても良い。さらに、ｅＰＤＧ＿Ａ６５は、ＰＤＮコネクションＩＤ（PDN connection ID）をＩＮＦＯＲＭＡＴＩＯＮＡＬ要求に含めても良い。
【０８１９】
ここで、削除ペイロードは、ＵＥ＿Ａ１０、ｅＰＤＧ＿Ａ６５間のトンネルの切断を要求することを示すために含める情報であってよい。従って、ｅＰＤＧ＿Ａ６５は、ＩＮＦＯＲＭＡＴＩＯＮＡＬ要求に削除ペイロードを含めることでＰＤＮコネクションの切断を要求してもよい。なお、ＩＮＦＯＲＭＡＴＩＯＮＡＬ要求はＩＫＥｖ２のメッセージであってよい。
【０８２０】
ＰＤＮコネクションＩＤは、ＵＥ＿Ａ１０とＰＧＷ＿Ａ３０の間で確立されているＰＤＮコネクションを一意に識別するための情報であってもよい。
【０８２１】
ＵＥ＿Ａ１０は、ｅＰＤＧ＿Ａ６５が送信したＩＮＦＯＲＭＡＴＩＯＮＡＬ要求を受信する。ＵＥ＿Ａ１０は、ＩＮＦＯＲＭＡＴＩＯＮＡＬ要求の受信及び又は、ＩＮＦＯＲＭＡＴＩＯＮＡＬ要求に含まれる第１の識別情報及び又は第３の識別情報に基づいて、ｅＰＤＧ＿Ａ６５にＩＮＦＯＲＭＡＴＩＯＮＡＬ応答（INFORMATIONAL response）を送信する（Ｓ２５０８）。なお、ＩＮＦＯＲＭＡＴＩＯＮＡＬ応答メッセージは、ＰＤＮコネクションの切断を許可することを示す制御メッセージであればよい。また、ＩＮＦＯＲＭＡＴＩＯＮＡＬ応答メッセージはＩＮＦＯＲＭＡＴＩＯＮＡＬ要求に対する応答メッセージであってよい。
【０８２２】
ＵＥ＿Ａ１０は、ＩＮＦＯＲＭＡＴＩＯＮＡＬ要求の受信及び又は、ＩＮＦＯＲＭＡＴＩＯＮＡＬ要求に含まれる第１の識別情報及び又は第３の識別情報に基づいて、削除済みセキュリティアソシエーションリストをＩＮＦＯＲＭＡＴＩＯＮＡＬ応答に含めて送信しても良い。さらに、ＵＥ＿Ａ１０は、少なくとも第１の識別情報及び又は第２の識別情報をＩＮＦＯＲＭＡＴＩＯＮＡＬ応答に含めても良い。さらに、ＵＥ＿Ａ１０は、ＰＤＮコネクションＩＤをＩＮＦＯＲＭＡＴＩＯＮＡＬ応答に含めても良い。
【０８２３】
ここで、第２の識別情報は、ＵＥ＿Ａ１０がＮＢＩＦＯＭをサポートしていることを表すＵＥ  ＮＢＩＦＯＭ  Ｃａｐａｂｉｌｉｔｙであってもよい。なお、ＮＢＩＦＯＭ  Ｃａｐａｂｉｌｉｔｙとは、マルチアクセスＰＤＮコネクションを確立する機能を有することを示す情報であってもよい。
【０８２４】
このように、第１の識別情報及び又は第２の識別情報を送信することにより、マルチアクセスＰＤＮコネクションに対応づけられたＷＬＡＮアクセスによる通信路のみを切断することを示してもよい。言い換えるとは、第１の識別情報及び又は第２の識別情報は、マルチアクセスＰＤＮコネクションに対応づけられたＷＬＡＮアクセスによる通信路のみを切断することを示す情報であってよい。
【０８２５】
削除済みセキュリティアソシエーションリストは、ｅＰＤＧ＿Ａ６５によって切断されたセキュリティアソシエーションが一覧を含む情報であってよい。なお、ＩＮＦＯＲＭＡＴＩＯＮＡＬ応答はＩＫＥｖ２のメッセージであってよい。
【０８２６】
ＵＥ＿Ａ１０は、ＩＮＦＯＲＭＡＴＩＯＮＡＬ要求の受信及び又は、ＩＮＦＯＲＭＡＴＩＯＮＡＬ応答の送信及び又は、ＩＮＦＯＲＭＡＴＩＯＮＡＬ要求に含まれる第１の識別情報及び又は第３の識別情報及び又はＰＤＮコネクションＩＤに基づいて、ＰＤＮコネクションＩＤで識別されるマルチアクセスＰＤＮコネクションに対応づけられたＷＬＡＮアクセスによる通信路のみを切断してもよい。より詳細には、ＵＥ＿Ａ１０は、マルチアクセスＰＤＮコネクションに対応づけられたＷＬＡＮアクセスによる通信路用のコンテキストを削除することで、ＷＬＡＮアクセスによる通信路を切断してもよい。
【０８２７】
また、ＵＥ＿Ａ１０は、マルチアクセスＰＤＮコネクションに対応づけられたＷＬＡＮアクセスによる通信路を全て削除した場合、マルチアクセスＰＤＮコネクションに対応づけられたデフォルトアクセスを削除してもよい。言い換えると、ＵＥ＿Ａ１０は、マルチアクセスＰＤＮコネクションに対応づけられたＷＬＡＮアクセスによる通信路用のコンテキストを全て削除した場合、マルチアクセスＰＤＮコネクションに対応づけられたデフォルトアクセスを削除してもよい。より詳細には、ＵＥ＿Ａ１０は、マルチアクセスＰＤＮコネクションに対応づけられたＷＬＡＮアクセスによる通信路用のコンテキストを全て削除した場合、マルチアクセスＰＤＮコネクションに対応づけられたＰＤＮごとのＵＥコンテキストに含まれるデフォルトアクセスを削除してもよい。
【０８２８】
したがって、ＵＥ＿Ａ１０は、ＩＮＦＯＲＭＡＴＩＯＮＡＬ要求の受信及び又は、ＩＮＦＯＲＭＡＴＩＯＮＡＬ要求に含まれる第１の識別情報及び又は第３の識別情報及び又はＰＤＮコネクションＩＤ及び又は、ＩＮＦＯＲＭＡＴＩＯＮＡＬ応答の送信に基づいて、ＰＤＮコネクションＩＤで識別されるマルチアクセスＰＤＮコネクションに対応づけられたデフォルトアクセスを削除してもよい。
【０８２９】
このように、ＵＥ＿Ａ１０は、マルチアクセスＰＤＮコネクションに対応づけられたＷＬＡＮアクセスによる通信路用のコンテキスト及び又はデフォルトアクセスを削除することで、マルチアクセスＰＤＮコネクションに対応づけられたＷＬＡＮアクセスによる通信路を切断してもよい。
【０８３０】
ｅＰＤＧ＿Ａ６５は、ＵＥ＿Ａ１０が送信したＩＮＦＯＲＭＡＴＩＯＮＡＬ応答を受信する。ｅＰＤＧ＿Ａ６５はＩＮＦＯＲＭＡＴＩＯＮＡＬ応答の受信及び又は、ＩＮＦＯＲＭＡＴＩＯＮＡＬ応答に含まれる第１の識別情報及び又は第２の識別情報に基づいて、ＰＧＷ＿Ａ３０にセッション削除応答を送信する（Ｓ２５１０）。なお、セッション削除要求に対する応答メッセージであってよい。
【０８３１】
ｅＰＤＧ＿Ａ６５は、ＩＮＦＯＲＭＡＴＩＯＮＡＬ応答の受信及び又はＩＮＦＯＲＭＡＴＩＯＮＡＬ応答に含まれる第１の識別情報及び又は第２の識別情報に基づいて、少なくとも第１の識別情報及び又は第２の識別情報をセッション削除応答に含めて送信してもよい。さらに、ｅＰＤＧ＿Ａ６５は、ＰＤＮコネクションＩＤをセッション削除応答に含めても良い。
【０８３２】
ＰＧＷ＿Ａ３０は、ｅＰＤＧ＿Ａ６５が送信したセッション削除応答を受信する。ＰＧＷ＿Ａ３０は、セッション削除応答の受信及び又はセッション削除応答に含まれる第１の識別情報及び又は第２の識別情報に基づいて、ＰＣＲＦ＿Ａ６０にＩＰ−ＣＡＮ更新手続きの完了を通知するためのメッセージを送信する(Ｓ２５１２)。
【０８３３】
ＰＧＷ＿Ａ３０は、セッション削除応答の受信及び又はセッション削除応答に含まれる第１の識別情報及び又は第２の識別情報に基づいて、少なくとも第１の識別情報及び又は第２の識別情報をＩＰ−ＣＡＮ更新手続きの完了を通知するためのメッセージに含めて送信してもよい。
【０８３４】
ＰＣＲＦ＿Ａ６０ではなく、ＰＧＷ＿Ａ３０がＰＤＮ接続切断手続きを開始した場合、ＰＧＷ＿Ａ３０はＰＣＲＦ＿Ａ６０にＩＰ−ＣＡＮ更新手続きの完了を通知するためのメッセージを送信しなくてもよい。
【０８３５】
ＰＧＷ＿Ａ３０は、セッション削除応答の受信及び又はＩＰ−ＣＡＮ更新手続きの完了を通知するためのメッセージの送信及び又は、セッション削除応答に含まれる第１の識別情報及び又は第２の識別情報及び又はＰＤＮコネクションＩＤに基づき、ＰＤＮコネクションＩＤで識別されるマルチアクセスＰＤＮコネクションに対応づけられたＷＬＡＮアクセスによる通信路のみを切断してもよい。より詳細には、ＰＧＷ＿Ａ３０は、マルチアクセスＰＤＮコネクションに対応づけられたＷＬＡＮアクセスによる通信路用のコンテキストを削除することで、ＷＬＡＮアクセスによる通信路を切断してもよい。
【０８３６】
また、ＰＧＷ＿Ａ３０は、マルチアクセスＰＤＮコネクションに対応づけられたＷＬＡＮアクセスによる通信路を全て削除した場合、マルチアクセスＰＤＮコネクションに対応づけられたデフォルトアクセスを削除してもよい。言い換えると、ＰＧＷ＿Ａ３０は、マルチアクセスＰＤＮコネクションに対応づけられたＷＬＡＮアクセスによる通信路用のコンテキストを全て削除した場合、マルチアクセスＰＤＮコネクションに対応づけられたデフォルトアクセスを削除してもよい。より詳細には、ＰＧＷ＿Ａ３０は、マルチアクセスＰＤＮコネクションに対応づけられたＷＬＡＮアクセスによる通信路用のコンテキストを全て削除した場合、マルチアクセスＰＤＮコネクションに対応づけられたＰＤＮごとのＥＰＳベアラコンテキストに含まれるデフォルトアクセスを削除してもよい。
【０８３７】
したがって、ＰＧＷ＿Ａ３０は、セッション削除応答の受信及び又はＩＰ−ＣＡＮ更新手続きの完了を通知するためのメッセージの送信及び又は、セッション削除応答に含まれる第１の識別情報及び又は第２の識別情報及び又はＰＤＮコネクションＩＤに基づき、ＰＤＮコネクションＩＤで識別されるマルチアクセスＰＤＮコネクションに対応づけられたデフォルトアクセスを削除してもよい。
【０８３８】
このように、ＰＧＷ＿Ａ３０は、マルチアクセスＰＤＮコネクションに対応づけられたＷＬＡＮアクセスによる通信路用のコンテキスト及び又はデフォルトアクセスを削除することで、マルチアクセスＰＤＮコネクションに対応づけられたＷＬＡＮアクセスによる通信路を切断してもよい。
【０８３９】
ネットワーク主導のＰＤＮ接続切断手続き（ＷＬＡＮアクセスネットワーク）の完了によりＵＥ＿Ａ１０及びＰＧＷ＿Ａ３０はＷＬＡＮアクセスによる通信路を持たないマルチアクセスＰＤＮコネクションを確立する。ＷＬＡＮアクセスによる通信路を持たないマルチアクセスＰＤＮコネクションは、３ＧＰＰアクセスによる通信路のみをもつマルチアクセスＰＤＮコネクションであってよい。
【０８４０】
なお、３ＧＰＰアクセスによる通信路のみをもつマルチアクセスＰＤＮコネクションに対応づけられているデフォルトベアラは１つのみであってよい。従って、３ＧＰＰアクセスによる通信路のみをもつマルチアクセスＰＤＮコネクションを持つ場合、ＵＥ＿Ａ１０及びＰＧＷ＿Ａ３０は、デフォルトアクセスを用いることなくデフォルトベアラを選択し、選択したデフォルトベアラを用いてユーザデータの送受信を行ってもよい。
【０８４１】
ネットワーク主導のＰＤＮ接続切断手続き（ＷＬＡＮアクセスネットワーク）の完了後、ＵＥ＿Ａ１０及びＰＧＷ＿Ａ３０は、記憶した３ＧＰＰアクセスによる通信路用のコンテキストに基づいてユーザデータを送受信してもよい。
【０８４２】
なお、ネットワーク主導のＰＤＮ接続切断手続き（ＷＬＡＮアクセスネットワーク）の完了後のＵＥ＿Ａ１０及びＰＧＷ＿Ａ３０がユーザデータを送受信する方法は、２．４．１章で示した、ＵＥ主導のＰＤＮ接続切断手続き（ＷＬＡＮアクセスネットワーク）完了後の送受信の方法と同じであってよい。従って、ここではユーザデータ送受信の方法の説明を省略する。
【０８４３】
ネットワーク主導のＰＤＮ接続切断手続き（ＷＬＡＮアクセスネットワーク）の例では、マルチアクセスＰＤＮコネクションに対応づけられたＷＬＡＮアクセスによる通信路のみを切断する場合について説明した。
【０８４４】
以上の手続きにより、ＵＥ＿１０Ａ及び又はＰＧＷ＿Ａ３０は、マルチアクセスＰＤＮコネクションに対して確立する３ＧＰＰアクセスを介した通信路とＷＬＡＮアクセスを介した通信路のうちの一方を切断したことに基づいてデフォルトアクセスを削除し、通信を継続することができる。言い換えると、ＵＥ＿１０Ａ及び又はＰＧＷ＿Ａ３０は、３ＧＰＰアクセスに対応づけられたデフォルトベアラとＷＬＡＮアクセスに対応づけられてデフォルトベアラのうちの１つを削除して通信を継続することができる。
【０８４５】
［２．４．３．ＵＥ主導のＰＤＮ接続切断手続き（３ＧＰＰアクセスネットワーク）の説明］
ＵＥ主導の、マルチアクセスＰＤＮコネクションに対応づけられた３ＧＰＰアクセスによる通信路を切断するためのＰＤＮ接続切断手続き例は、１．４．３章で説明した手続き例と同じであってよい。従って、ここでは説明を省略する。
【０８４６】
［２．４．４．ネットワーク主導のＰＤＮ接続切断手続き（３ＧＰＰアクセスネットワーク）の説明］
ネットワーク主導の、マルチアクセスＰＤＮコネクションに対応づけられた３ＧＰＰアクセスによる通信路を切断するためのＰＤＮ接続切断手続き例は、１．４．４章で説明した手続き例と同じであってよい。従って、ここでは説明を省略する。
【０８４７】
［２．４．５．ＵＥ主導のデタッチ手続き（３ＧＰＰアクセスネットワーク）の説明］
ＵＥ主導の、マルチアクセスＰＤＮコネクションに対応づけられた３ＧＰＰアクセスによる通信路を切断するためのデタッチ手続き例は、１．４．５章で説明した手続き例と同じであってよい。従って、ここでは説明を省略する。
【０８４８】
［２．４．６．ネットワーク主導のデタッチ手続き（３ＧＰＰアクセスネットワーク）の説明］
ネットワーク主導の、マルチアクセスＰＤＮコネクションに対応づけられた３ＧＰＰアクセスによる通信路を切断するためのデタッチ手続き例は、１．４．６章で説明した手続き例と同じであってよい。従って、ここでは説明を省略する。
【０８４９】
［３．変形例］
本発明に関わる移動局装置および基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０８５０】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における移動局装置および基地局装置の一部、または全部を典型的には集積回路であるＬＳＩとして実現してもよい。移動局装置および基地局装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０８５１】
９  通信システム
１０  ＵＥ＿Ａ
３０  ＰＧＷ＿Ａ
３５  ＳＧＷ＿Ａ
４０  ＭＭＥ＿Ａ
４５  ｅＮＢ＿Ａ
５０  ＨＳＳ＿Ａ
５５  ＡＡＡ＿Ａ
６０  ＰＣＲＦ＿Ａ
６５  ｅＰＤＧ＿Ａ
７０  ＷＬＡＮ  ＡＮａ
７４  ＴＷＡＧ＿Ａ
７５  ＷＬＡＮ  ＡＮｂ
８０  ＬＴＥ  ＡＮ＿Ａ
９０  コアネットワーク＿Ａ
１００  ＰＤＮ＿Ａ
【図１】
2017017451.tif 000003
【図２】
2017017451.tif 000004
【図３】
2017017451.tif 000005
【図４】
2017017451.tif 000006
【図５】
2017017451.tif 000007
【図６】
2017017451.tif 000008
【図７】
2017017451.tif 000009
【図８】
2017017451.tif 000010
【図９】
2017017451.tif 000011
【図１０】
2017017451.tif 000012
【図１１】
2017017451.tif 000013
【図１２】
2017017451.tif 000014
【図１３】
2017017451.tif 000015
【図１４】
2017017451.tif 000016
【図１５】
2017017451.tif 000017
【図１６】
2017017451.tif 000018
【図１７】
2017017451.tif 000019
【図１８】
2017017451.tif 000020
【図１９】
2017017451.tif 000021
【図２０】
2017017451.tif 000022
【図２１】
2017017451.tif 000023
【図２２】
2017017451.tif 000024
【図２３】
2017017451.tif 000025
【図２４】
2017017451.tif 000026
【図２５】
2017017451.tif 000027